(57)【要約】【課題】ネットワークを形成するユーザコンピュータ以外の外部機器持ち込みを監視する機器データ管理システムを提供する。【解決手段】本システム10は、複数のユーザコンピュータ11A〜11C、14A〜14C及び機器監視サーバ15A〜15Dからなるネットワーク16A〜16Dと、前記サーバ15A〜15Dから各コンピュータ11A〜11C、14A〜14Cに係る各種データを受けるデータ中継サーバ17A，17Bと、これらサーバ17A，17Bから各種データを得るデータ管理コンピュータ18とからなる。機器監視サーバ15A〜15Dは、操作データ管理アプリケーションを未インストールの未登録コンピュータがネットワーク16A〜16Dに接続された時、該コンピュータの未登録コンピュータ接続データをデータ中継サーバ17A，17Bに送信する送信手段を有し、データ管理サーバ18は、データ中継サーバ17A，17Bから得た未登録コンピュータ接続データを各ネットワーク16A〜16Dに区分して出力する出力手段を有する。【選択図】図１
2009048251.tif 000002
【特許請求の範囲】
【請求項１】
複数のネットワーク構成機器およびそれらネットワーク構成機器を時系列に監視する機器監視装置から形成された複数のネットワークと、前記ネットワークを形成するそれら機器監視装置から各ネットワーク構成機器に関する各種データを受け取るデータ中継装置と、前記データ中継装置から前記各種データを取得するデータ管理装置とを備え、
前記ネットワーク構成機器には、それに許可された操作をネットワーク構成機器が実行した場合の許可操作データを該ネットワーク構成機器から前記機器監視装置に送信させるとともに、許可された操作以外の不許可操作をネットワーク構成機器が実行しようとした場合の不許可操作データを該ネットワーク構成機器から前記機器監視装置に送信させる操作データ管理アプリケーションがインストールされ、
前記機器監視装置が、前記操作データ管理アプリケーションを未インストールの未登録機器が前記ネットワークに接続された場合に、その未登録機器の前記ネットワークへの接続を検出する未登録機器検出手段と、前記未登録機器の未登録機器接続データを前記データ中継装置に送信する未登録機器接続データ送信手段とを有し、
前記データ管理装置が、前記データ中継装置から取得した未登録機器接続データを各ネットワーク毎に区分して記憶する未登録機器接続データ記憶手段と、それら未登録機器接続データを各ネットワーク毎に区分して出力する未登録機器接続データ出力手段とを有する機器データ管理システム。
【請求項２】
前記機器監視装置が、前記ネットワーク構成機器から送信されたそれら許可操作データを時系列に収集する許可操作データ収集手段と、収集したそれら許可操作データを前記データ中継装置に送信する許可操作データ送信手段とを有し、
前記データ管理装置が、前記データ中継装置から取得したそれら許可操作データを各ネットワーク毎に区分して記憶する許可操作データ第1記憶手段と、それら許可操作データを各ネットワーク毎に区分して出力する許可操作データ第１出力手段とを有する請求項１記載の機器データ管理システム。
【請求項３】
前記データ管理装置が、前記データ中継装置から取得したそれら許可操作データを各ネットワーク構成機器毎に区分して記憶する許可操作データ第２記憶手段と、それら許可操作データを各ネットワーク構成機器毎に区分して出力する許可操作データ第２出力手段とを有する請求項２記載の機器データ管理システム。
【請求項４】
前記機器監視サーバが、前記ネットワーク構成機器から送信されたそれら不許可操作データを時系列に収集する不許可操作データ収集手段と、収集したそれら不許可操作データを前記データ中継装置に送信する不許可操作データ送信手段とを有し、
前記データ管理装置が、前記データ中継装置から取得したそれら不許可操作データを各ネットワーク毎に区分して記憶する不許可操作データ第１記憶手段と、それら不許可操作データを各ネットワーク毎に区分して出力する不許可操作データ第１出力手段とを有する請求項１ないし請求項３いずれかに記載の機器データ管理システム。
【請求項５】
前記データ管理装置が、前記データ中継装置から取得したそれら不許可操作データを各ネットワーク構成機器毎に区分して記憶する不許可操作データ第２記憶手段と、それら不許可操作データを各ネットワーク構成機器毎に区分して出力する不許可操作データ第２出力手段とを有する請求項４記載の機器データ管理システム。
【請求項６】
前記データ管理装置が、前記未登録機器のうち、特定の機器を未登録機器から除外する特定機器除外手段を有し、前記機器監視装置は、未登録機器から除外された前記特定機器が前記ネットワークに接続された場合に、その特定機器を未登録機器として検出しない請求項１ないし請求項５いずれかに記載の機器データ管理システム。
【請求項７】
前記データ管理装置が、前記機器監視装置から前記データ中継装置に送信される前記未登録機器接続データの送信間隔を各ネットワーク毎に変更する送信間隔第１変更手段を有する請求項１ないし請求項６いずれかに記載の機器データ管理システム。
【請求項８】
前記データ管理装置が、前記機器監視装置から前記データ中継装置に送信される前記許可操作データおよび前記不許可操作データの送信間隔を各ネットワーク毎に変更する送信間隔第２変更手段を有する請求項４ないし請求項７いずれかに記載の機器データ管理システム。
【請求項９】
前記データ管理装置が、前記機器監視装置から送信される前記未登録機器接続データと前記許可操作データと前記不許可操作データとの送信先を前記データ中継装置のうちの一方から他方へ変更するデータ送信先変更手段を有する請求項４ないし請求項８いずれかに記載の機器データ管理システム。
【請求項１０】
前記データ管理装置が、前記データ中継装置の記憶容量を時系列に監視する記憶容量監視手段と、前記データ中継装置の記憶容量が許容範囲を超えた場合に、そのデータ中継装置の記憶容量超過を通知する記憶容量超過データを出力する記憶容量超過データ出力手段とを有する請求項１ないし請求項９いずれかに記載の機器データ管理システム。
【請求項１１】
前記機器データ管理システムが、前記ネットワークと前記データ管理装置との間に設置されたファイアーウォールを含み、前記データ管理装置が、前記ファイアーウォールから送信された該ファイアーウォールのログデータを各ネットワーク毎に区分して記憶するログデータ記憶手段と、それらログデータを各ネットワーク毎に区分して出力するログデータ出力手段とを有する請求項１ないし請求項１０いずれかに記載の機器データ管理システム。
【請求項１２】
前記ネットワーク構成機器に許可された操作が、前記ネットワーク構成機器に使用が許可された許可アプリケーションを該ネットワーク構成機器が使用する許可アプリケーション使用であり、前記許可操作データが、前記ネットワーク構成機器における許可アプリケーションの使用履歴データである請求項１ないし請求項１１いずれかに記載の機器データ管理システム。
【請求項１３】
前記ネットワーク構成機器に許可された操作が、前記ネットワーク構成機器をそれらネットワーク構成機器が形成するネットワーク以外の外部環境で使用する外部使用であり、前記許可操作データが、前記ネットワーク構成機器を前記外部環境で使用した場合の外部使用履歴データである請求項１ないし請求項１２いずれかに記載の機器データ管理システム。
【請求項１４】
前記ネットワーク構成機器に許可された操作が、前記ネットワーク構成機器を指定時間外で使用する指定時間外使用であり、前記許可操作データが、前記ネットワーク構成機器を指定時間外で使用した場合の指定時間外使用履歴データである請求項１ないし請求項１３いずれかに記載の機器データ管理システム。
【請求項１５】
前記ネットワーク構成機器に許可された操作が、前記ネットワーク構成機器を介して電子メールを送信する電子メール送信であり、前記許可操作データが、前記ネットワーク構成機器から電子メールが送信された場合の電子メール送信履歴データである請求項１ないし請求項１４いずれかに記載の機器データ管理システム。
【請求項１６】
前記ネットワーク構成機器に許可された操作が、前記ネットワーク構成機器を介して所定のＷｅｂサイトにアクセスするＷｅｂサイトアクセスであり、前記許可操作データが、所定のＷｅｂサイトに前記ネットワーク構成機器がアクセスした場合のＷｅｂサイトアクセス履歴データである請求項１ないし請求項１５いずれかに記載の機器データ管理システム。
【請求項１７】
前記ネットワーク構成機器に許可された操作が、前記ネットワーク構成機器を介して所定の外部ネットワークにアクセスする外部ネットワークアクセスであり、前記許可操作データが、所定の外部ネットワークに前記ネットワーク構成機器がアクセスした場合の外部ネットワークアクセス履歴データである請求項１ないし請求項１６いずれかに記載の機器データ管理システム。
【請求項１８】
前記ネットワーク構成機器に許可された操作が、前記許可アプリケーションをネットワーク構成機器にインストールするアプリケーションインストールと、前記許可アプリケーションをネットワーク構成機器からアンインストールするアプリケーションアンインストールとであり、前記許可操作データが、前記ネットワーク構成機器に許可アプリケーションがインストールされた場合のアプリケーションインストールデータと、前記ネットワーク構成機器から許可アプリケーションがアンインストールされた場合のアプリケーションアンインストールデータとである請求項１ないし請求項１７いずれかに記載の機器データ管理システム。
【請求項１９】
前記ネットワーク構成機器における不許可操作が、持ち出し禁止データを前記ネットワーク構成機器から持ち出すデータ持ち出し操作であり、前記不許可操作データが、持ち出し禁止データを前記ネットワーク構成機器から持ち出そうとした場合の持ち出し行為履歴データである請求項１ないし請求項１８いずれかに記載の機器データ管理システム。
【請求項２０】
前記ネットワーク構成機器における不許可操作が、プリント禁止データを前記ネットワーク構成機器からプリントするデータプリント操作であり、前記不許可操作データが、プリント禁止データを前記ネットワーク構成機器からプリントしようとした場合のプリント行為履歴データである請求項１ないし請求項１９いずれかに記載の機器データ管理システム。
【請求項２１】
前記ネットワーク構成機器における不許可操作が、使用が禁止された不許可アプリケーションにアクセスする不許可アプリケーションアクセス操作であり、前記不許可操作データが、不許可アプリケーションに前記ネットワーク構成機器がアクセスした場合の不許可アプリケーションアクセス履歴データである請求項１ないし請求項２０いずれかに記載の機器データ管理システム。
【請求項２２】
前記データ管理装置が、前記許可アプリケーションの追加、変更、削除を行う許可アプリケーション改変手段と、前記不許可アプリケーションの追加、変更、削除を行う不許可アプリケーション改変手段とを有する請求項１８ないし請求項２０いずれかに記載の機器データ管理システム。
【発明の詳細な説明】
【技術分野】
【０００１】
本発明は、ネットワークを形成する各ネットワーク構成機器の各種データを取得し、取得したそれらデータを各ネットワーク毎に一括して管理する機器データ管理システムに関する。
【背景技術】
【０００２】
ネットワークの利用者がインターネットを介してサーバへの不正進入者を検出し、それをインターネットサービスプロバイダに通知するとともに、サービスプロバイダと連携して不正進入者の逆探知を行うネットワークセキュリティーシステムがある（特許文献１参照）。このシステムは、インターネットを利用した不正アクセスを検出してそれを通知する監視端末と、監視端末からの通知を受けて検出された不正アクセスのアクセス元を特定し、特定したアクセス元の情報をネットワークのユーザに通知するセンター端末とから形成されている。
【０００３】
監視端末は、ネットワークのユーザが保有するコンピュータシステムに接続され、センター端末は、インターネットサービスプロバイダが保有するコンピュータシステムに接続されている。監視端末は、インターネットに接続されたユーザ側のサーバに対するアクセスのログを記憶し、そのログを解析することでユーザ側のサーバに対する不正アクセスを検出し、記憶したログとともに不正アクセスの検出をセンター端末に通知する。センター端末は、通知されたログの情報によって不正アクセスのアクセス元のサーバを特定し、アクセス元のサーバの情報をユーザの監視端末に通知する。
【特許文献１】特開２００５−１２８９１９号公報
【発明の開示】
【発明が解決しようとする課題】
【０００４】
前記特許文献１に開示のシステムは、ネットワークのユーザが不正アクセスのアクセス元のサーバを特定する必要はなく、その分だけユーザの手間や労力が軽減される。しかし、このシステムでは、ネットワークを形成するネットワーク構成機器以外の外部機器が外部から持ち込まれ、その外部機器がネットワークに接続されたとしても、それを検出する手段がないから、ネットワークに無制限に外部機器を接続することができる。ゆえに、接続が不適格な外部機器のネットワークへの接続を防ぐことができないとともに、ネットワークにおける各種データを外部機器に格納して外部に持ち出す行為を未然に防ぐことができない。また、このシステムは、ネットワーク構成機器における許可操作の操作状況や不許可操作の操作状況を把握することができないから、ネットワークのユーザによるデータの改竄やデータの破壊等の不正行為を防ぐことが難しい。
【０００５】
本発明の目的は、ネットワークを形成するネットワーク構成機器以外の外部機器の持ち込みを監視することができる機器データ管理システムを提供することにある。本発明の他の目的は、ネットワークを形成するネットワーク構成機器の許可操作や不許可操作の操作状況を監視することができ、ネットワークのユーザによる不正行為を防ぐことができる機器データ管理システムを提供することにある。
【課題を解決するための手段】
【０００６】
前記課題を解決するための本発明は、複数のネットワーク構成機器およびそれらネットワーク構成機器を時系列に監視する機器監視装置から形成された複数のネットワークと、ネットワークを形成するそれら機器監視装置から各ネットワーク構成機器に関する各種データを受け取るデータ中継装置と、データ中継装置から各種データを取得するデータ管理装置とを備え、ネットワーク構成機器には、それに許可された操作をネットワーク構成機器が実行した場合の許可操作データを該ネットワーク構成機器から機器監視装置に送信させるとともに、許可された操作以外の不許可操作をネットワーク構成機器が実行しようとした場合の不許可操作データを該ネットワーク構成機器から機器監視装置に送信させる操作データ管理アプリケーションがインストールされ、機器監視装置が、操作データ管理アプリケーションを未インストールの未登録機器がネットワークに接続された場合に、その未登録機器のネットワークへの接続を検出する未登録機器検出手段と、未登録機器の未登録機器接続データをデータ中継装置に送信する未登録機器接続データ送信手段とを有し、データ管理装置が、データ中継装置から取得した未登録機器接続データを各ネットワーク毎に区分して記憶する未登録機器接続データ記憶手段と、それら未登録機器接続データを各ネットワーク毎に区分して出力する未登録機器接続データ出力手段とを有する機器データ管理システムである。
【０００７】
本発明の一例としては、機器監視装置が、ネットワーク構成機器から送信されたそれら許可操作データを時系列に収集する許可操作データ収集手段と、収集したそれら許可操作データをデータ中継装置に送信する許可操作データ送信手段とを有し、データ管理装置が、データ中継装置から取得したそれら許可操作データを各ネットワーク毎に区分して記憶する許可操作データ第1記憶手段と、それら許可操作データを各ネットワーク毎に区分して出力する許可操作データ第１出力手段とを有する。
【０００８】
本発明の他の一例としては、データ管理装置が、データ中継装置から取得したそれら許可操作データを各ネットワーク構成機器毎に区分して記憶する許可操作データ第2記憶手段と、それら許可操作データを各ネットワーク構成機器毎に区分して出力する許可操作データ第２出力手段とを有する。
【０００９】
本発明の他の一例としては、機器監視サーバが、ネットワーク構成機器から送信されたそれら不許可操作データを時系列に収集する不許可操作データ収集手段と、収集したそれら不許可操作データをデータ中継装置に送信する不許可操作データ送信手段とを有し、データ管理装置が、データ中継装置から取得したそれら不許可操作データを各ネットワーク毎に区分して記憶する不許可操作データ第１記憶手段と、それら不許可操作データを各ネットワーク毎に区分して出力する不許可操作データ第1出力手段とを有する。
【００１０】
本発明の他の一例としては、データ管理装置が、データ中継装置から取得したそれら不許可操作データを各ネットワーク構成機器毎に区分して記憶する不許可操作データ第２記憶手段と、それら不許可操作データを各ネットワーク構成機器毎に区分して出力する不許可操作データ第２出力手段とを有する。
【００１１】
本発明の他の一例としては、データ管理装置が、未登録機器のうち、特定の機器を未登録機器から除外する特定機器除外手段を有し、機器監視装置は、未登録機器から除外された特定機器がネットワークに接続された場合に、その特定機器を未登録機器として検出しない。
【００１２】
本発明の他の一例としては、データ管理装置が、機器監視装置からデータ中継装置に送信される未登録機器接続データの送信間隔を各ネットワーク毎に変更する送信間隔第１変更手段を有する。
【００１３】
本発明の他の一例としては、データ管理装置が、機器監視装置からデータ中継装置に送信される許可操作データおよび不許可操作データの送信間隔を各ネットワーク毎に変更する送信間隔第２変更手段を有する。
【００１４】
本発明の他の一例としては、データ管理装置が、機器監視装置から送信される未登録機器接続データと許可操作データと不許可操作データとの送信先をデータ中継装置のうちの一方から他方へ変更するデータ送信先変更手段を有する。
【００１５】
本発明の他の一例としては、データ管理装置が、データ中継装置の記憶容量を時系列に監視する記憶容量監視手段と、データ中継装置の記憶容量が許容範囲を超えた場合に、そのデータ中継装置の記憶容量超過を通知する記憶容量超過データを出力する記憶容量超過データ出力手段とを有する。
【００１６】
本発明の他の一例としては、機器データ管理システムが、ネットワークとデータ管理装置との間に設置されたファイアーウォールを含み、データ管理装置が、ファイアーウォールから送信された該ファイアーウォールのログデータを各ネットワーク毎に区分して記憶するログデータ記憶手段と、それらログデータを各ネットワーク毎に区分して出力するログデータ出力手段とを有する。
【００１７】
本発明の他の一例としては、ネットワーク構成機器に許可された操作がネットワーク構成機器に使用が許可された許可アプリケーションを該ネットワーク構成機器が使用する許可アプリケーション使用であり、許可操作データがネットワーク構成機器における許可アプリケーションの使用履歴データである。
【００１８】
本発明の他の一例としては、ネットワーク構成機器に許可された操作がネットワーク構成機器をそれらネットワーク構成機器が形成するネットワーク以外の外部環境で使用する外部使用であり、許可操作データがネットワーク構成機器を外部環境で使用した場合の外部使用履歴データである。
【００１９】
本発明の他の一例としては、ネットワーク構成機器に許可された操作がネットワーク構成機器を指定時間外で使用する指定時間外使用であり、許可操作データがネットワーク構成機器を指定時間外で使用した場合の指定時間外使用履歴データである。
【００２０】
本発明の他の一例としては、ネットワーク構成機器に許可された操作がネットワーク構成機器を介して電子メールを送信する電子メール送信であり、許可操作データがネットワーク構成機器から電子メールが送信された場合の電子メール送信履歴データである。
【００２１】
本発明の他の一例としては、ネットワーク構成機器に許可された操作がネットワーク構成機器を介して所定のＷｅｂサイトにアクセスするＷｅｂサイトアクセスであり、許可操作データが所定のＷｅｂサイトにネットワーク構成機器がアクセスした場合のＷｅｂサイトアクセス履歴データである。
【００２２】
本発明の他の一例としては、ネットワーク構成機器に許可された操作がネットワーク構成機器を介して所定の外部ネットワークにアクセスする外部ネットワークアクセスであり、許可操作データが所定の外部ネットワークにネットワーク構成機器がアクセスした場合の外部ネットワークアクセス履歴データである。
【００２３】
本発明の他の一例としては、ネットワーク構成機器に許可された操作が、許可アプリケーションをネットワーク構成機器にインストールするアプリケーションインストールと、許可アプリケーションをネットワーク構成機器からアンインストールするアプリケーションアンインストールとであり、許可操作データが、ネットワーク構成機器に許可アプリケーションがインストールされた場合のアプリケーションインストールデータと、ネットワーク構成機器から許可アプリケーションがアンインストールされた場合のアプリケーションアンインストールデータとである。
【００２４】
本発明の他の一例としては、ネットワーク構成機器における不許可操作が持ち出し禁止データをネットワーク構成機器から持ち出すデータ持ち出し操作であり、不許可操作データが持ち出し禁止データをネットワーク構成機器から持ち出そうとした場合の持ち出し行為履歴データである。
【００２５】
本発明の他の一例としては、ネットワーク構成機器における不許可操作がプリント禁止データをネットワーク構成機器からプリントするデータプリント操作であり、前記不許可操作データがプリント禁止データをネットワーク構成機器からプリントしようとした場合のプリント行為履歴データである。
【００２６】
本発明の他の一例としては、ネットワーク構成機器における不許可操作が使用が禁止された不許可アプリケーションにアクセスする不許可アプリケーションアクセス操作であり、不許可操作データが不許可アプリケーションにネットワーク構成機器がアクセスした場合の不許可アプリケーションアクセス履歴データである。
【００２７】
本発明の他の一例としては、データ管理装置が、許可アプリケーションの追加、変更、削除を行う許可アプリケーション改変手段と、不許可アプリケーションの追加、変更、削除を行う不許可アプリケーション改変手段とを有する。
【発明の効果】
【００２８】
本発明に係る機器データ管理システムによれば、操作データ管理アプリケーションを未インストールの未登録機器がネットワークに接続された場合、その未登録機器接続データが機器監視装置からデータ中継装置に送信され、データ管理装置がデータ中継装置から取得した未登録機器接続データを各ネットワーク毎に区分して管理するから、未登録機器のネットワークへの接続を各ネットワーク毎に一括して把握かつ監視することができる。機器データ管理システムは、ネットワークを形成するネットワーク構成機器以外の未登録機器が外部から持ち込まれ、それがネットワークに接続されたとしても、それを各ネットワーク毎に検出することができるから、ネットワークにおける未登録機器の無制限の接続を各ネットワーク毎に一括して規制することができる。この機器データ管理システムは、接続が不適格な未登録機器のネットワークへの接続を各ネットワーク毎に防ぐことができるとともに、ネットワークにおける各種データを未登録機器に格納して外部に持ち出す不正持ち出し行為を未然に防ぐことができる。
【００２９】
各ネットワークを形成するネットワーク構成機器の許可操作データを各ネットワーク毎に区分して管理する機器データ管理システムは、各ネットワークを形成するネットワーク構成機器の許可操作データをデータ管理装置が各ネットワーク毎に一元的かつ一括して管理することで、システムの管理者がデータ管理装置を介してネットワーク構成機器の許可操作の操作状況を各ネットワーク毎に把握かつ監視することができる。たとえば、複数のネットワーク構成機器が各支店単位でネットワークを形成している場合、各支店におけるネットワーク構成機器の許可操作データを本店管理部門に設置されたデータ管理装置が取得することで、ネットワーク構成機器の許可操作の操作状況を各支店単位で本社管理部門が把握かつ監視することができ、本社管理部門において各支店における許可操作を確実に管理することができる。
【００３０】
各ネットワークを形成するネットワーク構成機器の許可操作データを各ネットワーク構成機器毎に区分して管理する機器データ管理システムは、各ネットワークを形成するネットワーク構成機器の許可操作データをデータ管理装置が各ネットワーク構成機器毎に一元的かつ一括して管理することで、システムの管理者がデータ管理装置を介してネットワーク構成機器の許可操作の操作状況を各ネットワーク構成機器毎に把握かつ監視することができる。たとえば、複数のネットワーク構成機器が各支店単位でネットワークを形成している場合、各ネットワーク構成機器毎の許可操作データを本店管理部門に設置されたデータ管理装置が取得することで、ネットワーク構成機器の許可操作の操作状況を各ネットワーク構成機器単位で本社管理部門が把握かつ監視することができ、本社管理部門において各支店に設置された各ネットワーク構成機器の許可操作を確実に管理することができる。
【００３１】
各ネットワークを形成するネットワーク構成機器の不許可操作データを各ネットワーク毎に区分して管理する機器データ管理システムは、各ネットワークを形成するネットワーク構成機器の不許可操作データをデータ管理装置が各ネットワーク毎に一元的かつ一括して管理することで、システムの管理者がデータ管理装置を介してネットワーク構成機器の許可操作の操作状況を各ネットワーク毎に把握かつ監視することができ、不許可操作を各ネットワーク毎に規制することができる。たとえば、複数のネットワーク構成機器が各支店単位でネットワークを形成している場合、各支店におけるネットワーク構成機器の不許可操作データを本店管理部門に設置されたデータ管理装置が取得することで、ネットワーク構成機器の不許可操作の操作状況を各支店単位で本社管理部門が把握かつ監視することができ、本社管理部門において各支店における不許可操作を確実に規制することができる。
【００３２】
各ネットワークを形成するネットワーク構成機器の不許可操作データを各ネットワーク構成機器毎に区分して管理する機器データ管理システムは、各ネットワークを形成するネットワーク構成機器の不許可操作データをデータ管理装置が各ネットワーク構成機器毎に一元的かつ一括して管理することで、システムの管理者がデータ管理装置を介してネットワーク構成機器の不許可操作の操作状況を各ネットワーク構成機器毎に把握かつ監視することができる。たとえば、複数のネットワーク構成機器が各支店単位でネットワークを形成している場合、各ネットワーク構成機器毎の不許可操作データを本店管理部門に設置されたデータ管理装置が取得することで、ネットワーク構成機器の不許可操作の操作状況を各ネットワーク構成機器単位で本社管理部門が把握かつ監視することができ、本社管理部門において各支店に設置された各ネットワーク構成機器の不許可操作を確実に規制することができる。
【００３３】
未登録機器のうちの特定の機器を未登録機器から除外可能な機器データ管理システムは、操作データ送信アプリケーションを未インストールの未登録機器の中から特定の機器にネットワークへの接続の必要性が生じた場合、データ管理装置を介してその特定機器のネットワークへの接続を許可することができ、未登録機器のネットワークへの接続の必要性に容易かつ迅速に対応することができる。また、ネットワークへの接続が必要な特定機器が未登録機器として検出された場合、特定機器と未登録機器とを区別する手間を要するが、この機器データ管理システムは、特定機器がネットワークに接続された場合、その特定機器を未登録機器として検出しないから、特定機器と未登録機器とを区別する煩わしさを回避することができる。
【００３４】
機器監視装置からデータ中継装置に送信される未登録機器接続データの送信間隔を各ネットワーク毎に変更可能な機器データ管理システムは、データ管理装置を介して機器監視装置における未登録機器接続データの送信間隔を各ネットワーク毎に自由に設定、変更することができるから、各ネットワークの機器構成や機器数等のネットワーク構成条件に応じて各ネットワーク毎に異なる送信間隔を設定することができ、各ネットワーク毎に最適な送信間隔を設定することができる。
【００３５】
機器監視装置からデータ中継装置に送信される許可操作データおよび不許可操作データの送信間隔を各ネットワーク毎に変更可能な機器データ管理システムは、データ管理装置を介して機器監視装置における許可操作データおよび不許可操作データの送信間隔を各ネットワーク毎に自由に設定、変更することができるから、各ネットワークの機器構成や機器数等のネットワーク構成条件に応じて各ネットワーク毎に異なる送信間隔を設定することができ、各ネットワーク毎に最適な送信間隔を設定することができる。
【００３６】
機器監視装置から送信される未登録機器接続データと許可操作データと不許可操作データとの送信先をデータ中継装置のうちの一方から他方へ変更可能な機器データ管理システムは、各データ中継装置の記憶容量やデータ中継装置が受け持つネットワークの機器構成や機器数等のネットワーク構成条件に応じて適正なデータ中継装置を自由に選択することができ、データ中継装置における記憶容量の超過を未然に防ぐことができ、記憶容量が超過することによるデータ中継装置におけるそれらデータの受け取り拒否を防ぐことができる。
【００３７】
データ管理装置がデータ中継装置の記憶容量を時系列に管理する機器データ管理システムは、データ管理装置を介してデータ中継装置における記憶容量の超過を未然に防ぐことができ、記憶容量が超過することによるデータ中継装置における各データの受け取り拒否を防ぐことができる。
【００３８】
ファイアーウォールのログデータを各ネットワーク毎に区分して管理する機器データ管理システムは、各ネットワーク構成機器から発信された不適切データのログデータを各ネットワーク毎に管理することで、不適切データのシステムにおける流通を各ネットワーク毎に把握かつ監視することができ、不適切なデータのシステムにおける拡散を規制することができる。たとえば、複数のネットワーク構成機器が各支店単位でネットワークを形成している場合、それらネットワーク構成機器から発信された不適切なデータのログデータをファイアーウォールから本店管理部門に設置されたデータ管理装置に送信することで、ネットワーク構成機器から発信された不適切なデータを各支店単位で本社管理部門が把握かつ監視することができ、本社管理部門において各支店から発信された不適切なデータの拡散を規制することができる。
【００３９】
許可操作データがネットワーク構成機器における許可アプリケーションの使用履歴データである機器データ管理システムは、ネットワーク構成機器における許可アプリケーションの使用履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎におけるアプリケーションの使用状況を把握かつ監視することができ、ネットワーク構成機器における許可アプリケーションの無制限の使用を規制することができる。
【００４０】
許可操作データがネットワーク構成機器を外部環境で使用した場合の外部使用履歴データである機器データ管理システムは、ネットワーク構成機器の外部使用履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎におけるネットワーク構成機器の外部使用状況を把握かつ監視することができ、ネットワークのユーザによる重要データや秘密保持データ等の無断持ち出しや改竄、破壊等の不正行為を規制することができる。この機器データ管理システムは、システムの管理者が外部使用履歴データを利用して各種データの流通経路や流出経路、各種データの流入経路を正確に把握することができから、ネットワークのユーザによる不正行為を規制することができ、安全なネットワークを確実に構築することができる。
【００４１】
許可操作データがネットワーク構成機器を指定時間外で使用した場合の指定時間外使用履歴データである機器データ管理システムは、ネットワーク構成機器の指定時間外使用履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎におけるネットワーク構成機器の指定時間外使用状況を把握かつ監視することができ、ネットワークのユーザによる重要データや秘密保持データ等の無断持ち出しや改竄、破壊等の不正行為を規制することができる。この機器データ管理システムは、システムの管理者が指定時間外使用履歴データを利用して各種データの流通経路や流出経路、各種データの流入経路を正確に把握することができから、ネットワークのユーザによる不正行為を規制することができ、安全なネットワークを確実に構築することができる。
【００４２】
許可操作データがネットワーク構成機器から電子メールが送信された場合の電子メール送信履歴データである機器データ管理システムは、ネットワーク構成機器の電子メール送信履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎におけるネットワーク構成機器の電子メール送信状況を把握かつ監視することができ、ネットワークのユーザによる重要データや秘密保持データ等の無断送信や不正送信を規制することができる。この機器データ管理システムは、システムの管理者が電子メール送信履歴データを利用して各種データの無断送信や不正送信を正確に把握することができるから、ネットワークのユーザによる不正行為を規制することができ、安全なネットワークを確実に構築することができる。
【００４３】
許可操作データが所定のＷｅｂサイトにネットワーク構成機器がアクセスした場合のＷｅｂサイトアクセス履歴データである機器データ管理システムは、ネットワーク構成機器のＷｅｂサイトアクセス履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎におけるネットワーク構成機器のＷｅｂサイトアクセス状況を把握かつ監視することができ、ネットワークのユーザによる不適切なＷｅｂサイトへのアクセス行為を規制することができる。この機器データ管理システムは、システムの管理者がＷｅｂサイトアクセス履歴データを利用して不適切なＷｅｂサイトへのアクセス行為を正確に把握することができるから、ネットワークのユーザによる不正行為を規制することができ、安全なネットワークを確実に構築することができる。
【００４４】
許可操作データが所定の外部ネットワークにネットワーク構成機器がアクセスした場合の外部ネットワークアクセス履歴データである機器データ管理システムは、ネットワーク構成機器の外部ネットワークアクセス履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎におけるネットワーク構成機器の外部ネットワークアクセス状況を把握かつ監視することができ、ネットワークのユーザによる不適切な外部ネットワークへのアクセス行為を規制することができる。この機器データ管理システムは、システムの管理者が外部ネットワークアクセス履歴データを利用して不適切な外部ネットワークへのアクセス行為を正確に把握することができるから、ネットワークのユーザによる不正行為を規制することができ、安全なネットワークを確実に構築することができる。
【００４５】
許可操作データが構成機器に許可アプリケーションがインストールされた場合のアプリケーションインストールデータや構成機器から許可アプリケーションがアンインストールされた場合のアプリケーションアンインストールデータである機器管理システムは、ネットワーク構成機器における許可アプリケーションのインストールデータやアンインストールデータをデータ管理装置が各ネットワーク毎または各ネットワーク構成機器毎に一元的かつ一括して管理することで、システムの管理者がデータ管理装置を介して各ネットワーク毎または各ネットワーク構成機器毎におけるアプリケーションのインストール状況やアンインストール状況を把握かつ監視することができ、ネットワーク構成機器における不要なアプリケーションのインストール行為を規制することができるとともに、ネットワーク構成機器におけるアプリケーションの無許可アンインストール行為を規制することができる。
【００４６】
不許可操作データが持ち出し禁止データをネットワーク構成機器から持ち出そうとした場合の持ち出し行為履歴データである機器データ管理システムは、ネットワーク構成機器における持ち出し行為履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎における持ち出し禁止データの持ち出し行為を把握かつ監視することができ、ネットワークのユーザによる持ち出し禁止データの持ち出し行為を規制することができる。この機器データ管理システムは、システムの管理者が持ち出し行為履歴データを利用して持ち出し禁止データの持ち出し行為を正確に把握することができるから、ネットワークのユーザによる不正行為を規制することができ、安全なネットワークを確実に構築することができる。
【００４７】
不許可操作データがプリント禁止データをネットワーク構成機器からプリントしようとした場合のプリント行為履歴データである機器データ管理システムは、ネットワーク構成機器におけるプリント行為履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎におけるプリント禁止データのプリント行為を把握かつ監視することができ、ネットワークのユーザによるプリント禁止データのプリント行為を規制することができる。この機器データ管理システムは、システムの管理者がプリント行為履歴データを利用してプリント禁止データのプリント行為を正確に把握することができるから、ネットワークのユーザによる不正行為を規制することができ、安全なネットワークを確実に構築することができる。
【００４８】
不許可操作データが不許可アプリケーションにネットワーク構成機器がアクセスした場合の不許可アプリケーションアクセス履歴データである機器データ管理システムは、ネットワーク構成機器における不許可アプリケーションアクセス履歴データをデータ管理装置が各ネットワーク毎または各ネットワーク構成機器毎に一元的かつ一括して管理することで、システムの管理者がデータ管理装置を介して各ネットワーク毎または各ネットワーク構成機器毎における不許可アプリケーションへのアクセス行為を把握かつ監視することができ、ネットワークのユーザによる不許可アプリケーションへのアクセス行為を規制することができる。この機器データ管理システムは、システムの管理者が不許可アプリケーションアクセス履歴データを利用して不許可アプリケーションへのアクセス行為を正確に把握することができるから、ネットワークのユーザによる不正行為を規制することができ、安全なネットワークを確実に構築することができる。
【００４９】
許可アプリケーションを改変可能かつ不許可アプリケーションを改変可能な機器データ管理システムは、必要に応じて許可アプリケーションを自由に改変することができるから、新たに使用許可となったアプリケーションを追加してネットワーク構成機器にそのアプリケーションの使用を許可することができ、使用不許可となったアプリケーションを許可アプリケーションから不許可アプリケーションに変更してネットワーク構成機器にそのアプリケーションの使用を禁止することができる。さらに、許可アプリケーションの中から不必要なそれを削除して許可アプリケーションを整理することができる。この機器データ管理システムは、必要に応じて不許可アプリケーションを自由に改変することができるから、当分の間、使用しないアプリケーションを不許可アプリケーションとして追加し、そのアプリケーションを使用する必要が生じたときに、そのアプリケーションを不許可アプリケーションから許可アプリケーションに変更してネットワーク構成機器にそのアプリケーションの使用を許可することができる。さらに、不許可アプリケーションの中から不必要なそれを削除して不許可アプリケーションを整理することができる。
【発明を実施するための最良の形態】
【００５０】
添付の図面を参照し、本発明に係る機器データ管理システムの詳細を説明すると、以下のとおりである。図１は、一例として示す機器データ管理システム１０の構成図であり、図２は、未登録コンピュータ２１（未登録機器）と特定コンピュータ２２（特定機器）とが接続（ログイン）されたネットワーク１６Ａ〜１６Ｄの図である。図２では、未登録コンピュータ２１のネットワーク１６Ａ〜１６Ｄへの接続を二点鎖線で示し、特定コンピュータ２２のネットワーク１６Ａ〜１６Ｄへの接続を一点鎖線で示す。
【００５１】
機器データ管理システム１０は、各ユーザが管理保管する複数のユーザコンピュータ１１Ａ〜１１Ｃ，１２Ａ〜１２Ｃ，１３Ａ〜１３Ｃ，１４Ａ〜１４Ｃ（ネットワーク構成機器）およびそれらユーザコンピュータ１１Ａ〜１１Ｃ，１２Ａ〜１２Ｃ，１３Ａ〜１３Ｃ，１４Ａ〜１４Ｃを時系列に監視する機器監視サーバ１５Ａ〜１５Ｄ（機器監視装置）から形成された複数のネットワーク１６Ａ〜１６Ｄと、各ネットワーク１６Ａ〜１６Ｄを形成する各機器監視サーバ１５Ａ〜１５Ｄから送信された各種複数のデータを一時的に保持するデータ中継サーバ１７Ａ，１７Ｂ（データ中継装置）と、データ中継サーバ１７Ａ，１７Ｂからそこに格納された各種複数のデータを取得するデータ管理コンピュータ１８（データ管理装置）とから構成されている。データ中継サーバ１７Ａ，１７Ｂとデータ管理コンピュータ１８との間には、ファイアーウォール１９が設置されている。
【００５２】
それら機器監視サーバ１５Ａ〜１５Ｄサーバ１５Ａ〜１５Ｄのうちのサーバ１５Ａ，１５Ｂは、インターネット２０を介してデータ中継サーバ１７Ａ，１７Ｂに接続される。それら機器監視サーバ１５Ａ〜１５Ｄサーバ１５Ａ〜１５Ｄのうちのサーバ１５Ｃ，１５Ｄは、インターフェイス（有線または無線）を介してデータ中継サーバ１７Ａ，１７Ｂに接続されている。各ネットワーク１６Ａ〜１６Ｄには、図２に示すように、未登録コンピュータ２１が接続（ログイン）される場合があり、未登録コンピュータ２１から除外された特定コンピュータ２２が接続（ログイン）される場合がある。なお、図１では、４つのネットワーク１６Ａ〜１６Ｄを図示しているが、ネットワークの数に特に限定はない。また、各ネットワーク１６Ａ〜１６Ｄに３つのユーザコンピュータ１１Ａ〜１１Ｃ，１２Ａ〜１２Ｃ，１３Ａ〜１３Ｃ，１４Ａ〜１４Ｃを図示しているが、ユーザコンピュータの数に特に限定はなく、１つのファイアーウォール１９を図示しているが、ファイアーウォールの数に特に限定はない。図２では、１つの未登録コンピュータ２１と１つの特定コンピュータ２２とを図示しているが、それらコンピュータの数に特に限定はない。
【００５３】
それらネットワーク１６Ａ〜１６Ｄには、図示はしていないが、ホスト名とそのホスト名に割り当てるＩＰアドレスとの対応付けを設定するＤＮＳサーバ、ホームページを公開するために必要なＷｅｂサーバ、他のユーザコンピュータや他のサーバからの要求を受け付けて各種データを読み書きする機能を提供するデータベースサーバ、電子メールの送受信用のメールサーバ、作成された文章や画像等のデータをすべて保存してそれらのデータを検索可能にするドキュメントサーバ等のサーバ群が接続されている。なお、このシステム１０は、バス型ネットワークやスター型ネットワーク、ピア・ツー・ピア型ネットワーク、リング型ネットワーク等の既存のネットワーク結合方法のすべてに対応することができる。
【００５４】
ユーザコンピュータ１１Ａ〜１１Ｃ，１２Ａ〜１２Ｃ，１３Ａ〜１３Ｃ，１４Ａ〜１４Ｃは、中央処理部とメモリとを有し、大容量ハードディスクを搭載している。それらコンピュータ１１Ａ〜１１Ｃ，１２Ａ〜１２Ｃ，１３Ａ〜１３Ｃ，１４Ａ〜１４Ｃには、図示はしていないが、プリンタ、スキャナ、外付けハードディスクがインターフェイスを介して接続されている。それらコンピュータ１１Ａ〜１１Ｃ，１２Ａ〜１２Ｃ，１３Ａ〜１３Ｃ，１４Ａ〜１４ＣにはメモリスティックやＩＣレコーダ、ＰＤＡ、携帯電話等の既存のリムーバブルディスクを着脱可能に接続することができ、コンピュータ１１Ａ〜１１Ｃ，１２Ａ〜１２Ｃ，１３Ａ〜１３Ｃ，１４Ａ〜１４Ｃとそれらリムーバブルディスクとの間で各種データを交換することができる。各ユーザコンピュータ１１Ａ〜１１Ｃ，１２Ａ〜１２Ｃ，１３Ａ〜１３Ｃ，１４Ａ〜１４Ｃは、電子メールの送受信機能を有する。各ユーザコンピュータ１１Ａ〜１１Ｃ，１２Ａ〜１２Ｃ，１３Ａ〜１３Ｃ，１４Ａ〜１４Ｃは、所定のＷｅｂサイトにアクセスしてそのサイトにログインすることができ、所定の外部ネットワークにアクセスしてそのネットワークにログインすることができる。
【００５５】
ユーザコンピュータ１１Ａ〜１１Ｃ，１２Ａ〜１２Ｃ，１３Ａ〜１３Ｃ，１４Ａ〜１４Ｃには、それに許可された操作をコンピュータ１１Ａ〜１１Ｃ，１２Ａ〜１２Ｃ，１３Ａ〜１３Ｃ，１４Ａ〜１４Ｃが実行した場合の許可操作データをコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信させるとともに、許可された操作以外の不許可操作をコンピュータ１１Ａ〜１１Ｃ，１２Ａ〜１２Ｃ，１３Ａ〜１３Ｃ，１４Ａ〜１４Ｃが実行しようとした場合の不許可操作データをコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信させる操作データ管理アプリケーション（エージェントアプリケーション）がインストールされている。操作データ管理アプリケーションは、コンピュータ１１Ａ〜１１Ｃ，１２Ａ〜１２Ｃ，１３Ａ〜１３Ｃ，１４Ａ〜１４Ｃのみならず、機器監視サーバ１５Ａ〜１５Ｄにもインストールされ、機器監視サーバ１５Ａ〜１５Ｄに後記する各手段を実行させる。なお、未登録コンピュータ２１や特定コンピュータ２２には、操作データ管理アプリケーションはインストールされていない。
【００５６】
機器監視サーバ１５Ａ〜１５Ｄは、中央処理部とメモリとを有するコンピュータであり、大容量ハードディスクを搭載している。機器監視サーバ１５Ａ〜１５Ｄには、図示はしていないが、ディスプレイやキーボード、プリンタ、スキャナ、外付けハードディスクがインターフェイスを介して接続されている。機器監視サーバ１５Ａ〜１５Ｄは、未登録コンピュータ２１や特定コンピュータ２２のネットワーク１６Ａ〜１６Ｄへの接続を時系列かつエンドレスに監視するとともに、各ネットワーク１６Ａ〜１６Ｄにログインしたユーザコンピュータ１１Ａ〜１１Ｃ，１２Ａ〜１２Ｃ，１３Ａ〜１３Ｃ，１４Ａ〜１４Ｃの利用状況や操作状況を時系列かつエンドレスに監視する。さらに、機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃにインストールするアプリケーションの管理、ユーザコンピュータ１１Ａ〜１１Ｃ，１２Ａ〜１２Ｃ，１３Ａ〜１３Ｃ，１４Ａ〜１４Ｃからアンインストールするアプリケーションの管理、ユーザコンピュータ１１Ａ〜１１Ｃ，１２Ａ〜１２Ｃ，１３Ａ〜１３Ｃ，１４Ａ〜１４Ｃの使用時間管理、ユーザコンピュータ１１Ａ〜１１Ｃ，１２Ａ〜１２Ｃ，１３Ａ〜１３Ｃ，１４Ａ〜１４Ｃにおけるデータプリントの管理、ユーザコンピュータ１１Ａ〜１１Ｃ，１２Ａ〜１２Ｃ，１３Ａ〜１３Ｃ，１４Ａ〜１４Ｃおけるファイルアクセスの管理等を行う。機器監視サーバ１５Ａ〜１５Ｄは、データ管理コンピュータ１８から送信された各種指令を所定の間隔でデータ中継サーバ１７Ａ，１７Ｂに取りに行き、取得したそれら指令に従う。機器監視サーバ１５Ａ〜１５Ｄは、オペレーティングシステムによる制御に基づいて、メモリの命令ファイルに格納された機器データ管理アプリケーションを起動し、起動したアプリケーションに従って以下の各手段を実行する。
【００５７】
（ネットワーク構成監視）
機器監視サーバ１５Ａ〜１５Ｄは、ネットワーク１６Ａ〜１６Ｄにおけるネットワーク構成を時系列かつエンドレスに監視する。ネットワーク構成の各種データには、各ネットワーク１６Ａ〜１６Ｄを形成するハードウェアデータ、ハードウェアのネットワークトポロジデータ、ユーザコンピュータ１１Ａ〜１１Ｃ，１２Ａ〜１２Ｃ，１３Ａ〜１３Ｃ，１４Ａ〜１４Ｃのハードウェアデータ、ユーザコンピュータ１１Ａ〜１１Ｃ，１２Ａ〜１２Ｃ，１３Ａ〜１３Ｃ，１４Ａ〜１４Ｃにインストールされたアプリケーションデータ等がある。機器監視サーバ１５Ａ〜１５Ｄは、それらのネットワーク構成データをデータ確定日時とともにハードディスクに格納する（ネットワーク構成データ収集手段）。なお、ハードウェアやネットワークトポロジ、アプリケーション等の変更が行われると、機器監視サーバ１５Ａ〜１５Ｄは、ハードディスクに格納されたネットワーク構成データを書き換え、変更後の最新データと書き換え日時とをハードディスクに格納する。ただし、書き換えられる以前のネットワーク構成データは消去されることなく、機器監視サーバ１５Ａ〜１５Ｄのハードディスクに格納される。
【００５８】
機器監視サーバ１５Ａ〜１５Ｄは、ネットワーク構成データにそのデータを各ネットワーク１６Ａ〜１６Ｄ毎に区分して識別するためのネットワーク識別データ（ネットワーク名，ネットワーク識別番号等）を添付するとともに、ネットワーク構成データに各ユーザコンピュータ１１Ａ〜１１Ｃ，１２Ａ〜１２Ｃ，１３Ａ〜１３Ｃ，１４Ａ〜１４Ｃを識別するためのユーザコンピュータ識別データ（コンピュータ名，ワークグループ／ドメイン，ＭＡＣアドレス，ＩＰアドレス，ユーザコンピュータ識別番号等）を添付する。機器監視サーバ１５Ａ〜１５Ｄは、ネットワークデータやネットワーク識別データ、ユーザコンピュータ識別データ、データ確定日時を暗号化し（ネットワーク構成データ暗号化手段）、暗号化したネットワーク構成データ、ネットワーク識別データ、ユーザコンピュータ識別データ、データ確定日時を定期的にデータ中継サーバに送信する（ネットワーク構成データ送信手段）。
【００５９】
（未登録コンピュータ検出）
機器監視サーバ１５Ａ〜１５Ｄは、未登録コンピュータ２１のネットワーク１６Ａ〜１６Ｄへの接続を時系列かつエンドレスに監視する。機器監視サーバ１５Ａ〜１５Ｄは、図２に二点鎖線で示すように、操作データ管理アプリケーションを未インストールの未登録コンピュータ２１がネットワーク１６Ａ〜１６Ｄに接続された場合、その未登録コンピュータ２１のネットワーク１６Ａ〜１６Ｄへの接続を検出するとともに（未登録機器検出手段）、未登録コンピュータ２１の未登録コンピュータ接続データを時系列に収集し、収集した未登録コンピュータ接続データをハードディスクに格納する（未登録機器接続データ収集手段）。機器監視サーバ１５Ａ〜１５Ｄは、未登録コンピュータ接続データにそのデータを各ネットワーク１６Ａ〜１６Ｄ毎に区分して識別するためのネットワーク識別データを添付し、未登録コンピュータ接続データやネットワーク識別データを暗号化し（未登録機器接続データ暗号化手段）、暗号化した未登録コンピュータ接続データやネットワーク識別データを定期的にデータ中継サーバに送信する（未登録機器接続データ送信手段）。
【００６０】
機器監視サーバ１５Ａ〜１５Ｄのメモリには、ユーザコンピュータ１１Ａ〜１１Ｃ，１２Ａ〜１２Ｃ，１３Ａ〜１３Ｃ，１４Ａ〜１４Ｃのユーザコンピュータ識別データ（コンピュータ名，ワークグループ／ドメイン，ＭＡＣアドレス，ＩＰアドレス，ユーザコンピュータ識別番号等）と特定コンピュータ識別データ（コンピュータ名，ワークグループ／ドメイン，ＭＡＣアドレス，ＩＰアドレス，特定コンピュータ識別番号等）とがあらかじめ格納されている。機器監視サーバ１５Ａ〜１５Ｄは、ネットワーク１６Ａ〜１６Ｄにあらたにコンピュータが接続されると、接続されたコンピュータのコンピュータ識別データ（コンピュータ名，ワークグループ／ドメイン，ＭＡＣアドレス，ＩＰアドレス，ユーザコンピュータ識別番号等）を検出し、検出したコンピュータ識別データとメモリに格納されたユーザコンピュータ識別データとを比較する。それらデータを比較した結果、検出したコンピュータ識別データとメモリに格納されたユーザコンピュータ識別データとが一致すると、機器監視サーバ１５Ａ〜１５Ｄは、接続されたコンピュータが未登録のそれではなく、ユーザコンピュータ１１Ａ〜１１Ｃ，１２Ａ〜１２Ｃ，１３Ａ〜１３Ｃ，１４Ａ〜１４Ｃであると判断し、そのコンピュータをネットワーク１６Ａ〜１６Ｄにログインさせる。逆に、それらデータを比較した結果、検出したコンピュータ識別データとメモリに格納されたユーザコンピュータ識別データとが不一致の場合、機器監視サーバ１５Ａ〜１５Ｄは、接続されたコンピュータが未登録コンピュータ２１であると判断し、未登録コンピュータ接続データをハードディスクに格納するとともに、暗号化した未登録コンピュータ接続データをデータ中継サーバ１７Ａ，１７Ｂに送信する。
【００６１】
また、機器監視サーバ１５Ａ〜１５Ｄは、図２に一点鎖線で示すように、特定コンピュータ２２がネットワーク１６Ａ〜１６Ｄに接続された場合、接続された特定コンピュータ２２の特定コンピュータ識別データ（コンピュータ名，ワークグループ／ドメイン，ＭＡＣアドレス，ＩＰアドレス，特定コンピュータ識別番号等）を検出し、検出した特定コンピュータ識別データとメモリに格納された特定コンピュータ識別データ（コンピュータ名，ワークグループ／ドメイン，ＭＡＣアドレス，ＩＰアドレス，特定コンピュータ識別番号等）とを比較する。それらデータを比較した結果、検出した特定コンピュータ識別データとメモリに格納された特定コンピュータ識別データとが一致すると、機器監視サーバ１５Ａ〜１５Ｄは、接続されたコンピュータを特定コンピュータ２２と判断し、そのコンピュータを未登録コンピュータとして検出しない。
【００６２】
（使用履歴監視）
機器監視サーバ１５Ａ〜１５Ｄは、ネットワーク１６Ａ〜１６Ｄにログインしたユーザコンピュータ１１Ａ〜１１Ｃ，１２Ａ〜１２Ｃ，１３Ａ〜１３Ｃ，１４Ａ〜１４Ｃのアプリケーション使用状況を時系列かつエンドレスに監視する。機器監視サーバ１５Ａ〜１５Ｄは、各ユーザコンピュータ１１Ａ〜１１Ｃ，１２Ａ〜１２Ｃ，１３Ａ〜１３Ｃ，１４Ａ〜１４Ｃがアプリケーションを使用すると、そのアプリケーションの使用履歴データをユーザコンピュータ１１Ａ〜１１Ｃ，１２Ａ〜１２Ｃ，１３Ａ〜１３Ｃ，１４Ａ〜１４Ｃから収集し、収集した使用履歴データを格納する（使用履歴データ収集手段（許可操作データ収集手段））。ユーザコンピュータ１１Ａ〜１１Ｃ，１２Ａ〜１２Ｃ，１３Ａ〜１３Ｃ，１４Ａ〜１４Ｃがそれにインストールされたアプリケーションを起動し、そのアプリケーションを使用すると、そのアプリケーションの使用履歴データがユーザコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）され、使用履歴データが機器監視サーバ１５Ａ〜１５Ｄのハードディスクに時系列に格納される。
【００６３】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取った使用履歴データにそのデータを各ネットワーク１６Ａ〜１６Ｄ毎に区分して識別するためのネットワーク識別データを添付するとともに、使用履歴データにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、使用履歴データやネットワーク識別データ、ユーザコンピュータ識別データを暗号化し（使用履歴データ暗号化手段）、暗号化した使用履歴データ、ネットワーク識別データ、ユーザコンピュータ識別データを定期的にデータ中継サーバ１１７Ａ，１７Ｂに送信する（使用履歴データ送信手段（許可操作データ送信手段））。
【００６４】
（アクセス履歴監視）
機器監視サーバ１５Ａ〜１５Ｄは、ネットワーク１６Ａ〜１６Ｄにログインしたユーザコンピュータ１１Ａ〜１１Ｃ，１２Ａ〜１２Ｃ，１３Ａ〜１３Ｃ，１４Ａ〜１４Ｃの不許可アプリケーションへのアクセス状況を時系列かつエンドレスに監視する。機器監視サーバ１５Ａ〜１５Ｄは、不許可アプリケーションのユーザコンピュータ１１Ａ〜１１Ｃ，１２Ａ〜１２Ｃ，１３Ａ〜１３Ｃ，１４Ａ〜１４Ｃへのインストール行為が行われると、不許可アプリケーションへのアクセス履歴データをそのコンピュータから収集し、収集したアクセス履歴データを格納する（アクセス履歴データ収集手段（不許可操作データ収集手段））。ユーザコンピュータ１１Ａ〜１１Ｃ，１２Ａ〜１２Ｃ，１３Ａ〜１３Ｃ，１４Ａ〜１４Ｃが所定のアプリケーションのインストールを開始すると、そのアプリケーションを特定するアプリケーション識別データ（アプリケーション名，アプリケーション識別番号等）がコンピュータから機器監視サーバ１５Ａ〜１５Ｄに出力される。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから出力されたアプリケーション識別データとメモリに格納された許可アプリケーション識別データ（アプリケーション名，許可アプリケーション識別番号等）、不許可アプリケーション識別データ（アプリケーション名，不許可アプリケーション識別番号等）とを比較する。アプリケーション識別データが不許可アプリケーション識別データ（インストール不可）である場合、機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃにそのアプリケーションのインストール不許可を出力する。ユーザコンピュータ１１Ａ〜１１Ｃ，１２Ａ〜１２Ｃ，１３Ａ〜１３Ｃ，１４Ａ〜１４Ｃがインストール不許可を受け取ると、そのアクセス履歴データがコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）され、アクセス履歴データが機器監視サーバ１５Ａ〜１５Ｄのハードディスクに時系列に格納される。
【００６５】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取ったアクセス履歴データにそのデータを各ネットワーク１６Ａ〜１６Ｄ毎に区分して識別するためのネットワーク識別データを添付するとともに、アクセス履歴データにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、アクセス履歴データやネットワーク識別データ、ユーザコンピュータ識別データを暗号化し（アクセス履歴データ暗号化手段）、暗号化したアクセス履歴データ、ネットワーク識別データ、ユーザコンピュータ識別データを定期的にデータ中継サーバ１７Ａ，１７Ｂに送信する（アクセス履歴データ送信手段（不許可操作データ送信手段））。
【００６６】
（インストール監視）
機器監視サーバ１５Ａ〜１５Ｄは、ネットワーク１６Ａ〜１６Ｄにログインしたユーザコンピュータ１１Ａ〜１１Ｃ，１２Ａ〜１２Ｃ，１３Ａ〜１３Ｃ，１４Ａ〜１４Ｃのアプリケーションのインストール状況を時系列かつエンドレスに監視する。機器監視サーバ１５Ａ〜１５Ｄは、許可アプリケーションのユーザコンピュータ１１Ａ〜１１Ｃ，１２Ａ〜１２Ｃ，１３Ａ〜１３Ｃ，１４Ａ〜１４Ｃへのインストールが行われると、アプリケーションのインストールデータをそのコンピュータから収集し、収集したインストールデータを格納する（インストールデータ収集手段（許可操作データ収集手段））。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから送信（出力）されたアプリケーション識別データとハードディスクに格納された許可アプリケーション識別データ、不許可アプリケーション識別データとを比較する。アプリケーション識別データが許可アプリケーション識別データ（インストール可）である場合、機器監視サーバ１５Ａ〜１５Ｄは、そのアプリケーションをコンピュータ１１Ａ〜１１Ｃ，１２Ａ〜１２Ｃ，１３Ａ〜１３Ｃ，１４Ａ〜１４Ｃにインストールする。アプリケーションのインストールが完了すると、インストールデータがユーザコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）され、インストールデータが機器監視サーバ１５Ａ〜１５Ｄのハードディスクに時系列に格納される。
【００６７】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取ったインストールデータにそのデータを各ネットワーク１６Ａ〜１６Ｄ毎に区分して識別するためのネットワーク識別データを添付するとともに、インストールデータにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、インストールデータやネットワーク識別データ、ユーザコンピュータ識別データを暗号化し（インストールデータ暗号化手段）、暗号化したインストールデータ、ネットワーク識別データ、ユーザコンピュータ識別データを定期的にデータ中継サーバ１７Ａ，１７Ｂに送信する（インストールデータ送信手段（許可操作データ送信手段））。
【００６８】
（アンインストール監視）
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃからのアプリケーションのアンインストールを時系列かつエンドレスに監視する。機器監視サーバ１５Ａ〜１５Ｄは、アプリケーションのユーザコンピュータ１１Ａ〜１１Ｃ，１２Ａ〜１２Ｃ，１３Ａ〜１３Ｃ，１４Ａ〜１４Ｃからのアンインストールが行われると、アプリケーションのアンインストールデータをそのコンピュータから収集し、収集したアンインストールデータを格納する（アンインストールデータ収集手段（許可操作データ収集手段））。ユーザコンピュータ１１Ａ〜１１Ｃ，１２Ａ〜１２Ｃ，１３Ａ〜１３Ｃ，１４Ａ〜１４Ｃが所定のアプリケーションのアンインストールを開始すると、そのアプリケーションを特定するアプリケーション識別データ（アプリケーション名，アプリケーション識別番号等）がコンピュータから機器監視サーバ１５Ａ〜１５Ｄに送信（出力）される。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから出力されたアプリケーション識別データとハードディスクに格納されたアンインストール可アプリケーション識別データ（アプリケーション名，許可アプリケーション識別番号等）、アンインストール不可アプリケーション識別データ（アプリケーション名，不許可アプリケーション識別番号等）とを比較する。アプリケーション識別データがアンインストール可アプリケーション識別データ（アンインストール可）である場合、機器監視サーバ１５Ａ〜１５Ｄは、そのアプリケーションをコンピュータ１１Ａ〜１１Ｃ，１２Ａ〜１２Ｃ，１３Ａ〜１３Ｃ，１４Ａ〜１４Ｃからアンインストールする。アプリケーションのアンインストールが完了すると、アンインストールデータがユーザコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）され、アンインストールデータが機器監視サーバ１５Ａ〜１５Ｄのハードディスクに時系列に格納される。
【００６９】
また、アプリケーション識別データがアンインストール不可アプリケーション識別データ（アンインストール不可）である場合、機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃにそのアプリケーションのアンインストール不許可を出力する。ユーザコンピュータ１１Ａ〜１１Ｃ，１２Ａ〜１２Ｃ，１３Ａ〜１３Ｃ，１４Ａ〜１４Ｃがアンインストール不許可を受け取ると、そのアンインストールデータがコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）され、アンインストールデータが機器監視サーバ１５Ａ〜１５Ｄのハードディスクに時系列に格納される。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取ったアンインストールデータにそのデータを各ネットワーク１６Ａ〜１６Ｄ毎に区分して識別するためのネットワーク識別データを添付するとともに、アンインストールデータにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、アンインストールデータやネットワーク識別データ、ユーザコンピュータ識別データを暗号化し（アンインストールデータ暗号化手段）、暗号化したアンインストールデータ、ネットワーク識別データ、ユーザコンピュータ識別データを定期的にデータ中継サーバ１７Ａ，１７Ｂに送信する（アンインストールデータ送信手段（許可操作データ送信手段））。
【００７０】
（プリント履歴監視）
機器監視サーバ１５Ａ〜１５Ｄは、ネットワーク１６Ａ〜１６Ｄにログインしたユーザコンピュータ１１Ａ〜１１Ｃ，１２Ａ〜１２Ｃ，１３Ａ〜１３Ｃ，１４Ａ〜１４Ｃのプリント状況を時系列かつエンドレスに監視する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃからデータがプリントされると、プリント履歴データをそのコンピュータから収集し、収集したプリント履歴データを格納する（プリント履歴データ収集手段（許可操作データ収集手段））。ユーザコンピュータ１１Ａ〜１１Ｃ，１２Ａ〜１２Ｃ，１３Ａ〜１３Ｃ，１４Ａ〜１４Ｃがそれに接続されたプリンタによって所定のデータをプリントすると、そのプリント履歴データがコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）され、プリント履歴データが機器監視サーバ１５Ａ〜１５Ｄのハードディスクに時系列に格納される。
【００７１】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取ったプリント履歴データにそのデータを各ネットワーク１６Ａ〜１６Ｄ毎に区分して識別するためのネットワーク識別データを添付するとともに、プリント履歴データにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、プリント履歴データやネットワーク識別データ、ユーザコンピュータ識別データを暗号化し（プリント履歴データ暗号化手段）、暗号化したプリント履歴データ、ネットワーク識別データ、ユーザコンピュータ識別データを定期的にデータ中継サーバ１７Ａ，１７Ｂに送信する（プリント履歴データ送信手段（許可操作データ送信手段））。
【００７２】
（ファイルアクセス監視）
機器監視サーバ１５Ａ〜１５Ｄは、ネットワーク１６Ａ〜１６Ｄにログインしたユーザコンピュータ１１Ａ〜１１Ｃ，１２Ａ〜１２Ｃ，１３Ａ〜１３Ｃ，１４Ａ〜１４Ｃのファイルアクセス状況を時系列かつエンドレスに監視する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃが所定のファイルにアクセスすると、ファイルアクセスデータをそのコンピュータから時系列に収集し、収集したファイルアクセスデータを格納する（ファイルアクセスデータ収集手段（許可操作データ収集手段））。ユーザコンピュータ１１Ａ〜１１Ｃ，１２Ａ〜１２Ｃ，１３Ａ〜１３Ｃ，１４Ａ〜１４Ｃがメモリや外付けハードディスク等に格納されたファイルにアクセスすると、そのファイルアクセスデータがコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）され、ファイルアクセスデータが機器監視サーバ１５Ａ〜１５Ｄのハードディスクに時系列に格納される。
【００７３】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取ったファイルアクセスデータにそのデータを各ネットワーク１６Ａ〜１６Ｄ毎に区分して識別するためのネットワーク識別データを添付するとともに、ファイルアクセスデータにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、ファイルアクセスデータやネットワーク識別データ、ユーザコンピュータ識別データを暗号化し（ファイルアクセスデータ暗号化手段）、暗号化したファイルアクセスデータ、ネットワーク識別データ、ユーザコンピュータ識別データを定期的にデータ中継サーバ１７Ａ，１７Ｂに送信する（ファイルアクセスデータ送信手段（許可操作データ送信手段））。
【００７４】
（外部使用履歴監視）
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃのネットワーク１６Ａ〜１６Ｄ以外での使用を時系列かつエンドレスに監視する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃによって形成されたネットワーク１６Ａ〜１６Ｄ以外の外部環境でコンピュータが使用された場合、その外部使用履歴データを収集し、収集した外部使用履歴データを格納する（外部使用履歴データ収集手段（許可操作データ収集手段））。ユーザコンピュータ１１Ａ〜１１Ｃ，１２Ａ〜１２Ｃ，１３Ａ〜１３Ｃ，１４Ａ〜１４Ｃは、それを特定するユーザコンピュータ識別データ（コンピュータ名，ワークグループ／ドメイン，ＭＡＣアドレス，ＩＰアドレス，ユーザコンピュータ識別番号等）を一定の時間間隔（３分間隔や５分間隔等の分単位、１時間間隔や２時間間隔等の時間単位）で機器監視サーバ１５Ａ〜１５Ｄに送信（出力）する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから等間隔で送信されたユーザコンピュータ識別データが１回でも中断すると、そのコンピュータがネットワーク１６Ａ〜１６Ｄから離脱したと判断し、そのコンピュータから一定の時間間隔で再びユーザコンピュータ識別データが出力されると、そのコンピュータが再びネットワーク１６Ａ〜１６Ｄに接続されたと判断し、そのコンピュータが外部環境で使用されたと判断する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃが外部環境で使用されたと判断すると、そのコンピュータに外部使用履歴データを送信（出力）させる。外部使用履歴データは、機器監視サーバ１５Ａ〜１５Ｄのハードディスクに時系列に格納される。
【００７５】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取った外部使用履歴データにそのデータを各ネットワーク１６Ａ〜１６Ｄ毎に区分して識別するためのネットワーク識別データを添付するとともに、外部使用履歴データにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、外部使用履歴データやネットワーク識別データ、ユーザコンピュータ識別データを暗号化し（外部使用履歴データ暗号化手段）、暗号化した外部使用履歴データ、ネットワーク識別データ、ユーザコンピュータ識別データを定期的にデータ中継サーバ１７Ａ，１７Ｂに送信する（外部使用履歴データ送信手段（許可操作データ送信手段））。
【００７６】
（指定時間外使用履歴監視）
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃの指定時間外での使用を時系列かつエンドレスに監視する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃが指定時間外に使用された場合、指定時間外使用データをそのコンピュータから収集し、収集した指定時間外使用履歴データを格納する（指定時間外使用履歴データ収集手段（許可操作データ収集手段））。機器監視サーバ１５Ａ〜１５Ｄのメモリには、各ユーザコンピュータ１１Ａ〜１１Ｃ，１２Ａ〜１２Ｃ，１３Ａ〜１３Ｃ，１４Ａ〜１４Ｃの指定時間（使用許可時間）がユーザコンピュータ識別データに関連付けられて格納されている。機器監視サーバ１５Ａ〜１５Ｄは、そのタイマ機能によってユーザコンピュータ１１Ａ〜１１Ｃ，１２Ａ〜１２Ｃ，１３Ａ〜１３Ｃ，１４Ａ〜１４Ｃから一定の時間間隔で送信（出力）されるユーザコンピュータ識別データの時間を特定し、ユーザコンピュータ１１Ａ〜１１Ｃ，１２Ａ〜１２Ｃ，１３Ａ〜１３Ｃ，１４Ａ〜１４Ｃの使用が指定時間内かまたは指定時間外かを判断する。ユーザコンピュータ１１Ａ〜１１Ｃ，１２Ａ〜１２Ｃ，１３Ａ〜１３Ｃ，１４Ａ〜１４Ｃの使用が指定時間外の使用と判断すると、機器監視サーバ１５Ａ〜１５Ｄは、そのコンピュータに指定時間外における指定時間外使用履歴データを出力させる。指定時間外使用履歴データは、機器監視サーバ１５Ａ〜１５Ｄのハードディスクに時系列に格納される。
【００７７】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取った指定時間外使用履歴データにそのデータを各ネットワーク１６Ａ〜１６Ｄ毎に区分して識別するためのネットワーク識別データを添付するとともに、指定時間外使用履歴データにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、指定時間外使用履歴データやネットワーク識別データ、ユーザコンピュータ識別データを暗号化し（指定時間外使用履歴データ暗号化手段）、暗号化した指定時間外使用履歴データ、ネットワーク識別データ、ユーザコンピュータ識別データを定期的にデータ中継サーバ１７Ａ，１７Ｂに送信する（指定時間外使用履歴データ送信手段（許可操作データ送信手段））。
【００７８】
（持ち出し行為監視）
機器監視サーバ１５Ａ〜１５Ｄは、持ち出しが禁止されたデータのユーザコンピュータ１１Ａ〜１１Ｃ，１２Ａ〜１２Ｃ，１３Ａ〜１３Ｃ，１４Ａ〜１４Ｃからの持ち出し行為を時系列かつエンドレスに監視する。機器監視サーバ１５Ａ〜１５Ｄは、持ち出し禁止データをユーザコンピュータ１１Ａ〜１１Ｃ，１２Ａ〜１２Ｃ，１３Ａ〜１３Ｃ，１４Ａ〜１４Ｃから持ち出そうとした場合、持ち出し行為データをそのコンピュータから収集し、収集した持ち出し行為データを格納する（持ち出し行為情データ集手段（不許可操作データ収集手段））。データの持ち出しを禁止する方法は、ユーザコンピュータ１１Ａ〜１１Ｃ，１２Ａ〜１２Ｃ，１３Ａ〜１３Ｃ，１４Ａ〜１４Ｃを指定してそのコンピュータ自体からのデータ持ち出しを禁止する方法、ユーザコンピュータ１１Ａ〜１１Ｃ，１２Ａ〜１２Ｃ，１３Ａ〜１３Ｃ，１４Ａ〜１４Ｃに搭載されたドライブに格納されたデータのコピーを禁止する方法（ドライブに対するコピー行為の禁止）、ユーザコンピュータ１１Ａ〜１１Ｃ，１２Ａ〜１２Ｃ，１３Ａ〜１３Ｃ，１４Ａ〜１４Ｃに搭載されたドライブへの書き込みを禁止する方法（ドライブに対する書き込み行為の禁止）、特定のデータを指定してそのデータのコピーを禁止する方法がある。
【００７９】
機器監視サーバ１５Ａ〜１５Ｄは、データの持ち出しが禁止されたユーザコンピュータ１１Ａ〜１１Ｃ，１２Ａ〜１２Ｃ，１３Ａ〜１３Ｃ，１４Ａ〜１４Ｃに格納されたデータの持ち出し行為（コンピュータにおけるデータアクセスやデータコピー）が行われた場合、コピー禁止ドライブに対するコピー行為が行われた場合、書き込み禁止ドライブに対する書き込み行為が行われた場合、コピー禁止データに対するコピー行為が行われた場合、データの持ち出し行為と判断する。機器監視サーバ１５Ａ〜１５Ｄは、持ち出し行為と判断すると、そのユーザコンピュータ１１Ａ〜１１Ｃ，１２Ａ〜１２Ｃ，１３Ａ〜１３Ｃ，１４Ａ〜１４Ｃのディスプレイ２５に持ち出し禁止メッセージを表示するとともに、その持ち出し行為を行ったユーザコンピュータ１１Ａ〜１１Ｃ，１２Ａ〜１２Ｃ，１３Ａ〜１３Ｃ，１４Ａ〜１４Ｃに持ち出し行為データを送信（出力）させる。持ち出し行為データは、機器監視サーバ１５Ａ〜１５Ｄのハードディスクに時系列に格納される。
【００８０】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取った持ち出し行為データにそのデータを各ネットワーク１６Ａ〜１６Ｄ毎に区分して識別するためのネットワーク識別データを添付するとともに、持ち出し行為データにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、持ち出し行為データやネットワーク識別データ、ユーザコンピュータ識別データを暗号化し（持ち出し行為データ暗号化手段）、暗号化した持ち出し行為データ、ネットワーク識別データ、ユーザコンピュータ識別データを定期的にデータ中継サーバ１７Ａ，１７Ｂに送信する（持ち出し行為データ送信手段（不許可操作データ送信手段））。
【００８１】
（プリント行為監視）
機器監視サーバ１５Ａ〜１５Ｄは、プリントが禁止されたデータのユーザコンピュータ１１Ａ〜１１Ｃ，１２Ａ〜１２Ｃ，１３Ａ〜１３Ｃ，１４Ａ〜１４Ｃにおけるプリント行為を時系列かつエンドレスに監視する。機器監視サーバ１５Ａ〜１５Ｄは、プリント禁止データをユーザコンピュータ１１Ａ〜１１Ｃ，１２Ａ〜１２Ｃ，１３Ａ〜１３Ｃ，１４Ａ〜１４Ｃからプリントしようとした場合、プリント行為データをそのコンピュータから収集し、収集したプリント行為データを格納する（プリント行為データ収集手段（不許可操作データ収集手段））。データのプリントを禁止する方法は、ユーザコンピュータ１１Ａ〜１１Ｃ，１２Ａ〜１２Ｃ，１３Ａ〜１３Ｃ，１４Ａ〜１４Ｃを指定してそのコンピュータ自体におけるデータのプリントを禁止する方法、ユーザコンピュータ１１Ａ〜１１Ｃ，１２Ａ〜１２Ｃ，１３Ａ〜１３Ｃ，１４Ａ〜１４Ｃに搭載されたドライブを指定してそのドライブに格納されたデータのプリントを禁止する方法、特定のデータを指定してそのデータのプリントを禁止する方法がある。
【００８２】
機器監視サーバ１５Ａ〜１５Ｄは、プリントが禁止されたユーザコンピュータ１１Ａ〜１１Ｃ，１２Ａ〜１２Ｃ，１３Ａ〜１３Ｃ，１４Ａ〜１４Ｃにおけるプリント行為が行われた場合、プリント禁止ドライブに対するプリント行為が行われた場合、プリント禁止データに対するプリント行為が行われた場合、プリント禁止データに対するプリント行為と判断する。機器監視サーバ１５Ａ〜１５Ｄは、プリント行為と判断すると、そのユーザコンピュータ１１Ａ〜１１Ｃ，１２Ａ〜１２Ｃ，１３Ａ〜１３Ｃ，１４Ａ〜１４Ｃのディスプレイ２５にプリント禁止メッセージを表示するとともに、そのプリント行為を行ったコンピュータ１１Ａ〜１１Ｃ，１２Ａ〜１２Ｃ，１３Ａ〜１３Ｃ，１４Ａ〜１４Ｃにプリント行為データを送信（出力）させる。プリント行為データは、機器監視サーバ１５Ａ〜１５Ｄのハードディスクに時系列に格納される。
【００８３】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取ったプリント行為データにそのデータを各ネットワーク１６Ａ〜１６Ｄ毎に区分して識別するためのネットワーク識別データを添付するとともに、プリント行為データにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、プリント行為データやネットワーク識別データ、ユーザコンピュータ識別データを暗号化し（プリント行為データ暗号化手段）、暗号化したプリント行為データ、ネットワーク識別データ、ユーザコンピュータ識別データを定期的にデータ中継サーバ１７Ａ，１７Ｂに送信する（プリント行為データ送信手段（不許可操作データ送信手段））。
【００８４】
（電子メール送信監視）
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃにおける電子メール送信を時系列かつエンドレスに監視する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから電子メールが送信された場合、電子メール送信データをそのコンピュータから収集し、収集した電子メール送信データを格納する（電子メール送信データ収集手段（不許可操作データ収集手段））。ユーザコンピュータ１１Ａ〜１１Ｃ，１２Ａ〜１２Ｃ，１３Ａ〜１３Ｃ，１４Ａ〜１４Ｃがそれが形成するネットワーク１６Ａ〜１６Ｄの他のユーザコンピュータ１１Ａ〜１１Ｃ，１２Ａ〜１２Ｃ，１３Ａ〜１３Ｃ，１４Ａ〜１４Ｃに電子メールを送信した場合、ユーザコンピュータ１１Ａ〜１１Ｃ，１２Ａ〜１２Ｃ，１３Ａ〜１３Ｃ，１４Ａ〜１４Ｃがそれが形成するネットワーク１６Ａ〜１６Ｄ以外の外部にインターネット２０を利用して電子メールを送信した場合、メール送信信号がユーザコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）される。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから送信されたメール送信信号によってコンピュータにおける電子メール送信を検出する。機器監視サーバ１５Ａ〜１５Ｄは、電子メール送信を検出すると、メール送信を行ったユーザコンピュータ１１Ａ〜１１Ｃ，１２Ａ〜１２Ｃ，１３Ａ〜１３Ｃ，１４Ａ〜１４Ｃに電子メール送信データを送信（出力）させる。電子メール送信データは、機器監視サーバ１５Ａ〜１５Ｄのハードディスクに時系列に格納される。
【００８５】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取った電子メール送信データにそのデータを各ネットワーク１６Ａ〜１６Ｄ毎に区分して識別するためのネットワーク識別データを添付するとともに、電子メール送信データにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、電子メール送信データやネットワーク識別データ、ユーザコンピュータ識別データを暗号化し（電子メール送信データ暗号化手段）、暗号化した電子メール送信データ、ネットワーク識別データ、ユーザコンピュータ識別データを定期的にデータ中継サーバ１７Ａ，１７Ｂに送信する（電子メール送信データ送信手段（不許可操作データ送信手段））。
【００８６】
（Ｗｅｂサイトアクセス監視）
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４ＣにおけるＷｅｂサイトへのアクセスを時系列かつエンドレスに監視する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４ＣがＷｅｂサイトにアクセスした場合、Ｗｅｂサイトアクセスデータをそのコンピュータから収集し、収集したＷｅｂサイトアクセスデータを格納する（Ｗｅｂサイトアクセスデータ収集手段（許可操作データ収集手段））。ユーザコンピュータ１１Ａ〜１１Ｃ，１２Ａ〜１２Ｃ，１３Ａ〜１３Ｃ，１４Ａ〜１４Ｃがインターネット２０を利用してＷｅｂサイトへアクセスした場合、Ｗｅｂサイトアクセス信号がコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）される。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから送信されたＷｅｂサイトアクセス信号によってコンピュータ１１Ａ〜１１Ｃ，１２Ａ〜１２Ｃ，１３Ａ〜１３Ｃ，１４Ａ〜１４ＣにおけるＷｅｂサイトへのアクセスを検出する。機器監視サーバ１５Ａ〜１５Ｄは、Ｗｅｂサイトへのアクセスを検出すると、Ｗｅｂサイトへのアクセスを行ったユーザコンピュータ１１Ａ〜１１Ｃ，１２Ａ〜１２Ｃ，１３Ａ〜１３Ｃ，１４Ａ〜１４ＣにＷｅｂサイトアクセスデータを送信（出力）させる。Ｗｅｂサイトアクセスデータは、機器監視サーバ１５Ａ〜１５Ｄのハードディスクに時系列に格納される。
【００８７】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取ったＷｅｂサイトアクセスデータにそのデータを各ネットワーク１６Ａ〜１６Ｄ毎に区分して識別するためのネットワーク識別データを添付するとともに、Ｗｅｂサイトアクセスデータにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、Ｗｅｂサイトアクセスデータやネットワーク識別データ、ユーザコンピュータ識別データを暗号化し（Ｗｅｂサイトアクセスデータ暗号化手段）、暗号化したＷｅｂサイトアクセスデータ、ネットワーク識別データ、ユーザコンピュータ識別データを定期的にデータ中継サーバ１７Ａ，１７Ｂに送信する（Ｗｅｂサイトアクセスデータ送信手段（許可操作データ送信手段））。
【００８８】
（外部ネットワークアクセス監視）
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃにおける外部ネットワークへのアクセスを時系列かつエンドレスに監視する。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃによって形成されたネットワーク以外の外部ネットワーク１６Ａ〜１６Ｄにコンピュータ１１Ａ〜１１Ｃ，１２Ａ〜１２Ｃ，１３Ａ〜１３Ｃ，１４Ａ〜１４Ｃがアクセスした場合、外部ネットワークアクセスデータをそのコンピュータから収集し、収集した外部ネットワークアクセスデータを格納する（外部ネットワークアクセスデータ収集手段（許可操作データ収集手段））。ユーザコンピュータ１１Ａ〜１１Ｃ，１２Ａ〜１２Ｃ，１３Ａ〜１３Ｃ，１４Ａ〜１４Ｃがインターネット２０を利用して外部ネットワークへアクセスした場合、外部ネットワークアクセス信号がコンピュータから機器監視サーバ１５Ａ〜１５Ｄに送信（出力）される。機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから送信された外部ネットワークアクセス信号によってコンピュータ１１Ａ〜１１Ｃ，１２Ａ〜１２Ｃ，１３Ａ〜１３Ｃ，１４Ａ〜１４Ｃにおける外部ネットワークへのアクセスを検出する。機器監視サーバ１５Ａ〜１５Ｄは、外部ネットワークへのアクセスを検出すると、外部ネットワークへのアクセスを行ったユーザコンピュータ１１Ａ〜１１Ｃ，１２Ａ〜１２Ｃ，１３Ａ〜１３Ｃ，１４Ａ〜１４Ｃに外部ネットワークアクセスデータを送信（出力）させる。外部ネットワークアクセスデータは、機器監視サーバ１５Ａ〜１５Ｄのハードディスクに時系列に格納される。
【００８９】
機器監視サーバ１５Ａ〜１５Ｄは、ユーザコンピュータ１１Ａ〜１１Ｃ，１２Ａ〜１２Ｃ，１３Ａ〜１３Ｃ，１４Ａ〜１４Ｃから受け取った外部ネットワークアクセスデータにそのデータを各ネットワーク１６Ａ〜１６Ｄ毎に区分して識別するためのネットワーク識別データを添付するとともに、外部ネットワークアクセスデータにそのデータを各ユーザコンピュータ１１Ａ〜１１Ｃ，１２Ａ〜１２Ｃ，１３Ａ〜１３Ｃ，１４Ａ〜１４Ｃ毎に区分して識別するためのユーザコンピュータ識別データを添付する。機器監視サーバ１５Ａ〜１５Ｄは、外部ネットワークアクセスデータやネットワーク識別データ、ユーザコンピュータ識別データを暗号化し（外部ネットワークアクセスデータ暗号化手段）、暗号化した外部ネットワークアクセスデータ、ネットワーク識別データ、ユーザコンピュータ識別データを定期的にデータ中継サーバ１７Ａ，１７Ｂに送信する（外部ネットワークアクセスデータ送信手段  
【００９０】
（許可操作データ送信手段））。
機器監視サーバ１５Ａ〜１５Ｄが各種データをデータ中継サーバ１７Ａ，１７Ｂに送信する間隔は、６時間毎や１２時間毎等の時間単位、１日毎や２日毎等の日単位、１週間毎や３週間毎の週単位等である。この実施の形態では、機器監視サーバ１５Ａ〜１５Ｄが１日毎（２４時間毎）に各種データを集計し、集計した１日のデータをデータ中継サーバ１７Ａ，１７Ｂに送信している。なお、機器監視サーバ１５Ａ〜１５Ｄが各種データをデータ中継サーバ１７Ａ，１７Ｂに送信する間隔は、データ管理コンピュータ１８によって設定され、データ管理コンピュータ１８はその間隔を自由に変更することができる。データ中継サーバ１７Ａ，１７Ｂは、機器監視サーバ１５Ａ〜１５Ｄから送信された各種データをデータベースや外付けハードディスク等の記憶装置に格納する。
【００９１】
（ログデータ）
ファイアーウォール１９は、機器監視サーバ１５Ａ〜１５Ｄがインターネット２０を介してデータ中継サーバ１７Ａ，１７Ｂに各種データを送信する際、または、機器監視サーバ１５Ａ〜１５Ｄがインターネット２０を介してデータ中継サーバ１７Ａ，１７Ｂから各種データを取得する際に、ログデータ（機器監視サーバ１５Ａ〜１５Ｄとデータ中継サーバ１７Ａ，１７Ｂとの接続、機器監視サーバ１５Ａ〜１５Ｄとデータ中継サーバ１７Ａ，１７Ｂとの接続の切断、ユーザコンピュータ１１Ａ〜１１Ｃ，１２Ａ〜１２Ｃ，１３Ａ〜１３Ｃ，１４Ａ〜１４Ｃや機器監視サーバ１５Ａ〜１５Ｄの故障、データの修復、不正な操作形跡、不正な進入形跡等）をその記憶装置に時系列に格納する。ファイアーウォール１９は、ログデータにそれを各ネットワーク１６Ａ〜１６Ｄ毎に区分して識別するためのネットワーク識別データを添付するとともに、ログデータにそれを送信したファイアーウォール１９を特定するためのファイアーウォール識別データ（ファイアーウォール名，ＩＰアドレス，ＵＲＬ，ファイアーウォール識別番号等）を添付する。ファイアーウォール１９は、ログデータやネットワーク識別データ、ファイアーウォール識別データを暗号化した後（ログデータ暗号化手段）、暗号化したログデータやネットワーク識別データ、ファイアーウォール識別データを定期的にデータ中継サーバ１７Ａ，１７Ｂに送信する（ログデータ送信手段）。
【００９２】
データ管理コンピュータ１８は、中央処理部とメモリとを有し、大容量ハードディスクを搭載している。データ管理コンピュータ１８には、ディスプレイ２３やキーボード２４がインターフェイスを介して接続され、図示はしていないが、プリンタ、スキャナ、データベースがインターフェイスを介して接続されている。データ管理コンピュータ１８は、各機器監視サーバ１５Ａ〜１５Ｄからデータ中継サーバ１７Ａ，１７Ｂに送信された各種データをサーバ１７Ａ，１７Ｂから取得し、それらデータを管理する。データ管理コンピュータ１８は、機器監視サーバ１５Ａ〜１５Ｄに対する各種指令をデータ中継サーバ１７Ａ，１７Ｂに送信する。データ管理コンピュータ１８は、オペレーティングシステムによる制御に基づいて、メモリの命令ファイルに格納された管理アプリケーションを起動し、起動したアプリケーションに従って以下の各手段を実行する。
【００９３】
（未登録コンピュータ接続履歴管理）
データ管理コンピュータ１８は、各機器監視サーバ１５Ａ〜１５Ｄから送信されたそれら未登録コンピュータ接続データやネットワーク識別データを所定の間隔（６時間毎や１２時間毎等の時間単位、１日毎や２日毎等の日単位、本実施の形態では１日毎（２４時間毎））でデータ中継サーバ１７Ａ，１７Ｂに取りに行き、データ中継サーバ１７Ａ，１７Ｂから取得した未登録コンピュータ接続データやネットワーク識別データを復号化する（未登録コンピュータ接続データ復号化手段）。データ管理コンピュータ１８は、復号化した未登録コンピュータ接続データをネットワーク識別データに基づいて各ネットワーク１６Ａ〜１６Ｄ毎に区分し、未登録コンピュータ接続データを各ネットワーク１６Ａ〜１６Ｄ毎に区分した状態でデータベースに格納する（未登録コンピュータ接続データ記憶手段（未登録機器接続データ記憶手段））。データ管理コンピュータ１８は、復号化した未登録コンピュータ接続データをディスプレイ２３やプリンタ等の出力装置を介して出力することができる。データ管理コンピュータ１８は、未登録コンピュータ接続データを各ネットワーク１６Ａ〜１６Ｄ毎に区分して出力することができ（未登録コンピュータ接続データ出力手段（未登録機器接続データ出力手段））、未登録コンピュータ接続データを日単位や週単位、月単位等の所定の期間に区分して出力することができる。
【００９４】
（特定機器除外管理）
データ管理コンピュータ１８は、操作データ管理アプリケーションがインストールされていない未登録コンピュータ２１のうち、特定のコンピュータ２２を未登録コンピュータ２１から除外することができる（特定機器除外手段）。データ管理コンピュータ１８は、特定コンピュータ２２の未登録コンピュータ２１からの除外を各ネットワーク１６Ａ〜１６Ｄ毎に区分して行うことができる。データ管理コンピュータ１８は、除外対象の特定コンピュータ２２を識別する特定コンピュータ識別データ（コンピュータ名，ワークグループ／ドメイン，ＭＡＣアドレス，ＩＰアドレス，特定コンピュータ識別番号等）を暗号化するとともに（特定機器データ暗号化手段）、特定コンピュータ識別データにそのデータを各ネットワーク１６Ａ〜１６Ｄ毎に区分して識別するためのネットワーク識別データ（ネットワーク名，ネットワーク識別番号等）を添付し、暗号化した特定コンピュータ識別データ、ネットワーク識別データをデータ中継サーバ１７Ａ，１７Ｂに送信する（特定機器データ送信手段）。
【００９５】
所定の間隔（６時間毎や１２時間毎等の時間単位、１日毎や２日毎等の日単位）でデータ中継サーバ１７Ａ，１７Ｂにアクセスする機器監視サーバ１５Ａ〜１５Ｄは、特定コンピュータ識別データに添付されたネットワーク識別データからネットワーク１６Ａ〜１６Ｄを特定する。機器監視サーバ１５Ａ〜１５Ｄは、ネットワーク識別データによって特定されたネットワークが自己の属するネットワークと判断すると、そのネットワーク識別データが添付された特定コンピュータ識別データをデータ中継サーバ１７Ａ，１７Ｂから取得し、取得した特定コンピュータ識別データを復号化する（特定機器データ復号化手段）。機器監視サーバ１５Ａ〜１５Ｄは、復号化した特定コンピュータ識別データ、ネットワーク識別データをメモリに格納する。機器監視サーバ１５Ａ〜１５Ｄは、データ管理コンピュータ１８から送信された特定コンピュータ２２がネットワーク１６Ａ〜１６Ｄにログインしたとしても、それを未登録コンピュータ２１として検出しない。
【００９６】
データ管理コンピュータ１８は、除外した特定コンピュータ２２を再び未登録コンピュータ２１に変更することができる（特定機器変更手段）。データ管理コンピュータ１８は、特定コンピュータ２２から未登録コンピュータ２１への変更を各ネットワーク１６Ａ〜１６Ｄ毎に区分して行うことができる。データ管理コンピュータ１８は、特定コンピュータ２２から未登録コンピュータ２１への変更が行われると、未登録コンピュータ２１を識別する未登録コンピュータ識別データ（コンピュータ名，ワークグループ／ドメイン，ＭＡＣアドレス，ＩＰアドレス，未登録コンピュータ識別番号等）を暗号化するとともに（未登録機器データ暗号化手段）、未登録コンピュータ識別データにそのデータを各ネットワーク１６Ａ〜１６Ｄ毎に区分して識別するためのネットワーク識別データを添付し、暗号化した未登録コンピュータ識別データ、ネットワーク識別データをデータ中継サーバ１７Ａ，１７Ｂに送信する（未登録機器データ送信手段）。
【００９７】
所定の間隔でデータ中継サーバ１７Ａ，１７Ｂにアクセスする機器監視サーバ１５Ａ〜１５Ｄは、未登録コンピュータ識別データに添付されたネットワーク識別データからネットワーク１６Ａ〜１６Ｄを特定する。機器監視サーバ１５Ａ〜１５Ｄは、ネットワーク識別データによって特定されたネットワークが自己の属するネットワークと判断すると、そのネットワーク識別データが添付された未登録コンピュータ識別データをデータ中継サーバ１７Ａ，１７Ｂから取得し、取得した未登録コンピュータ識別データを復号化する（未登録機器データ復号化手段）。機器監視サーバ１５Ａ〜１５Ｄは、復号化した未登録コンピュータ識別データ、ネットワーク識別データをメモリに格納し、未登録コンピュータ２１に変更された特定コンピュータ２２の特定コンピュータ識別データをメモリから消去する。機器監視サーバ１５Ａ〜１５Ｄは、データ管理コンピュータ１８から送信された未登録コンピュータ２１がネットワーク１６Ａ〜１６Ｄにログインした場合、それを未登録コンピュータ２１として検出する。
【００９８】
（未登録コンピュータ接続データ送信間隔管理）
データ管理コンピュータ１８は、機器監視サーバ１５Ａ〜１５Ｄからデータ中継サーバ１７Ａ，１７Ｂに送信される未登録コンピュータ接続データの送信間隔を自由に設定、変更することができる（送信間隔第１変更手段）。データ管理コンピュータ１８は、未登録コンピュータ接続データの送信間隔を各ネットワーク１６Ａ〜１６Ｄ毎に区分して行うことができる。データ管理コンピュータ１８は、未登録コンピュータ接続データの送信間隔の設定、変更を行った後のその送信間隔データ（未登録コンピュータ接続データ送信間隔，設定変更指令）を暗号化するとともに（送信間隔データ暗号化手段）、送信間隔データにそのデータを各ネットワーク１６Ａ〜１６Ｄ毎に区分して識別するためのネットワーク識別データを添付し、暗号化した送信間隔データ、ネットワーク識別データをデータ中継サーバ１７Ａ，１７Ｂに送信する（送信間隔データ送信手段）。
【００９９】
所定の間隔でデータ中継サーバ１７Ａ，１７Ｂにアクセスする機器監視サーバ１５Ａ〜１５Ｄは、送信間隔データに添付されたネットワーク識別データからネットワーク１６Ａ〜１６Ｄを特定する。機器監視サーバ１５Ａ〜１５Ｄは、ネットワーク識別データによって特定されたネットワークが自己の属するネットワークと判断すると、そのネットワーク識別データが添付された送信間隔データをデータ中継サーバ１７Ａ，１７Ｂから取得し、取得した送信間隔データを復号化する（送信間隔データ復号化手段）。機器監視サーバ１５Ａ〜１５Ｄは、復号化した送信間隔データ、ネットワーク識別データをメモリに格納するとともに、その送信間隔に従って未登録コンピュータ接続データをデータ中継サーバ１７Ａ，１７Ｂに送信する。
【０１００】
（操作データ送信間隔管理）
データ管理コンピュータ１８は、機器監視サーバ１５Ａ〜１５Ｄからデータ中継サーバ１７Ａ，１７Ｂに送信されるユーザコンピュータ１１Ａ〜１１Ｃ，１２Ａ〜１２Ｃ，１３Ａ〜１３Ｃ，１４Ａ〜１４Ｃの各種操作データ（許可操作データ、不許可操作データ）の送信間隔（各種操作データ送信間隔）を自由に設定、変更することができる（送信間隔第２変更手段）。データ管理コンピュータ１８は、ユーザコンピュータ１１Ａ〜１１Ｃ，１２Ａ〜１２Ｃ，１３Ａ〜１３Ｃ，１４Ａ〜１４Ｃの各種操作データの送信間隔を各ネットワーク１６Ａ〜１６Ｄ毎に区分して行うことができる。データ管理コンピュータ１８は、送信間隔の設定、変更を行った後のその送信間隔データ（各種操作データ送信間隔，設定変更指令，データ名）を暗号化するとともに（送信間隔データ暗号化手段）、送信間隔データにそのデータを各ネットワーク１６Ａ〜１６Ｄ毎に区分して識別するためのネットワーク識別データを添付し、暗号化した送信間隔データ、ネットワーク識別データをデータ中継サーバ１７Ａ，１７Ｂに送信する（送信間隔データ送信手段）。
【０１０１】
所定の間隔でデータ中継サーバ１７Ａ，１７Ｂにアクセスする機器監視サーバ１５Ａ〜１５Ｄは、送信間隔データに添付されたネットワーク識別データからネットワーク１６Ａ〜１６Ｄを特定する。機器監視サーバ１５Ａ〜１５Ｄは、ネットワーク識別データによって特定されたネットワークが自己の属するネットワークと判断すると、そのネットワーク識別データが添付された送信間隔データをデータ中継サーバ１７Ａ，１７Ｂから取得し、取得した送信間隔データを復号化する（送信間隔データ復号化手段）。機器監視サーバ１５Ａ〜１５Ｄは、復号化した送信間隔データ、ネットワーク識別データをハードディスクに格納するとともに、各ユーザコンピュータ１１Ａ〜１１Ｃ，１２Ａ〜１２Ｃ，１３Ａ〜１３Ｃ，１４Ａ〜１４Ｃに送信間隔やデータ名を送信する。機器監視サーバ１５Ａ〜１５Ｄは、データ中継サーバ１７Ａ，１７Ｂから取得した送信間隔に従って、各種操作データをデータ中継サーバ１７Ａ，１７Ｂに送信する。ユーザコンピュータ１１Ａ〜１１Ｃ，１２Ａ〜１２Ｃ，１３Ａ〜１３Ｃ，１４Ａ〜１４Ｃは、機器監視サーバ１５Ａ〜１５Ｄから送信された送信間隔に従って、その送信間隔で各種操作データをサーバ１５Ａ〜１５Ｄに送信する。また、指定されたデータのみをその送信間隔で機器監視サーバ１５Ａ〜１５Ｄに送信する。
【０１０２】
（データ送信先変更管理）
データ管理コンピュータ１８は、機器監視サーバ１５Ａ〜１５Ｄから送信される未登録コンピュータ接続データやユーザコンピュータ１１Ａ〜１１Ｃ，１２Ａ〜１２Ｃ，１３Ａ〜１３Ｃ，１４Ａ〜１４Ｃの各種操作データ（許可操作データ、不許可操作データ）の送信先を所定のデータ中継サーバから他のデータ中継サーバに変更することができる（データ送信先変更手段）。データ管理コンピュータ１８は、送信先の変更を行った後のその送信先変更データ（変更前のデータ中継サーバのサーバ名，ＩＰアドレス，ＵＲＬ，データ中継サーバ識別番号等、変更前の機器監視サーバのサーバ名，ＩＰアドレス，ＵＲＬ，機器監視サーバ識別番号等、変更後のデータ中継サーバのサーバ名，ＩＰアドレス，ＵＲＬ，データ中継サーバ識別番号等、変更後の機器監視サーバのサーバ名，ＩＰアドレス，ＵＲＬ，機器監視サーバ識別番号等）を変更対象の各データ中継サーバ１７Ａ，１７Ｂに送信する（送信先変更データ送信手段）。送信先変更データを受け取ったデータ中継サーバ１７Ａ，１７Ｂは、変更前の機器監視サーバ１５Ａ〜１５Ｄの送信先変更データを変更後の機器監視サーバ１５Ａ〜１５Ｄの送信先変更データに書き換え、変更後の機器監視サーバ１５Ａ〜１５Ｄから未登録コンピュータ接続データやユーザコンピュータ１１Ａ〜１１Ｃ，１２Ａ〜１２Ｃ，１３Ａ〜１３Ｃ，１４Ａ〜１４Ｃの各種操作データを受信する。
【０１０３】
（記憶容量管理）
データ管理コンピュータ１８は、各データ中継サーバ１７Ａ，１７Ｂの記憶容量を時系列かつエンドレスに監視する（記憶容量監視手段）。データ管理コンピュータ１８のメモリには、各データ中継サーバ１７Ａ，１７Ｂの記憶容量、許容範囲が格納されている。各データ中継サーバ１７Ａ，１７Ｂは、データ中継サーバ識別データ（データ中継サーバのサーバ名，ＩＰアドレス，ＵＲＬ，データ中継サーバ識別番号等）とともに現在の使用記憶容量を所定間隔（６時間毎や１２時間毎等の時間単位、１日毎や２日毎等の日単位、本実施の形態では１日毎（２４時間毎））で定期的にデータ管理コンピュータ１８に送信する。データ管理コンピュータ１８は、データ中継サーバ１７Ａ，１７Ｂから送信されたデータ中継サーバ識別データに基づいてデータ中継サーバ１７Ａ，１７Ｂを特定するとともに、現在の使用記憶容量とメモリに格納された許容範囲とを比較する。データ管理コンピュータ１８は、データ中継サーバ１７Ａ，１７Ｂの記憶容量が許容範囲を超えた場合、そのデータ中継サーバ１７Ａ，１７Ｂの記憶容量超過を通知する記憶容量超過データ（データ中継サーバのサーバ名，ＩＰアドレス，ＵＲＬ，データ中継サーバ識別番号，許容記憶容量，実測記憶容量，超過容量等）を出力する（記憶容量超過データ出力手段）。
【０１０４】
（ログデータ管理）
データ管理コンピュータ１８は、ファイアーウォール１９から送信されたログデータ（機器監視サーバ１５Ａ〜１５Ｄとデータ中継サーバ１７Ａ，１７Ｂとの接続、機器監視サーバ１５Ａ〜１５Ｄとデータ中継サーバ１７Ａ，１７Ｂとの接続の切断、情報ユーザコンピュータ１１Ａ〜１１Ｃ，１２Ａ〜１２Ｃ，１３Ａ〜１３Ｃ，１４Ａ〜１４Ｃや機器監視サーバ１５Ａ〜１５Ｄの故障、データの修復、不正な操作形跡、不正な進入形跡等）やネットワーク識別データ、ファイアーウォール識別データ（ファイアーウォール名，ＩＰアドレス，ＵＲＬ，ファイアーウォール識別番号等）を復号化し（ログデータ復号化手段）、複合化したログデータをネットワーク識別データに基づいて各ネットワーク１６Ａ〜１６Ｄ毎に区分し、そのログデータを各ネットワーク１６Ａ〜１６Ｄ毎に区分した状態でハードディスクに格納する（ログデータ記憶手段）。また、複合化したログデータをファイアーウォール識別データに基づいて各ファイアーウォール毎に区分し、そのログデータを各ファイアーウォール毎に区分した状態でハードディスクに格納する（ログデータ記憶手段）。データ管理コンピュータ１８は、復号化したログデータをディスプレイやプリンタ等の出力装置を介して出力することができる（ログデータ出力手段）。データ管理コンピュータ１８は、ログデータを各ファイアーウォール毎に区分して出力することができ、ログデータを各ネットワーク１６Ａ〜１６Ｄ毎に区分して出力することができる。さらに、ログデータを日単位や週単位、月単位等の所定の期間に区分して出力することができる。
【０１０５】
（使用履歴管理）
データ管理コンピュータ１８は、各機器監視サーバ１５Ａ〜１５Ｄから送信されたそれら使用履歴データやネットワーク識別データ、ユーザコンピュータ識別データを所定の間隔（６時間毎や１２時間毎等の時間単位、１日毎や２日毎等の日単位、本実施の形態では１日毎（２４時間毎））でデータ中継サーバ１７Ａ，１７Ｂに取りに行き、データ中継サーバ１７Ａ，１７Ｂから取得した使用履歴データやネットワーク識別データ、ユーザコンピュータ識別データを復号化する（使用履歴データ復号化手段）。データ管理コンピュータ１８は、復号化した使用履歴データをネットワーク識別データに基づいて各ネットワーク１６Ａ〜１６Ｄ毎に区分するとともに、使用履歴データをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１０６】
データ管理コンピュータ１８は、使用履歴データを各ネットワーク１６Ａ〜１６Ｄ毎に区分した状態でデータベースに格納するとともに（使用履歴データ第１記憶手段許（許可操作データ第1記憶手段））、使用履歴データを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（使用履歴データ第２記憶手段（許可操作データ第２記憶手段））。データ管理コンピュータ１８は、復号化した使用履歴データをディスプレイ２３やプリンタ等の出力装置を介して出力することができる。データ管理コンピュータ１８は、使用履歴データを各ネットワーク１６Ａ〜１６Ｄ毎に区分して出力することができ（使用履歴データ第１出力手段（許可操作データ第1出力手段））、使用履歴データを各ユーザコンピュータ１１Ａ〜１１Ｃ，１２Ａ〜１２Ｃ，１３Ａ〜１３Ｃ，１４Ａ〜１４Ｃ毎に区分して出力することができる（使用履歴データ第２出力手段（許可操作データ第２出力手段））。さらに、使用履歴データを日単位や週単位、月単位等の所定の期間に区分して出力することができる。
【０１０７】
（アクセス履歴管理）
データ管理コンピュータ１８は、各機器監視サーバ１５Ａ〜１５Ｄから送信されたそれらアクセス履歴データやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得したアクセス履歴データやネットワーク識別データ、ユーザコンピュータ識別データを復号化する（アクセス履歴データ復号化手段）。データ管理コンピュータ１８は、復号化したアクセス履歴データをネットワーク識別データに基づいて各ネットワーク１６Ａ〜１６Ｄ毎に区分するとともに、アクセス履歴データをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１０８】
データ管理コンピュータ１８は、アクセス履歴データを各ネットワーク１６Ａ〜１６Ｄ毎に区分した状態でデータベースに格納するとともに（アクセス履歴データ第１記憶手段（許可操作データ第1記憶手段））、アクセス履歴データを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（アクセス履歴データ第２記憶手段（許可操作データ第２記憶手段））。データ管理コンピュータ１８は、アクセス履歴データをディスプレイ２３やプリンタ等の出力装置を介して出力することができる。データ管理コンピュータ１８は、アクセス履歴データを各ネットワーク１６Ａ〜１６Ｄ毎に区分して出力することができ（アクセス履歴データ第１出力手段（許可操作データ第1出力手段））、アクセス履歴データを各ユーザコンピュータ１１Ａ〜１１Ｃ，１２Ａ〜１２Ｃ，１３Ａ〜１３Ｃ，１４Ａ〜１４Ｃ毎に区分して出力することができる（アクセス履歴データ第２出力手段（許可操作データ第２出力手段））。さらに、アクセス履歴データを日単位や週単位、月単位等の所定の期間に区分して出力することができる。
【０１０９】
（許可アプリケーション追加、変更、削除管理）
データ管理コンピュータ１８は、ユーザコンピュータ１１Ａ〜１１Ｃ，１２Ａ〜１２Ｃ，１３Ａ〜１３Ｃ，１４Ａ〜１４Ｃに使用させる許可アプリケーションの追加、変更、削除を各ネットワーク１６Ａ〜１６Ｄ毎に行うことができる（許可アプリケーション改変手段）。データ管理コンピュータ１８は、アプリケーションの改変を行った後の第１アプリケーション使用規則データを暗号化するとともに（第１アプリケーション使用規則データ暗号化手段）、第１アプリケーション使用規則データにそのデータを各ネットワーク１６Ａ〜１６Ｄ毎に区分して識別するためのネットワーク識別データを添付し、暗号化した第１アプリケーション使用規則データ、ネットワーク識別データをデータ中継サーバ１７Ａ，１７Ｂに送信する（第１アプリケーション使用規則データ送信手段）。
【０１１０】
所定の間隔でデータ中継サーバ１７Ａ，１７Ｂにアクセスする機器監視サーバ１５Ａ〜１５Ｄは、第１アプリケーション使用規則データに添付されたネットワーク識別データをデータ中継サーバ１７Ａ，１７Ｂから取得し、ネットワーク識別データによってネットワーク１６Ａ〜１６Ｄを特定する。機器監視サーバ１５Ａ〜１５Ｄは、ネットワーク識別データによって特定されたネットワークが自己の属するネットワークと判断すると、そのネットワーク識別データが添付された第１アプリケーション使用規則データをデータ中継サーバ１７Ａ，１７Ｂから取得し、取得した第１アプリケーション使用規則データを復号化する（第１アプリケーション使用規則データ復号化手段）。機器監視サーバ１５Ａ〜１５Ｄは、復号化した第１アプリケーション使用規則データを各ユーザコンピュータ１１Ａ〜１１Ｃ，１２Ａ〜１２Ｃ，１３Ａ〜１３Ｃ，１４Ａ〜１４Ｃに出力する。ユーザコンピュータ１１Ａ〜１１Ｃ，１２Ａ〜１２Ｃ，１３Ａ〜１３Ｃ，１４Ａ〜１４Ｃは、機器監視サーバ１５Ａ〜１５Ｄから出力された第１アプリケーション使用規則に従う。データ管理コンピュータ１８は、各ネットワーク１６Ａ〜１６Ｄ毎に異なる第１アプリケーション使用規則を設定することができる。
【０１１１】
（不許可アプリケーション追加、変更、削除管理）
データ管理コンピュータ１８は、ユーザコンピュータ１１Ａ〜１１Ｃ，１２Ａ〜１２Ｃ，１３Ａ〜１３Ｃ，１４Ａ〜１４Ｃにおける使用が禁止された不許可アプリケーションの追加、変更、削除を各ネットワーク１６Ａ〜１６Ｄ毎に行うことができる（不許可アプリケーション改変手段）。データ管理コンピュータ１８は、不許可アプリケーションの改変を行った後の第２アプリケーション使用規則データを暗号化するとともに（第２アプリケーション使用規則データ暗号化手段）、第２アプリケーション使用規則データにそのデータを各ネットワーク１６Ａ〜１６Ｄ毎に区分して識別するためのネットワーク識別データを添付し、暗号化した第２アプリケーション使用規則データ、ネットワーク識別データをデータ中継サーバ１７Ａ，１７Ｂに送信する（第２アプリケーション使用規則データ送信手段）。
【０１１２】
所定の間隔でデータ中継サーバ１７Ａ，１７Ｂにアクセスする機器監視サーバ１５Ａ〜１５Ｄは、第２アプリケーション使用規則データに添付されたネットワーク識別データをデータ中継サーバ１７Ａ，１７Ｂから取得し、ネットワーク識別データによってネットワーク１６Ａ〜１６Ｄを特定する。機器監視サーバ１５Ａ〜１５Ｄは、ネットワーク識別データによって特定されたネットワークが自己の属するネットワークと判断すると、そのネットワーク識別データが添付された第２アプリケーション使用規則データをデータ中継サーバ１７Ａ，１７Ｂから取得し、取得した第２アプリケーション使用規則データを復号化する（第２アプリケーション使用規則データ復号化手段）。機器監視サーバ１５Ａ〜１５Ｄは、復号化した第２アプリケーション使用規則データを各ユーザコンピュータ１１Ａ〜１１Ｃ，１２Ａ〜１２Ｃ，１３Ａ〜１３Ｃ，１４Ａ〜１４Ｃに出力する。ユーザコンピュータ１１Ａ〜１１Ｃ，１２Ａ〜１２Ｃ，１３Ａ〜１３Ｃ，１４Ａ〜１４Ｃは、機器監視サーバ１５Ａ〜１５Ｄから出力された第２アプリケーション使用規則に従う。データ管理コンピュータ１８は、各ネットワーク１６Ａ〜１６Ｄ毎に異なる第２アプリケーション使用規則を設定することができる。
【０１１３】
（インストール管理）
データ管理コンピュータ１８は、各機器監視サーバ１５Ａ〜１５Ｄから送信されたそれらインストールデータやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得したインストールデータやネットワーク識別データ、ユーザコンピュータ識別データを復号化する（インストールデータ復号化手段）。データ管理コンピュータ１８は、復号化したインストールデータをネットワーク識別データに基づいて各ネットワーク１６Ａ〜１６Ｄ毎に区分するとともに、インストールデータをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１１４】
データ管理コンピュータ１８は、インストールデータを各ネットワーク１６Ａ〜１６Ｄ毎に区分した状態でデータベースに格納するとともに（インストールデータ第１記憶手段（許可操作データ第1記憶手段））、インストールデータを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（インストールデータ第２記憶手段（許可操作データ第２記憶手段））。データ管理コンピュータ１８は、インストールデータをディスプレイ２３やプリンタ等の出力装置を介して出力することができる。データ管理コンピュータ１８は、インストールデータを各ネットワーク１６Ａ〜１６Ｄ毎に区分して出力することができ（インストールデータ第１出力手段（許可操作データ第1出力手段））、インストールデータを各ユーザコンピュータ１１Ａ〜１１Ｃ，１２Ａ〜１２Ｃ，１３Ａ〜１３Ｃ，１４Ａ〜１４Ｃ毎に区分して出力することができる（インストール情報第２出力手段（許可操作データ第２出力手段））。さらに、インストールデータを日単位や週単位、月単位等の所定の期間に区分して出力することができる。
【０１１５】
（アンインストール管理）
データ管理コンピュータ１８は、各機器監視サーバ１５Ａ〜１５Ｄから送信されたそれらアンインストールデータやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得したアンインストールデータやネットワーク識別データ、ユーザコンピュータ識別データを復号化する（アンインストールデータ復号化手段）。データ管理コンピュータ１８は、復号化したアンインストールデータをネットワーク識別データに基づいて各ネットワーク１６Ａ〜１６Ｄ毎に区分するとともに、アンインストールデータをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１１６】
データ管理コンピュータ１８は、アンインストールデータを各ネットワーク１６Ａ〜１６Ｄ毎に区分した状態でデータベースに格納するとともに（アンインストールデータ第１記憶手段（許可操作データ第1記憶手段））、アンインストールデータを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（アンインストールデータ第２記憶手段（許可操作データ第２記憶手段））。データ管理コンピュータ１８は、アンインストールデータをディスプレイ２３やプリンタ等の出力装置を介して出力することができる。データ管理コンピュータ１８は、アンインストールデータを各ネットワーク１６Ａ〜１６Ｄ毎に区分して出力することができ（アンインストールデータ第１出力手段（許可操作データ第1出力手段））、アンインストールデータを各ユーザコンピュータ１１Ａ〜１１Ｃ，１２Ａ〜１２Ｃ，１３Ａ〜１３Ｃ，１４Ａ〜１４Ｃ毎に区分して出力することができる（アンインストールデータ第２出力手段（許可操作データ第２出力手段））。さらに、アンインストールデータを日単位や週単位、月単位等の所定の期間に区分して出力することができる。
【０１１７】
（プリント履歴管理）
データ管理コンピュータ１８は、各機器監視サーバ１５Ａ〜１５Ｄから送信されたそれらプリント履歴データやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得したプリント履歴データやネットワーク識別データ、ユーザコンピュータ識別データを復号化する（プリント履歴データ復号化手段）。データ管理コンピュータ１８は、復号化したプリント履歴データをネットワーク識別データに基づいて各ネットワーク１６Ａ〜１６Ｄ毎に区分するとともに、プリント履歴データをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１１８】
データ管理コンピュータ１８は、プリント履歴データを各ネットワーク１６Ａ〜１６Ｄ毎に区分した状態でデータベースに格納するとともに（プリント履歴データ第１記憶手段（許可操作データ第1記憶手段））、プリント履歴データを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（プリント履歴データ第２記憶手段（許可操作データ第２記憶手段））。データ管理コンピュータ１８は、プリント履歴データをディスプレイ２３やプリンタ等の出力装置を介して出力することができる。データ管理コンピュータ１８は、プリント履歴データを各ネットワーク１６Ａ〜１６Ｄ毎に区分して出力することができ（プリント履歴データ第１出力手段（許可操作データ第1出力手段））、プリント履歴データを各ユーザコンピュータ１１Ａ〜１１Ｃ，１２Ａ〜１２Ｃ，１３Ａ〜１３Ｃ，１４Ａ〜１４Ｃ毎に区分して出力することができる（プリント履歴データ第２出力手段（許可操作データ第２出力手段））。さらに、プリント履歴データを日単位や週単位、月単位等の所定の期間に区分して出力することができる。
【０１１９】
（ファイルアクセス履歴管理）
データ管理コンピュータ１８は、各機器監視サーバ１５Ａ〜１５Ｄから送信されたそれらファイルアクセスデータやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得したファイルアクセスデータやネットワーク識別データ、ユーザコンピュータ識別データを復号化する（ファイルアクセスデータ復号化手段）。データ管理コンピュータ１８は、復号化したファイルアクセスデータをネットワーク識別データに基づいて各ネットワーク１６Ａ〜１６Ｄ毎に区分するとともに、ファイルアクセスデータをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１２０】
データ管理コンピュータ１８は、ファイルアクセスデータを各ネットワーク１６Ａ〜１６Ｄ毎に区分した状態でデータベースに格納するとともに（ファイルアクセスデータ第１記憶手段（許可操作データ第1記憶手段））、ファイルアクセスデータを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（ファイルアクセスデータ第２記憶手段（許可操作データ第２記憶手段））。データ管理コンピュータ１８は、ファイルアクセスデータをディスプレイ２３やプリンタ等の出力装置を介して出力することができる。データ管理コンピュータ１８は、ファイルアクセスデータを各ネットワーク１６Ａ〜１６Ｄ毎に区分して出力することができ（ファイルアクセスデータ第１出力手段（許可操作データ第1出力手段））、ファイルアクセスデータを各ユーザコンピュータ１１Ａ〜１１Ｃ，１２Ａ〜１２Ｃ，１３Ａ〜１３Ｃ，１４Ａ〜１４Ｃ毎に区分して出力することができる（ファイルアクセスデータ第２出力手段（許可操作データ第２出力手段））。さらに、ファイルアクセスデータを日単位や週単位、月単位等の所定の期間に区分して出力することができる。
【０１２１】
（外部使用履歴管理）
データ管理コンピュータ１８は、各機器監視サーバ１５Ａ〜１５Ｄから送信されたそれら外部使用履歴データやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得した外部使用履歴データやネットワーク識別データ、ユーザコンピュータ識別データを復号化する（外部使用履歴データ復号化手段）。データ管理コンピュータ１８は、復号化した外部使用履歴データをネットワーク識別データに基づいて各ネットワーク１６Ａ〜１６Ｄ毎に区分するとともに、外部使用履歴データをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１２２】
データ管理コンピュータ１８は、外部使用履歴データを各ネットワーク１６Ａ〜１６Ｄ毎に区分した状態でデータベースに格納するとともに（外部使用履歴データ第１記憶手段（許可操作データ第1記憶手段））、外部使用履歴データを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（外部使用履歴データ第２記憶手段（許可操作データ第２記憶手段））。データ管理コンピュータ１８は、外部使用履歴データをディスプレイ２３やプリンタ等の出力装置を介して出力することができる。データ管理コンピュータ１８は、外部使用履歴データを各ネットワーク１６Ａ〜１６Ｄ毎に区分して出力することができ（外部使用履歴データ第１出力手段（許可操作データ第1出力手段））、外部使用履歴データを各ユーザコンピュータ１１Ａ〜１１Ｃ，１２Ａ〜１２Ｃ，１３Ａ〜１３Ｃ，１４Ａ〜１４Ｃ毎に区分して出力することができる（外部使用履歴データ第２出力手段（許可操作データ第２出力手段））。さらに、外部使用履歴データを日単位や週単位、月単位等の所定の期間に区分して出力することができる。
【０１２３】
（指定時間外使用履歴管理）
データ管理コンピュータ１８は、各機器監視サーバ１５Ａ〜１５Ｄから送信されたそれら指定時間外使用履歴データやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得した指定時間外使用履歴データやネットワーク識別データ、ユーザコンピュータ識別データを復号化する（指定時間外使用履歴データ復号化手段）。データ管理コンピュータ１８は、復号化した指定時間外使用履歴データをネットワーク識別データに基づいて各ネットワーク１６Ａ〜１６Ｄ毎に区分するとともに、指定時間外使用履歴データをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１２４】
データ管理コンピュータ１８は、指定時間外使用履歴データを各ネットワーク１６Ａ〜１６Ｄ毎に区分した状態でデータベースに格納するとともに（指定時間外使用履歴データ第１記憶手段（許可操作データ第1記憶手段））、指定時間外使用履歴データを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（指定時間外使用履歴データ第２記憶手段（許可操作データ第２記憶手段））。データ管理コンピュータ１８は、指定時間外使用履歴データをディスプレイ２３やプリンタ等の出力装置を介して出力することができる。データ管理コンピュータ１８は、指定時間外使用履歴データを各ネットワーク１６Ａ〜１６Ｄ毎に区分して出力することができ（指定時間外使用履歴データ第１出力手段（許可操作データ第1出力手段））、指定時間外使用履歴データを各ユーザコンピュータ１１Ａ〜１１Ｃ，１２Ａ〜１２Ｃ，１３Ａ〜１３Ｃ，１４Ａ〜１４Ｃ毎に区分して出力することができる（指定時間外使用履歴データ第２出力手段（許可操作データ第２出力手段））。さらに、指定時間外使用履歴データを日単位や週単位、月単位等の所定の期間に区分して出力することができる。
【０１２５】
（持ち出し行為管理）
データ管理コンピュータ１８は、各機器監視サーバ１５Ａ〜１５Ｄから送信されたそれら持ち出し行為データやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得した持ち出し行為データやネットワーク識別データ、ユーザコンピュータ識別データを復号化する（持ち出し行為データ復号化手段）。データ管理コンピュータ１８は、復号化した持ち出し行為データをネットワーク識別データに基づいて各ネットワーク１６Ａ〜１６ＤＤ毎に区分するとともに、持ち出し行為データをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１２６】
データ管理コンピュータ１８は、持ち出し行為データを各ネットワーク１６Ａ〜１６Ｄ毎に区分した状態でデータベースに格納するとともに（持ち出し行為データ第１記憶手段（不許可操作データ第1記憶手段））、持ち出し行為データを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（持ち出し行為データ第２記憶手段（不許可操作データ第２記憶手段））。データ管理コンピュータ１８は、持ち出し行為データをディスプレイ２３やプリンタ等の出力装置を介して出力することができる。データ管理コンピュータ１８は、持ち出し行為データを各ネットワーク１６Ａ〜１６Ｄ毎に区分して出力することができ（持ち出し行為データ第１出力手段（不許可操作データ第1出力手段））、持ち出し行為データを各ユーザコンピュータ１１Ａ〜１１Ｃ，１２Ａ〜１２Ｃ，１３Ａ〜１３Ｃ，１４Ａ〜１４Ｃ毎に区分して出力することができる（持ち出し行為データ第２出力手段（不許可操作データ第２出力手段））。さらに、持ち出し行為データを日単位や週単位、月単位等の所定の期間に区分して出力することができる。
【０１２７】
（プリント行為管理）
データ管理コンピュータ１８は、各機器監視サーバ１５Ａ〜１５Ｄから送信されたそれらプリント行為データやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得したプリント行為データやネットワーク識別データ、ユーザコンピュータ識別データを復号化する（プリント行為データ復号化手段）。データ管理コンピュータ１８は、復号化したプリント行為データをネットワーク識別データに基づいて各ネットワーク１６Ａ〜１６Ｄ毎に区分するとともに、プリント行為データをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１２８】
データ管理コンピュータ１８は、プリント行為データを各ネットワーク１６Ａ〜１６Ｄ毎に区分した状態でデータベースに格納するとともに（プリント行為データ第１記憶手段（不許可操作データ第1記憶手段））、プリント行為データを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（プリント行為データ第２記憶手段（不許可操作データ第２記憶手段））。データ管理コンピュータ１８は、プリント行為データをディスプレイ２３やプリンタ等の出力装置を介して出力することができる。データ管理コンピュータ１８は、プリント行為データを各ネットワーク１６Ａ〜１６Ｄ毎に区分して出力することができ（プリント行為データ第１出力手段（不許可操作データ第1出力手段））、プリント行為データを各ユーザコンピュータ１１Ａ〜１１Ｃ，１２Ａ〜１２Ｃ，１３Ａ〜１３Ｃ，１４Ａ〜１４Ｃ毎に区分して出力することができる（プリント行為データ第２出力手段（不許可操作データ第２出力手段））。さらに、プリント行為データを日単位や週単位、月単位等の所定の期間に区分して出力することができる。
【０１２９】
（電子メール送信管理）
データ管理コンピュータ１８は、各機器監視サーバ１５Ａ〜１５Ｄから送信されたそれら電子メール送信データやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得した電子メール送信データやネットワーク識別データ、ユーザコンピュータ識別データを復号化する（電子メール送信データ復号化手段）。データ管理コンピュータ１８は、復号化した電子メール送信データをネットワーク識別データに基づいて各ネットワーク１６Ａ〜１６Ｄ毎に区分するとともに、電子メール送信データをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１３０】
データ管理コンピュータ１８は、電子メール送信データを各ネットワーク１６Ａ〜１６Ｄ毎に区分した状態でデータベースに格納するとともに（電子メール送信データ第１記憶手段（許可操作データ第1記憶手段））、電子メール送信データを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（電子メール送信データ第２記憶手段（許可操作データ第２記憶手段））。データ管理コンピュータ１８は、電子メール送信データをディスプレイ２３やプリンタ等の出力装置を介して出力することができる。データ管理コンピュータ１８は、電子メール送信データを各ネットワーク１６Ａ〜１６Ｄ毎に区分して出力することができ（電子メール送信データ第１出力手段（許可操作データ第1出力手段））、電子メール送信データを各ユーザコンピュータ１１Ａ〜１１Ｃ，１２Ａ〜１２Ｃ，１３Ａ〜１３Ｃ，１４Ａ〜１４Ｃ毎に区分して出力することができる（電子メール送信データ第２出力手段（許可操作データ第２出力手段））。さらに、電子メール送信データを日単位や週単位、月単位等の所定の期間に区分して出力することができる。
【０１３１】
（Ｗｅｂサイトアクセス管理）
データ管理コンピュータ１８は、各機器監視サーバ１５Ａ〜１５Ｄから送信されたそれらＷｅｂサイトアクセスデータやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得したＷｅｂサイトアクセスデータやネットワーク識別データ、ユーザコンピュータ識別データを復号化する（Ｗｅｂサイトアクセスデータ復号化手段）。データ管理コンピュータ１８は、復号化したＷｅｂサイトアクセスデータをネットワーク識別データに基づいて各ネットワーク１６Ａ〜１６Ｄ毎に区分するとともに、Ｗｅｂサイトアクセスデータをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１３２】
データ管理コンピュータ１８は、Ｗｅｂサイトアクセスデータを各ネットワーク１６Ａ〜１６Ｄ毎に区分した状態でデータベースに格納するとともに（Ｗｅｂサイトアクセスデータ第１記憶手段（許可操作データ第1記憶手段））、Ｗｅｂサイトアクセスデータを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（Ｗｅｂサイトアクセスデータ第２記憶手段（許可操作データ第２記憶手段））。データ管理コンピュータ１８は、Ｗｅｂサイトアクセスデータをディスプレイ２３やプリンタ等の出力装置を介して出力することができる。データ管理コンピュータ１８は、Ｗｅｂサイトアクセスデータを各ネットワーク１６Ａ〜１６Ｄ毎に区分して出力することができ（Ｗｅｂサイトアクセスデータ第１出力手段（許可操作データ第1出力手段））、Ｗｅｂサイトアクセスデータを各ユーザコンピュータ１１Ａ〜１１Ｃ，１２Ａ〜１２Ｃ，１３Ａ〜１３Ｃ，１４Ａ〜１４Ｃ毎に区分して出力することができる（Ｗｅｂサイトアクセスデータ第２出力手段（許可操作データ第２出力手段））。さらに、Ｗｅｂサイトアクセスデータを日単位や週単位、月単位等の所定の期間に区分して出力することができる。
【０１３３】
（外部ネットワークアクセス管理）
データ管理コンピュータ１８は、各機器監視サーバ１５Ａ〜１５Ｄから送信されたそれら外部ネットワークアクセスデータやネットワーク識別データ、ユーザコンピュータ識別データを所定の間隔（６時間毎や１２時間毎等の時間単位、１日毎や２日毎等の日単位、本実施の形態では１日毎）でデータ中継サーバ１７Ａ，１７Ｂに取りに行き、データ中継サーバ１７Ａ，１７Ｂから取得した外部ネットワークアクセスデータやネットワーク識別データ、ユーザコンピュータ識別データを復号化する（外部ネットワークアクセスデータ復号化手段）。データ管理コンピュータ１８は、復号化した外部ネットワークアクセスデータをネットワーク識別データに基づいて各ネットワーク１６Ａ〜１６Ｄ毎に区分するとともに、外部ネットワークアクセスデータをユーザコンピュータ識別データに基づいて各ユーザコンピュータ１１Ａ〜１１Ｃ，１２Ａ〜１２Ｃ，１３Ａ〜１３Ｃ，１４Ａ〜１４Ｃ毎に区分する。
【０１３４】
データ管理コンピュータ１８は、外部ネットワークアクセスデータを各ネットワーク１６Ａ〜１６Ｄ毎に区分した状態でデータベースに格納するとともに（外部ネットワークアクセスデータ第１記憶手段（許可操作データ第1記憶手段））、外部ネットワークアクセスデータを各ユーザコンピュータ１１Ａ〜１１Ｃ，１２Ａ〜１２Ｃ，１３Ａ〜１３Ｃ，１４Ａ〜１４Ｃ毎に区分した状態でデータベースに格納する（外部ネットワークアクセスデータ第２記憶手段（許可操作データ第２記憶手段））。データ管理コンピュータ１８は、外部ネットワークアクセスデータをディスプレイ２３やプリンタ等の出力装置を介して出力することができる。データ管理コンピュータ１８は、外部ネットワークアクセスデータを各ネットワーク１６Ａ〜１６Ｄ毎に区分して出力することができ（外部ネットワークアクセスデータ第１出力手段（許可操作データ第1出力手段））、外部ネットワークアクセスデータを各ユーザコンピュータ１１Ａ〜１１Ｃ，１２Ａ〜１２Ｃ，１３Ａ〜１３Ｃ，１４Ａ〜１４Ｃ毎に区分して出力することができる（外部ネットワークアクセスデータ第２出力手段（許可操作データ第２出力手段））。さらに、外部ネットワークアクセスデータを日単位や週単位、月単位等の所定の期間に区分して出力することができる。
【０１３５】
機器監視サーバ１５Ａ〜１５Ｄやデータ管理コンピュータ１８が各種データを暗号化する暗号化方式に特に限定はなく、公開鍵暗号化方式や共通鍵暗号化方式等の既存の暗号化方式を使用することができる。公開鍵暗号化方式には、ＲＳＡ方式、ＥＰＯＣ暗号方式、ラビン暗号方式、ディフィー・ヘルマン鍵配送エルガマル暗号方式、楕円ディフィー・ヘルマン鍵配送楕円エルガマル暗号方式のいずれかを使用することができる。共通鍵暗号化方式には、ＤＥＳ暗号方式、ＦＥＡＬ暗号方式、ＩＤＥＡ暗号方式、ＭＩＳＴＹ暗号方式、ＭＵＬＴＩ暗号方式、ＲＣ２／４／５暗号方式のいずれかを使用することができる。また、暗号化方式には、公開鍵暗号化方式（ＲＳＡ暗号方式）と共通鍵暗号化方式（ＤＥＳ暗号方式）とを併用したＭＩＸ暗号化方式を使用することもできる。
【０１３６】
各種情報が機器監視サーバ１５Ａ〜１５Ｄから中継サーバ１７Ａ，１７Ｂに所定間隔で送信されておらず、各種情報が機器監視サーバ１５Ａ〜１５Ｄから中継サーバ１７Ａ，１７Ｂに不定期に送信されている場合、または、各種情報が機器監視サーバ１５Ａ〜１５Ｄから中継サーバ１７Ａ，１７Ｂに送信されていない場合、データ管理コンピュータ１８は、それら情報の送信不備状態を伝える送信不備情報を電子メールで各機器監視サーバ１５Ａ〜１５Ｄに送信する。機器監視サーバ１５Ａ〜１５Ｄの管理者は、データ管理コンピュータ１８から送信された送信不備情報によってサーバ１５Ａ〜１５Ｄの故障やネットワーク構成の不備等を知ることができ、故障や構成不備等に対して迅速な対応を行うことができる。また、各種情報の送信の滞りを防ぐことができるから、ネットワーク１６Ａ〜１６Ｄにおける各種情報を確実に取得することができ、ユーザコンピュータ１１Ａ〜１１Ｃ，１２Ａ〜１２Ｃ，１３Ａ〜１３Ｃ，１４Ａ〜１４Ｃの利用状況や操作状況を確実に把握かつ監視することができる。
【０１３７】
（認証手続き）
図３は、機器監視サーバ１５Ａ〜１５Ｄやデータ管理コンピュータ１８のディスプレイに表示される認証手続きの表示画面の一例を示す図である。図３では、各項目の具体的な内容の表示を省略している。データ管理コンピュータ１８は、機器監視サーバ１５Ａ〜１５Ｄや管理コンピュータの起動時におけるそれらの認証を行う（認証実行手段）。認証の目的は、データ管理コンピュータ１８を起動した者が正当な権限を有するシステム管理者であるかを判断することにある。認証の他の目的は、機器監視サーバ１５Ａ〜１５Ｄをデータ管理コンピュータ１８にログインさせるか否かを判断することにある。換言すれば、データ管理コンピュータ１８にログインしようとする機器監視サーバ１５Ａ〜１５Ｄがこのシステムにおけるサーバであるかを確認する。データ管理コンピュータ１８が行う認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【０１３８】
機器監視サーバ１５Ａ〜１５Ｄやデータ管理コンピュータ１８を起動させると、それらのディスプレイ２３には、図３に示すように、ユーザ名の入力エリア３０とパスワードの入力エリア３１とが表示される。システム管理者やネットワーク１６Ａ〜１６Ｄ管理者は、それら入力エリア３０，３１にユーザ名とパスワードとを入力する。データ管理コンピュータ１８は、入力されたユーザ名およびパスワードをメモリに格納されたそれらと比較し、ユーザ名およびパスワードの正誤を判断する。ユーザ名およびパスワードが正しく認証結果が可である場合、データ管理コンピュータ１８の使用を許可する。また、機器監視サーバ１５Ａ〜１５Ｄをデータ管理コンピュータ１８にログインさせる。ユーザ名やパスワードが誤っていて認証結果が不可である場合、データ管理コンピュータ１８の使用を禁止し、使用禁止メッセージをディスプレイ２３に表示する。また、機器監視サーバ１５Ａ〜１５Ｄのデータ管理コンピュータ１８へのログインを禁止し、ログイン不可メッセージをディスプレイに表示させる。データ管理コンピュータ１８の起動時や管理コンピュータ１８へのログイン時に認証を行い、認証情報が正しくない場合、管理コンピュータ１８の使用を不可とし、管理コンピュータ１８へのログインを不可とするから、機器監視サーバ１５Ａ〜１５Ｄやデータ管理コンピュータ１８の不正利用を防ぐことができ、データベースやハードディスクに格納された各種情報の不正閲覧や情報の改竄、情報の流用を防ぐことができる。
【０１３９】
（ネットワーク構成データ）
図４は、ユーザコンピュータ設備情報の一例を示す図であり、図５は、アプリケーション一覧の一例を示す図である。図４，５では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃの設備情報やコンピュータ１１Ａ〜１１Ｃ，１２Ａ〜１２Ｃ，１３Ａ〜１３Ｃ，１４Ａ〜１４Ｃにインストールされたアプリケーションデータ、不許可アプリケーションデータをネットワーク１６Ａ〜１６Ｄ毎に区分してディスプレイ２３に表示するとともに、プリンタから出力する（ネットワーク構成データ出力手段）。
【０１４０】
システム管理者は、認証手続きを行ってデータ管理コンピュータ１８を使用可能にした後、コンピュータ１８のディスプレイ２３に表示されたレポート表示画面（図示せず）のレポート項目からコンピュータ設備情報を選択し、ネットワーク１６Ａ〜１６Ｄを指定する。コンピュータ設備情報を選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応するネットワーク構成データとそのユーザコンピュータ識別データに対応するユーザコンピュータ１１Ａ〜１１Ｃ，１２Ａ〜１２Ｃ，１３Ａ〜１３Ｃ，１４Ａ〜１４Ｃとをデータベースから抽出する。次に、データ管理コンピュータ１８は、図４に示すように、指定したネットワーク１６Ａ〜１６Ｄ内に存在する各ユーザコンピュータ１１Ａ〜１１Ｃ，１２Ａ〜１２Ｃ，１３Ａ〜１３Ｃ，１４Ａ〜１４Ｃのコンピュータ設備情報をディスプレイ２３に表示する（ネットワーク構成データ出力手段）。図４には、コンピュータ設備情報として、コンピュータ名表示エリア３２にコンピュータ名、ＯＳバージョン表示エリア３３にＯＳバージョン、メモリ容量表示エリア３４にメモリ容量、ＣＰＵ表示エリア３５にＣＰＵ、ＣＰＵ速度表示エリア３６にＣＰＵ速度、ハードディスク表示エリア３７にハードディスク（空き容量／総容量）が表示されている。
【０１４１】
また、ディスプレイ２３に表示されたレポート項目からアプリケーション一覧を選択するとともに、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応するネットワーク構成データとそのユーザコンピュータ識別データに対応するユーザコンピュータ１１Ａ〜１１Ｃ，１２Ａ〜１２Ｃ，１３Ａ〜１３Ｃ，１４Ａ〜１４Ｃとをデータベースから抽出する。次に、データ管理コンピュータ１８は、図５に示すように、そのネットワーク１６Ａ〜１６Ｄにおける各ユーザコンピュータ１１Ａ〜１１Ｃ，１２Ａ〜１２Ｃ，１３Ａ〜１３Ｃ，１４Ａ〜１４Ｃにインストールされているアプリケーション一覧をディスプレイ２３に表示するとともに、機器監視サーバ１５Ａ〜１５Ｄに保持されている不許可アプリケーションをディスプレイ２３に表示する（ネットワーク構成データ出力手段）。
【０１４２】
図５には、アプリケーション一覧として、コンピュータ名表示エリア３８にコンピュータ名、アプリケーション表示エリア３９にアプリケーションが表示され、不許可アプリケーション表示エリア４０に不許可アプリケーションが表示されている。システム管理者は、図４，５の各データをプリンタから出力することができる。システム管理者は、それらコンピュータ設備情報やアプリケーションデータ、不許可アプリケーションデータを利用することで、ネットワーク１６Ａ〜１６Ｄを形成するユーザコンピュータ１１Ａ〜１１Ｃ，１２Ａ〜１２Ｃ，１３Ａ〜１３Ｃ，１４Ａ〜１４Ｃのハードウェア構成やユーザコンピュータ１１Ａ〜１１Ｃ，１２Ａ〜１２Ｃ，１３Ａ〜１３Ｃ，１４Ａ〜１４Ｃにインストールされたアプリケーション、不許可アプリケーションを把握することができ、ユーザコンピュータ１１Ａ〜１１Ｃ，１２Ａ〜１２Ｃ，１３Ａ〜１３Ｃ，１４Ａ〜１４Ｃの管理や各アプリケーションの管理をネットワーク１６Ａ〜１６Ｄ単位で容易に行うことができる。
【０１４３】
（未登録コンピュータ接続データ）
図６，７は、未登録コンピュータのネットワーク接続データの一例を示す図であり、未登録コンピュータの日単位におけるネットワーク接続履歴を示す。図６，７では、各項目の具体的な内容の表示を省略している。データ管理コンピュータ１８は、データ中継サーバ１７Ａ，１７Ｂから取得した未登録コンピュータ接続データをネットワーク１６Ａ〜１６Ｄ毎に区分してディスプレイ２３に表示するとともに、プリンタから出力する（未登録コンピュータ接続データ出力手段）。
【０１４４】
システム管理者は、認証手続きを行ってデータ管理コンピュータ１８を使用可能にした後、コンピュータ１８のディスプレイ２３に表示されたレポート表示画面（図示せず）のレポート項目から未登録コンピュータ接続データを選択（クリック）し、ネットワーク１６Ａ〜１６Ｄを指定するとともに、期間を指定する。未登録コンピュータ接続データを選択し、ネットワーク１６Ａ〜１６Ｄおよび期間を指定すると、データ管理コンピュータ１８は、指定されたネットワーク１６Ａ〜１６Ｄに対応するネットワーク識別データを特定し、そのネットワーク識別データに対応する未登録コンピュータ接続データをデータベースから抽出する。次に、データ管理コンピュータ１８は、図６に示すように、指定したネットワーク１６Ａ〜１６Ｄおよび期間における未登録コンピュータ接続データをディスプレイ２３に表示する（未登録コンピュータ接続データ出力手段）。図６には、未登録コンピュータ接続データとして、期間表示エリア４１に指定した期日、件数表示エリア４２に未登録コンピュータ２１の指定期日における総接続件数、月日表示エリア４３に未登録コンピュータ２１が接続された日付、件数表示エリア４４に未登録コンピュータ２１の日単位における接続件数が表示されている。
【０１４５】
図６の画面において月日表示エリア４３に表示された日付を選択（クリック）すると、図７に示すように、選択した日付における未登録コンピュータ接続状況の詳細がディスプレイ２３に表示される。図７には、未登録コンピュータ接続状況の詳細として、期間表示エリア４５に指定した年月日、コンピュータ名表示エリア４６に未登録コンピュータ名、ワークグループ／ドメイン表示エリア４７に未登録コンピュータ２１のワークグループ／ドメイン、ＩＰアドレス表示エリア４８に未登録コンピュータ２１のＩＰアドレス、ＭＡＣアドレス表示エリア４９に未登録コンピュータ２１のＭＡＣアドレスが表示されている。管理者は、図６，７の未登録コンピュータ接続状況をプリンタから出力することができる。
【０１４６】
このシステム１０では、未登録コンピュータ接続データが機器監視サーバ１５Ａ〜１５Ｄからデータ中継サーバ１７Ａ，１７Ｂに送信され、データ管理コンピュータ１８がデータ中継サーバ１７Ａ，１７Ｂから取得した未登録コンピュータ接続データを各ネットワーク１６Ａ〜１６Ｄ毎に区分して管理するから、未登録コンピュータ２１のネットワーク１６Ａ〜１６Ｄへの接続を各ネットワーク１６Ａ〜１６Ｄ毎に一括して把握かつ監視することができる。システム１０は、ネットワーク１６Ａ〜１６Ｄを形成するユーザコンピュータ１１Ａ〜１１Ｃ，１２Ａ〜１２Ｃ，１３Ａ〜１３Ｃ，１４Ａ〜１４Ｃ以外の未登録コンピュータ２１が外部から持ち込まれ、それがネットワーク１６Ａ〜１６Ｄに接続されたとしても、それを各ネットワーク１６Ａ〜１６Ｄ毎に検出することができるから、ネットワーク１６Ａ〜１６Ｄにおける未登録コンピュータ２１の無制限の接続を各ネットワーク１６Ａ〜１６Ｄ毎に一括して規制することができる。このシステム１０は、接続が不適格な未登録コンピュータ２１のネットワーク１６Ａ〜１６Ｄへの接続を各ネットワーク１６Ａ〜１６Ｄ毎に防ぐことができるとともに、ネットワーク１６Ａ〜１６Ｄにおける各種データを未登録コンピュータ２１に格納して外部に持ち出す不正持ち出し行為を未然に防ぐことができる。
【０１４７】
（特定機器除外）
図８は、未登録コンピュータ除外設定画面の一例を示す図である。図８では、各項目の具体的な内容の表示を省略している。このシステム１０においてデータ管理コンピュータ１８は、操作データ管理アプリケーションがインストールされていない未登録コンピュータ２１のうち、特定のコンピュータ２２を未登録コンピュータ２１から除外することができる（特定機器除外手段）。また、除外した特定コンピュータ２２を再び未登録コンピュータ２１に変更することができる（特定機器変更手段）。未登録コンピュータ除外設定の一例を説明すると、以下のとおりである。
【０１４８】
システム管理者は、認証手続きを行ってデータ管理コンピュータ１８を使用可能にした後、コンピュータ１８のディスプレイ２３に表示されたレポート表示画面（図示せず）のレポート項目から未登録コンピュータ除外設定を選択（クリック）し、ネットワーク１６Ａ〜１６Ｄを指定する。未登録コンピュータ除外設定を選択し、ネットワーク１６Ａ〜１６Ｄを指定すると、図８に示す未登録コンピュータ除外設定画面がディスプレイ２３に表示される。未登録コンピュータ除外設定画面には、指定されたネットワーク１６Ａ〜１６Ｄにおける機器監視サーバ１５Ａ〜１５Ｄが検出した複数の未登録コンピュータ２１が表示される。未登録コンピュータ除外設定画面のうち、コンピュータ名表示エリア５０には未登録コンピュータ２１のコンピュータ名が表示され、ワークグループ／ドメイン表示エリア５１には未登録コンピュータ２１のワークグループ／ドメインが表示されている。
【０１４９】
システム管理者は、変更する未登録コンピュータ２１に対応する除外指定チェックボックス５２にチェックマークを入れ、未登録コンピュータ２１を指定し、未登録コンピュータ２１から特定コンピュータ２２に変更する未登録コンピュータ２１を特定する。除外指定チェックボックス５２にチェックマークを入れた後、システム管理者が画面の変更ボタンをクリックすると、チェックマークによって特定されたコンピュータの暗号化された特定コンピュータ識別データがデータ管理コンピュータ１８からデータ中継サーバ１７Ａ，１７Ｂに送信される（特定機器データ送信手段）。なお、システム管理者は、コンピュータ名入力エリア５３にコンピュータ名を入力し、ワークグループ／ドメイン入力エリア５４にワークグループ／ドメインを入力して変更する未登録コンピュータ２１を特定した後、変更ボタンをクリックして未登録コンピュータ２１を特定コンピュータ２２に変更することもできる。
【０１５０】
逆に、システム管理者は、変更する特定コンピュータ２２に対応する除外指定チェックボックス５２のチェックマークを外し、特定コンピュータ２２から未登録コンピュータ２１に変更する特定コンピュータ２２を特定し、特定コンピュータ２２を未登録コンピュータ２１に変更することができる。除外指定チェックボックス５２に入れたチェックマークを外した後、システム管理者が画面の変更ボタンをクリックすると、チェックマークを外したコンピュータの暗号化された未登録コンピュータ識別データがデータ管理コンピュータ１８からデータ中継サーバ１７Ａ，１７Ｂに送信される（未登録機器データ送信手段）。
【０１５１】
このシステム１０は、未登録コンピュータ２１の中から特定のコンピュータ２２にネットワーク１６Ａ〜１６Ｄへの接続の必要性が生じた場合、データ管理コンピュータ１８を介してその特定コンピュータ２２のネットワーク１６Ａ〜１６Ｄへの接続をネットワーク１６Ａ〜１６Ｄ毎に許可することができ、未登録コンピュータ２１のネットワーク１６Ａ〜１６Ｄへの接続の必要性に容易かつ迅速に対応することができる。また、特定コンピュータ２２が未登録コンピュータ２１として検出された場合、特定コンピュータ２２と未登録コンピュータ２１とを区別する手間を要するが、このシステム１０は、特定コンピュータ２２がネットワーク１６Ａ〜１６Ｄに接続された場合、その特定コンピュータ２２を未登録コンピュータ２１として検出しないから、特定コンピュータ２２と未登録コンピュータ２１とを区別する煩わしさを回避することができる。さらに、特定コンピュータ２２をネットワーク１６Ａ〜１６Ｄに接続することが不適切となった場合、データ管理コンピュータ１８を介してその特定コンピュータ２２を未登録コンピュータ２１に変更することができるから、接続が不適格になった特定コンピュータ２２のネットワーク１６Ａ〜１６Ｄへの接続を規制することができる。
【０１５２】
（未登録コンピュータ接続データ送信間隔）
図９は、未登録コンピュータ接続データ送信間隔設定変更画面の一例を示す図である。図９では、各項目の具体的な内容の表示を省略している。このシステム１０においてデータ管理コンピュータ１８は、機器監視サーバ１５Ａ〜１５Ｄからデータ中継サーバ１７Ａ，１７Ｂに送信される未登録コンピュータ接続データの送信間隔を設定、変更することができる（送信間隔第１変更手段）。送信間隔の設定、変更の一例を説明すると、以下のとおりである。システム管理者は、認証手続きを行ってデータ管理コンピュータ１８を使用可能にした後、コンピュータ１８のディスプレイ２３に表示されたレポート表示画面（図示せず）のレポート項目から未登録コンピュータ接続データ送信間隔設定変更を選択（クリック）する。未登録コンピュータ接続データ送信間隔設定変更を選択すると、図９に示す未登録コンピュータ接続データ送信間隔設定変更画面がディスプレイ２３に表示される。未登録コンピュータ接続データ送信間隔設定変更画面のうち、送信間隔表示エリア５５にはすでに設定されている送信間隔が表示され、ネットワーク名表示エリア５６には各ネットワーク１６Ａ〜１６Ｄのネットワーク名が表示される。
【０１５３】
システム管理者は、送信間隔を設定変更するネットワーク１６Ａ〜１６Ｄに対応する設定変更チェックボックス５７にチェックマークを入れ、ネットワーク１６Ａ〜１６Ｄを指定し、送信間隔を設定変更するネットワーク１６Ａ〜１６Ｄを特定する。さらに、送信間隔表示エリア５５に表示される送信間隔をドロップダウンリスト５８から選択する。設定変更チェックボックス５７にチェックマークを入れ、送信間隔を選択した後、システム管理者が画面の設定変更ボタンをクリックすると、チェックマークによって特定されたネットワーク１６Ａ〜１６Ｄの暗号化された送信間隔データがデータ管理コンピュータ１８からデータ中継サーバ１７Ａ，１７Ｂに送信される（送信間隔データ送信手段）このシステム１０は、データ管理コンピュータ１８を介して機器監視サーバ１５Ａ〜１５Ｄにおける未登録コンピュータ接続データの送信間隔を自由に設定、変更することができるから、各ネットワーク１６Ａ〜１６Ｄの機器構成や機器数等のネットワーク構成条件に応じて各ネットワーク１６Ａ〜１６Ｄ毎に異なる送信間隔を設定することができ、各ネットワーク１６Ａ〜１６Ｄ毎に最適な送信間隔を設定することができる。
【０１５４】
（操作データ送信間隔）
図１０は、各種操作データの送信間隔設定変更画面の一例を示す図である。図１０では、各項目の具体的な内容の表示を省略している。このシステム１０においてデータ管理コンピュータ１８は、機器監視サーバ１５Ａ〜１５Ｄからデータ中継サーバ１７Ａ，１７Ｂに送信されるユーザコンピュータ１１Ａ〜１１Ｃ，１２Ａ〜１２Ｃ，１３Ａ〜１３Ｃ，１４Ａ〜１４Ｃの各種操作データ（許可操作データ、不許可操作データ）の送信間隔（各種操作データ送信間隔）を自由に設定、変更することができる（送信間隔第２変更手段）。また、ユーザコンピュータ１１Ａ〜１１Ｃ，１２Ａ〜１２Ｃ，１３Ａ〜１３Ｃ，１４Ａ〜１４Ｃから機器監視サーバ１５Ａ〜１５Ｄに送信（出力）される各種操作データの送信間隔（出力間隔）を各ネットワーク１６Ａ〜１６Ｄ毎に自由に設定、変更することができる（ユーザコンピュータ送信間隔変更手段）。送信間隔設定、変更の一例は、以下のとおりである。
【０１５５】
システム管理者は、認証手続きを行ってデータ管理コンピュータ１８を使用可能にした後、コンピュータ１８のディスプレイ２３に表示されたレポート表示画面（図示せず）のレポート項目から操作データ送信間隔設定を選択（クリック）するとともに、ネットワーク１６Ａ〜１６Ｄを指定する。操作データ送信間隔設定を選択し、ネットワーク１６Ａ〜１６Ｄを指定すると、操作データ送信間隔設定画面が表示される。操作データ送信間隔設定画面には、ネットワーク名表示エリア５９にネットワーク名が表示され、送信間隔表示エリア６０に設定済みの送信間隔が表示されている。
【０１５６】
システム管理者は、送信間隔設定エリア６１に表示される送信間隔をドロップダウンリスト６２から選択し、送信間隔を特定する。送信間隔を特定した後、その送信間隔をすべてのネットワーク１６Ａ〜１６Ｄに適用する場合は、すべてのチェックボックス６３にチェックを入れて設定ボタンを選択（クリック）する。また、その送信間隔を特定のネットワーク１６Ａ〜１６Ｄのみに適用する場合は、適用対象のネットワーク１６Ａ〜１６Ｄのチェックボックス６３にチェックを入れて設定ボタンを選択（クリック）する。また、各種操作データのうちの特定のデータのみにその送信間隔を適用する場合は、データ指定入力エリア６４に表示されるデータをドロップダウンリスト６５から選択する。ドロップダウンリスト６５に表示されるデータ名には、ネットワーク構成、使用履歴データ、アクセス履歴データ、プリント履歴データ、ファイルアクセス履歴データ、外部アクセス履歴データ、指定時間外使用履歴データ、持ち出し行為データ、プリント行為データ、電子メール送信データ、Ｗｅｂサイトアクセスデータ、外部ネットワークアクセスデータがある。
【０１５７】
送信間隔を選択し、チェックボックス６３にチェックを入れた後、システム管理者が設定ボタンを選択（クリック）すると、チェックマークによって特定されたネットワーク１６Ａ〜１６Ｄの暗号化された送信間隔データがデータ管理コンピュータ１８からデータ中継サーバ１７Ａ，１７Ｂに送信される（送信間隔データ送信手段）。また、チェックボックス６３にチェックを入れ、データ指定入力エリア６４に表示されるデータをドロップダウンリスト６５から選択した後、システム管理者が設定ボタンを選択（クリック）すると、チェックマークによって特定されたネットワーク１６Ａ〜１６Ｄの暗号化された送信間隔データがデータ管理コンピュータ１８からデータ中継サーバ１７Ａ，１７Ｂに送信される（送信間隔データ送信手段）。暗号化された送信間隔データ、ネットワーク識別データは、データ中継サーバ１７Ａ，１７Ｂに保持される。
【０１５８】
このシステム１０では、データ管理コンピュータ１８を介して機器監視サーバ１５Ａ〜１５Ｄやユーザコンピュータ１１Ａ〜１１Ｃ，１２Ａ〜１２Ｃ，１３Ａ〜１３Ｃ，１４Ａ〜１４Ｃにおける許可操作データおよび不許可操作データの送信間隔を自由に設定、変更することができるから、ネットワーク１６Ａ〜１６Ｄ毎に適正な送信間隔を設定することができるとともに、各種操作データに応じて適正な送信間隔を設定することができる。また、各ネットワーク１６Ａ〜１６Ｄの機器構成や機器数等のネットワーク構成条件に応じて各ネットワーク１６Ａ〜１６Ｄ毎に異なる送信間隔を設定することができ、各ネットワーク１６Ａ〜１６Ｄ毎に最適な送信間隔を設定することができる。
【０１５９】
（データ送信先変更）
図１１は、各種データの送信先変更画面の一例を示す図である。図１１では、各項目の具体的な内容の表示を省略している。このシステム１０においてデータ管理コンピュータ１８は、機器監視サーバ１５Ａ〜１５Ｄから送信される未登録コンピュータ接続データやユーザコンピュータ１１Ａ〜１１Ｃ，１２Ａ〜１２Ｃ，１３Ａ〜１３Ｃ，１４Ａ〜１４Ｃの各種操作データ（許可操作データ、不許可操作データ）の送信先を所定のデータ中継サーバ１７Ａ，１７Ｂから他のデータ中継サーバ１７Ａ，１７Ｂに変更することができる（データ送信先変更手段）。送信間隔の設定、変更の一例を説明すると、以下のとおりである。
【０１６０】
システム管理者は、認証手続きを行ってデータ管理コンピュータ１８を使用可能にした後、コンピュータ１８のディスプレイ２３に表示されたレポート表示画面（図示せず）のレポート項目から送信先変更を選択（クリック）する。送信先変更を選択すると、図１１に示す送信先変更画面がディスプレイ２３に表示される。送信先変更画面のうち、機器管理サーバ表示エリア６６にはサーバ名が表示され、データ中継サーバ名表示エリア６７にはデータ中継サーバ名が表示される。なお、機器管理サーバ表示エリア６６に表示されたサーバ１５Ａ〜１５Ｄのデータ送信先の中継サーバ１７Ａ，１７Ｂのチェックボックス６８には、チェックマークが表示される。
【０１６１】
システム管理者は、機器監視サーバ表示エリア６６に表示される機器監視サーバ１５Ａ〜１５Ｄをドロップダウンリスト６９から選択する。機器監視サーバ１５Ａ〜１５Ｄを選択すると、そのサーバ１５Ａ〜１５Ｄのデータ送信先の中継サーバ１７Ａ，１７Ｂのチェックボックス６８にチェックマークが表示される。システム管理者は、チェックボックス６８のチェックを外し、他の中継サーバのチェックボックス６８にチェックマークを入れて中継サーバを変更する。他の中継サーバのチェックボックス６８にチェックマークを入れた後、システム管理者が画面の変更ボタンをクリックすると、送信先変更データがデータ管理コンピュータ１８から変更対象の各データ中継サーバ１７Ａ，１７Ｂに送信される（送信先変更データ送信手段）。このシステム１０は、各データ中継サーバ１７Ａ，１７Ｂの記憶容量やデータ中継サーバ１７Ａ，１７Ｂが受け持つネットワーク１６Ａ〜１６Ｄの機器構成や機器数等のネットワーク構成条件に応じて適正なデータ中継サーバ１７Ａ，１７Ｂを自由に選択することができ、データ中継サーバ１７Ａ，１７Ｂにおける記憶容量の超過を未然に防ぐことができ、記憶容量が超過することによるデータ中継サーバ１７Ａ，１７Ｂにおける各種データの受け取り拒否を防ぐことができる。
【０１６２】
（記憶容量管理）
図１２は、データ中継サーバ設備情報の一例を示す図である。図１２では、各項目の具体的な内容の表示を省略している。データ管理コンピュータ１８は、各データ中継サーバ１７Ａ，１７Ｂの記憶容量を時系列かつエンドレスに監視する（記憶容量監視手段）。データ管理コンピュータ１８は、データ中継サーバ１７Ａ，１７Ｂの記憶容量超過データを含む設備情報をディスプレイ２３に表示するとともに、プリンタから出力する（記憶容量超過データ出力手段）。
【０１６３】
システム管理者は、認証手続きを行ってデータ管理コンピュータ１８を使用可能にした後、コンピュータ１８のディスプレイ２３に表示されたレポート表示画面（図示せず）のレポート項目からデータ中継サーバ設備情報を選択するとともに、データ中継サーバ１７Ａ，１７Ｂを指定する。データ中継サーバ設備情報を選択し、データ中継サーバ１７Ａ，１７Ｂを指定すると、データ管理コンピュータ１８は、図１２に示すように、データ中継サーバ１７Ａ，１７Ｂの設備情報をディスプレイ２３に表示する。図１２には、データ中継サーバ設備情報として、データ中継サーバ名表示エリア７０にデータ中継サーバ名、メモリ容量表示エリア７１にメモリ容量、許容量表示エリア７２に許容記憶容量、使用容量表示エリア７３に実測記憶容量、超過容量表示エリア７４に超過容量、ハードディスク表示エリア７５にハードディスク（空き容量／総容量）が表示されている。このシステム１０は、データ管理コンピュータ１８を介してデータ中継サーバ１７Ａ，１７Ｂにおける記憶容量の超過を未然に防ぐことができ、記憶容量が超過することによるデータ中継サーバ１７Ａ，１７Ｂにおける各データの受け取り拒否を防ぐことができる。
【０１６４】
（ログデータ）
図１３は、ファイアーウォール１９のログデータの一例を示す図である。図１３では、各項目の具体的な内容の表示を省略している。データ管理コンピュータ１８は、各ファイアーウォール１９から受信したログデータをディスプレイ２３に表示するとともに、プリンタから出力する（ログデータ出力手段）。システム管理者は、認証手続きを行ってデータ管理コンピュータ１８を使用可能にした後、コンピュータ１８のディスプレイ２３に表示されたレポート表示画面（図示せず）のレポート項目からログデータを選択（クリック）し、ネットワーク１６Ａ〜１６Ｄおよびファイアーウォールを指定するとともに、期間を指定する。ログデータを選択し、ネットワーク１６Ａ〜１６Ｄやファイアーウォール、期間を指定すると、データ管理コンピュータ１８は、指定されたネットワーク１６Ａ〜１６Ｄに対応するログデータをデータベースから抽出する。次に、データ管理コンピュータ１８は、図１３に示すように、指定したネットワーク１６Ａ〜１６Ｄやファイアーウォール、期間におけるログデータをディスプレイ２３に表示する。図１３には、ログデータとして、期間表示エリア７６に指定した期日、ファイアーウォール名表示エリア７７にファイアーウォール名、ログデータ表示エリア７８にログデータの内容が表示されている。このシステムは、ユーザコンピュータ１１Ａ〜１１Ｃ，１２Ａ〜１２Ｃ，１３Ａ〜１３Ｃ，１４Ａ〜１４Ｃから発信された不適切データのログデータを各ネットワーク１６Ａ〜１６Ｄ毎に管理することで、不適切データのシステム１０における流通を各ネットワーク１６Ａ〜１６Ｄ毎に把握かつ監視することができ、不適切なデータのシステム１０における拡散を規制することができる。
【０１６５】
（使用履歴データ）
図１４，１５は、アプリケーションの使用履歴データの一例を示す図であり、ユーザコンピュータ１１Ａ〜１１Ｃ，１２Ａ〜１２Ｃ，１３Ａ〜１３Ｃ，１４Ａ〜１４Ｃのアプリケーションの使用履歴を示す。図１４，１５では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃにおけるアプリケーションの使用履歴データをネットワーク１６Ａ〜１６Ｄ毎に区分してディスプレイ２３に表示するとともに、プリンタから出力する（使用履歴データ第１出力手段）。また、アプリケーションの使用履歴データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（使用履歴データ第２出力手段）。
【０１６６】
システム管理者は、認証手続きを行ってデータ管理コンピュータ１８を使用可能にした後、コンピュータ１８のディスプレイ２３に表示されたレポート表示画面（図示せず）のレポート項目から使用履歴データを選択（クリック）し、ネットワーク１６Ａ〜１６Ｄを指定するとともに、期間を指定する。使用履歴データを選択し、ネットワーク１６Ａ〜１６Ｄおよび期間を指定すると、データ管理コンピュータ１８は、指定されたネットワーク１６Ａ〜１６Ｄに対応するネットワーク識別データとユーザコンピュータ識別データとを特定し、そのネットワーク識別データに対応する使用履歴データとそのユーザコンピュータ識別データに対応する使用履歴データとをデータベースから抽出する。次に、データ管理コンピュータ１８は、図１４に示すように、指定したネットワーク１６Ａ〜１６Ｄおよび期間におけるユーザコンピュータ１１Ａ〜１１Ｃ，１２Ａ〜１２Ｃ，１３Ａ〜１３Ｃ，１４Ａ〜１４Ｃのアプリケーション使用履歴をディスプレイ２３に表示する（使用履歴データ第１出力手段）。図１４には、使用履歴情報の一例として、期間表示エリア７９に指定した期間、コンピュータ名表示エリア８０にコンピュータ名（アプリケーションを使用したコンピュータ名）、ＭＡＣアドレス表示エリア８１にＭＡＣアドレス、ワークグループ／ドメイン表示エリア８２にワークグループ／ドメイン、初起動時間表示エリア８３に初起動時間、最終終了時間表示エリア８４に最終終了時間、操作回数表示エリア８４にアプリケーションの操作回数が表示されている。
【０１６７】
図１４の画面において下線部分に表示されるコンピュータ名を選択（クリック）すると、データ管理コンピュータ１８は、図１５に示すように、選択したユーザコンピュータ１１Ａ〜１１Ｃ，１２Ａ〜１２Ｃ，１３Ａ〜１３Ｃ，１４Ａ〜１４Ｃのアプリケーション使用履歴の詳細をディスプレイ２３に表示する（使用履歴データ第２出力手段）。図１５には、使用履歴データの詳細の一例として、月日表示エリア８５に月日、コンピュータ名表示エリア８６にコンピュータ名、ワークグループ／ドメイン表示エリア８７にワークグループ／ドメイン、ＩＰアドレス表示エリア８８にＩＰアドレス、ＭＡＣアドレス表示エリア８９にＭＡＣアドレスが表示されている。さらに、電源ＯＮ／ＯＦＦ記録表示エリア９０に電源ＯＮ／ＯＦＦ記録、ユーザ名表示エリア９１にユーザ名（アプリケーションを使用したユーザコンピュータ１１Ａ〜１１Ｃ，１２Ａ〜１２Ｃ，１３Ａ〜１３Ｃ，１４Ａ〜１４Ｃのユーザ名）、開始日時表示エリア９２に開始日時（アプリケーションの使用開始日時）、終了日時表示エリア９３に終了日時（アプリケーションの使用終了日時）、操作時間表示エリア９４に操作時間（アプリケーションの使用時間）、アプリケーション名表示エリア９５にアプリケーション名（使用したアプリケーション名）、操作ウインドウ名表示エリア９６に操作ウインドウ名（使用したアプリケーションの操作ウインドウ名）が表示されている。システム管理者は、図１４，１５のアプリケーション使用履歴データをプリンタから出力することができる。
【０１６８】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃにおけるアプリケーションの使用履歴データを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃのアプリケーション使用状況を把握することができ、ユーザコンピュータ１１Ａ〜１１Ｃ，１２Ａ〜１２Ｃ，１３Ａ〜１３Ｃ，１４Ａ〜１４Ｃにおけるアプリケーションの使用を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、アプリケーションの無制限の使用を規制することができる。
【０１６９】
（アクセス履歴データ）
図１６，１７は、アクセス履歴データの一例を示す図であり、ユーザコンピュータ１１Ａ〜１１Ｃ，１２Ａ〜１２Ｃ，１３Ａ〜１３Ｃ，１４Ａ〜１４Ｃの週間のアクセス履歴を示す。図１６，１７では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃの不許可アプリケーションへのアクセス履歴データをネットワーク１６Ａ〜１６Ｄ毎に区分してディスプレイ２３に表示するとともに、プリンタから出力する（アクセス履歴データ第１出力手段）。また、不許可アプリケーションへのアクセス履歴データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（アクセス履歴データ第２出力手段）。
【０１７０】
システム管理者は、認証手続きを行ってデータ管理コンピュータ１８を使用可能にした後、コンピュータ１８のディスプレイ２３に表示されたレポート表示画面（図示せず）のレポート項目からアクセス履歴データを選択（クリック）し、ネットワーク１６Ａ〜１６Ｄを指定するとともに、期間を指定する。アクセス履歴データを選択し、ネットワーク１６Ａ〜１６Ｄおよび期間を指定すると、データ管理コンピュータ１８は、指定されたネットワーク１６Ａ〜１６Ｄに対応するネットワーク識別データとユーザコンピュータ識別データとを特定し、そのネットワーク識別データに対応するアクセス履歴データとそのユーザコンピュータ識別データに対応するアクセス履歴データとをデータベースから抽出する。次に、データ管理コンピュータ１８は、図１６に示すように、指定したネットワーク１６Ａ〜１６Ｄおよび期間におけるユーザコンピュータ１１Ａ〜１１Ｃ，１２Ａ〜１２Ｃ，１３Ａ〜１３Ｃ，１４Ａ〜１４Ｃの不許可アプリケーションへのアクセス履歴データをディスプレイ２３に表示する（アクセス履歴データ第１出力手段）。図１６には、アクセス履歴データの一例として、期間表示エリア９７に指定した期間、コンピュータ名表示エリア９８にコンピュータ名（不許可アプリケーションにアクセスしたコンピュータ名）、ワークグループ／ドメイン表示エリア９９にワークグループ／ドメイン、ユーザ名表示エリア１００にユーザ名（不許可アプリケーションにアクセスしたコンピュータのユーザ名）、アクセス回数表示エリア１０１にアクセス回数（アプリケーションへのアクセス回数）が表示されている。
【０１７１】
図１６の画面において下線部分に表示されるコンピュータ名を選択（クリック）すると、データ管理コンピュータ１８は、図１７に示すように、選択したユーザコンピュータ１１Ａ〜１１Ｃ，１２Ａ〜１２Ｃ，１３Ａ〜１３Ｃ，１４Ａ〜１４Ｃのアクセス履歴の詳細をディスプレイ２３に表示する（アクセス履歴データ第２出力手段）。図１７には、アクセス履歴データの詳細の一例として、月日表示エリア１０２に月日〜月日（1週間）、コンピュータ名表示エリア１０３にコンピュータ名、ワークグループ／ドメイン表示エリア１０４にワークグループ／ドメイン、ＩＰアドレス表示エリア１０５にＩＰアドレス、ＭＡＣアドレス表示エリア１０６にＭＡＣアドレスが表示されている。さらに、ユーザ名表示エリア１０７にユーザ名、アクセス日時表示エリア１０８にアクセス日時（不許可アプリケーションへのアクセス日時）、アプリケーション名表示エリア１０９にアプリケーション名（アクセスした不許可アプリケーション名）が表示されている。管理者は、図１６，１７のアクセス履歴データをプリンタから出力することができる。
【０１７２】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃにおける不許可アプリケーションへのアクセス履歴データを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの不許可アプリケーションへのアクセス状況を把握することができ、ユーザコンピュータ１１Ａ〜１１Ｃ，１２Ａ〜１２Ｃ，１３Ａ〜１３Ｃ，１４Ａ〜１４Ｃにおける不許可アプリケーションへのアクセスを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、不許可アプリケーションに対するアクセス行為を規制することができる。
【０１７３】
（許可アプリケーションの追加、変更、削除）
図１８は、アプリケーションの追加、変更、削除の設定画面の一例を示す図である。図１８では、各項目の具体的な内容の表示を省略している。データ管理コンピュータ１８は、各ネットワーク１６Ａ〜１６Ｄを形成するユーザコンピュータ１１Ａ〜１１Ｃ，１２Ａ〜１２Ｃ，１３Ａ〜１３Ｃ，１４Ａ〜１４Ｃに使用させるアプリケーションの追加、変更、削除を各ネットワーク１６Ａ〜１６Ｄ毎に行うことができる（許可アプリケーション改変手段）。アプリケーション追加の一例は、以下のとおりである。システム管理者は、認証手続きを行ってデータ管理コンピュータ１８を使用可能にした後、コンピュータ１８のディスプレイ２３に表示されたレポート表示画面（図示せず）のレポート項目からアプリケーション設定を選択（クリック）するとともに、ネットワーク１６Ａ〜１６Ｄを指定する。アプリケーション設定を選択し、ネットワーク１６Ａ〜１６Ｄを指定すると、アプリケーション設定画面が表示される。
【０１７４】
システム管理者は、アプリケーション名入力エリア１１０にアプリケーション名を入力し、ユーザコンピュータ１１Ａ〜１１Ｃ，１２Ａ〜１２Ｃ，１３Ａ〜１３Ｃ，１４Ａ〜１４Ｃに使用させるアプリケーションを特定する。アプリケーション名に対応するアプリケーションソフトは、データ管理コンピュータ１８のハードディスクに格納されている。アプリケーション名を入力した後、システム管理者が画面の追加ボタンを選択（クリック）すると、図１８に示すように、アプリケーション名表示エリア１１１にアプリケーション名が表示され、コンピュータ名表示エリア１１２には指定したネットワーク１６Ａ〜１６Ｄを形成するユーザコンピュータ名が表示される。追加するアプリケーションをすべてのユーザコンピュータ１１Ａ〜１１Ｃ，１２Ａ〜１２Ｃ，１３Ａ〜１３Ｃ，１４Ａ〜１４Ｃに適用する場合は、すべてのチェックボックス１１３にチェックを入れて追加ボタンを選択（クリック）する。また、追加するアプリケーションを特定のユーザコンピュータ１１Ａ〜１１Ｃ，１２Ａ〜１２Ｃ，１３Ａ〜１３Ｃ，１４Ａ〜１４Ｃのみに適用する場合は、適用対象のコンピュータのチェックボックス１１３にチェックを入れて追加ボタンを選択（クリック）する。
【０１７５】
チェックボックス１１３にチェックを入れた後、システム管理者が追加ボタンを選択（クリック）すると、データ管理コンピュータ１８は、入力されたアプリケーション名やアプリケーションソフト、追加指令を暗号化し、暗号化したアプリケーション名にネットワーク識別データとユーザコンピュータ識別データとを添付した後、それらをデータ中継サーバ１７Ａ，１７Ｂに送信する。暗号化されたアプリケーション名やアプリケーションソフト、追加指令、ネットワーク識別データ、ユーザコンピュータ識別データは、データ中継サーバ１７Ａ，１７Ｂに保持される。なお、すべてのユーザコンピュータ１１Ａ〜１１Ｃ，１２Ａ〜１２Ｃ，１３Ａ〜１３Ｃ，１４Ａ〜１４Ｃにアプリケーションを追加する場合は、暗号化されたアプリケーション名にネットワーク識別データのみが添付され、暗号化されたアプリケーション名やアプリケーションソフト、追加指令、ネットワーク識別データがデータ中継サーバ１７Ａ，１７Ｂに保持される。
【０１７６】
機器監視サーバ１５Ａ〜１５Ｄは、データ中継サーバ１７Ａ，１７Ｂから取得した新たなアプリケーション名やアプリケーションソフト、追加指令を復号化した後、それらをハードディスクに格納し、そのアプリケーションを使用させるユーザコンピュータ１１Ａ〜１１Ｃ，１２Ａ〜１２Ｃ，１３Ａ〜１３Ｃ，１４Ａ〜１４Ｃのユーザコンピュータ識別データをハードディスクに格納する。すべてのユーザコンピュータ１１Ａ〜１１Ｃ，１２Ａ〜１２Ｃ，１３Ａ〜１３Ｃ，１４Ａ〜１４Ｃにアプリケーションを追加する場合は、新たなアプリケーションソフトが機器監視サーバ１５Ａ〜１５Ｄからすべてのユーザコンピュータ１１Ａ〜１１Ｃ，１２Ａ〜１２Ｃ，１３Ａ〜１３Ｃ，１４Ａ〜１４Ｃにダウンロード（インストール）される。指定されたユーザコンピュータ１１Ａ〜１１Ｃ，１２Ａ〜１２Ｃ，１３Ａ〜１３Ｃ，１４Ａ〜１４Ｃのみにアプリケーションを追加する場合は、ユーザコンピュータ識別データによって特定されたコンピュータのみに新たなアプリケーションソフトが機器監視サーバ１５Ａ〜１５Ｄからダウンロード（インストール）される。
【０１７７】
このシステム１０では、ネットワーク１６Ａ〜１６Ｄを形成するすべてのユーザコンピュータ１１Ａ〜１１Ｃ，１２Ａ〜１２Ｃ，１３Ａ〜１３Ｃ，１４Ａ〜１４Ｃまたは特定のユーザコンピュータ１１Ａ〜１１Ｃ，１２Ａ〜１２Ｃ，１３Ａ〜１３Ｃ，１４Ａ〜１４Ｃに新たなアプリケーションを使用させる必要が生じたとしても、データ管理コンピュータ１８を介してそのアプリケーションを自由に追加することができるから、ネットワーク１６Ａ〜１６Ｄにおけるアプリケーションの使用要求に容易かつ迅速に対応することができる。システム管理者は、新たに使用可となったアプリケーションの各ネットワーク１６Ａ〜１６Ｄやユーザコンピュータ１１Ａ〜１１Ｃ，１２Ａ〜１２Ｃ，１３Ａ〜１３Ｃ，１４Ａ〜１４Ｃにおける使用の可否を決定することができるから、アプリケーションの使用の可否をネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理することができ、アプリケーションの無制限の使用を規制することができる。
【０１７８】
アプリケーション変更の一例は、以下のとおりである。システム管理者は、認証手続きを行ってデータ管理コンピュータ１８を使用可能にした後、コンピュータ１８のディスプレイ２３に表示されたレポート表示画面のレポート項目からアプリケーション設定を選択（クリック）するとともに、ネットワーク１６Ａ〜１６Ｄを指定する。アプリケーション設定を選択し、ネットワーク１６Ａ〜１６Ｄを指定すると、アプリケーション設定画面が表示される。次に、アプリケーション設定画面のうちの変更ボタンを選択（クリック）する。変更ボタンを選択すると、アプリケーション設定画面のアプリケーション名表示エリア１１１にアプリケーション名が表示され、コンピュータ名表示エリア１１２に指定したネットワーク１６Ａ〜１６Ｄのユーザコンピュータ名が表示される（図１８援用）。
【０１７９】
システム管理者は、アプリケーション設定画面のチェックボックス１１３にチェックマークを入れ、変更するアプリケーションを指定し、使用可から不許可に変更するアプリケーションを特定する。アプリケーションの変更をすべてのユーザコンピュータ１１Ａ〜１１Ｃ，１２Ａ〜１２Ｃ，１３Ａ〜１３Ｃ，１４Ａ〜１４Ｃに適用する場合は、すべてのチェックボックス１１３にチェックを入れる。また、アプリケーションの変更を特定のユーザコンピュータ１１Ａ〜１１Ｃ，１２Ａ〜１２Ｃ，１３Ａ〜１３Ｃ，１４Ａ〜１４Ｃのみに適用する場合は、適用対象のコンピュータのチェックボックス１１３にチェックを入れる。
【０１８０】
チェックボックス１１３にチェックマークを入れた後、システム管理者が変更ボタンを選択（クリック）すると、データ管理コンピュータ１８は、チェックマークによって特定されたアプリケーション名、変更指令を暗号化し、暗号化したアプリケーション名にネットワーク識別データとユーザコンピュータ識別データとを添付した後、それらをデータ中継サーバ１７Ａ，１７Ｂに出力する。暗号化されたアプリケーション名、変更指令、ネットワーク識別データ、ユーザコンピュータ識別データは、データ中継サーバ１７Ａ，１７Ｂに保持される。なお、すべてのユーザコンピュータ１１Ａ〜１１Ｃ，１２Ａ〜１２Ｃ，１３Ａ〜１３Ｃ，１４Ａ〜１４Ｃにおいてアプリケーションを変更する場合は、暗号化されたアプリケーション名にネットワーク識別データのみが添付され、暗号化されたアプリケーション名、変更指令、ネットワーク識別データがデータ中継サーバ１７Ａ，１７Ｂに保持される。
【０１８１】
機器監視サーバ１５Ａ〜１５Ｄは、データ中継サーバ１７Ａ，１７Ｂから取得したアプリケーション名、変更指令を復号化した後、それらをハードディスクに格納し、アプリケーションを変更するユーザコンピュータ１１Ａ〜１１Ｃ，１２Ａ〜１２Ｃ，１３Ａ〜１３Ｃ，１４Ａ〜１４Ｃのユーザコンピュータ識別データをハードディスクに格納する。すべてのユーザコンピュータ１１Ａ〜１１Ｃ，１２Ａ〜１２Ｃ，１３Ａ〜１３Ｃ，１４Ａ〜１４Ｃにおいてアプリケーションを変更する場合は、指定されたアプリケーションがすべてのユーザコンピュータ１１Ａ〜１１Ｃ，１２Ａ〜１２Ｃ，１３Ａ〜１３Ｃ，１４Ａ〜１４Ｃからアンインストールされ、アンインストールされたアプリケーションが不許可アプリケーションとして機器監視サーバ１５Ａ〜１５Ｄのハードディスクに格納される。指定されたユーザコンピュータ１１Ａ〜１１Ｃ，１２Ａ〜１２Ｃ，１３Ａ〜１３Ｃ，１４Ａ〜１４Ｃのみにおいてアプリケーションを変更する場合は、指定されたアプリケーションがユーザコンピュータ識別データによって特定されたコンピュータからアンインストールされ、アンインストールされたアプリケーションが不許可アプリケーションとして機器監視サーバ１５Ａ〜１５Ｄのハードディスクに格納される。
【０１８２】
このシステム１０では、ネットワーク１６Ａ〜１６Ｄを形成するすべてのユーザコンピュータ１１Ａ〜１１Ｃ，１２Ａ〜１２Ｃ，１３Ａ〜１３Ｃ，１４Ａ〜１４Ｃまたは特定のユーザコンピュータ１１Ａ〜１１Ｃ，１２Ａ〜１２Ｃ，１３Ａ〜１３Ｃ，１４Ａ〜１４Ｃにおいてアプリケーションを使用可から不許可に変更する必要が生じたとしても、データ管理コンピュータ１８を介してそのアプリケーションを自由に変更することができるから、ネットワーク１６Ａ〜１６Ｄにおけるアプリケーションの不許可要求に容易かつ迅速に対応することができる。システム管理者は、不許可となったアプリケーションの各ネットワーク１６Ａ〜１６Ｄやユーザコンピュータ１１Ａ〜１１Ｃ，１２Ａ〜１２Ｃ，１３Ａ〜１３Ｃ，１４Ａ〜１４Ｃにおける使用を停止させることができるから、アプリケーションの使用停止をネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理することができ、アプリケーションの無制限の使用を規制することができる。
【０１８３】
アプリケーション削除の一例は、以下のとおりである。システム管理者は、認証手続きを行ってデータ管理コンピュータ１８を使用可能にした後、コンピュータ１８のディスプレイ２３に表示されたレポート表示画面のレポート項目からアプリケーション設定を選択（クリック）するとともに、ネットワーク１６Ａ〜１６Ｄを指定する。アプリケーション設定を選択し、ネットワーク１６Ａ〜１６Ｄを指定すると、アプリケーション設定画面が表示される。次に、アプリケーション設定画面のうちの削除ボタンを選択（クリック）する。削除ボタンを選択すると、アプリケーション設定画面のアプリケーション名表示エリア１１１にアプリケーション名が表示され、コンピュータ名表示エリア１１２に指定したネットワーク１６Ａ〜１６Ｄのユーザコンピュータ名が表示される（図１８援用）。
【０１８４】
システム管理者は、アプリケーション設定画面のチェックボックス１１３にチェックマークを入れ、削除するアプリケーションを指定し、削除するアプリケーションを特定する。すべてのユーザコンピュータ１１Ａ〜１１Ｃ，１２Ａ〜１２Ｃ，１３Ａ〜１３Ｃ，１４Ａ〜１４Ｃにおいてアプリケーションを削除する場合は、すべてのチェックボックス１１３にチェックを入れる。また、特定のユーザコンピュータ１１Ａ〜１１Ｃ，１２Ａ〜１２Ｃ，１３Ａ〜１３Ｃ，１４Ａ〜１４Ｃのみにおいてアプリケーションを削除する場合は、削除対象のコンピュータのチェックボックス１１３にチェックを入れる。チェックボックス１１３にチェックマークを入れた後、システム管理者が削除ボタンを選択（クリック）すると、データ管理コンピュータ１８は、チェックマークによって特定されたアプリケーション名、削除指令を暗号化し、暗号化したアプリケーション名にネットワーク識別データとユーザコンピュータ識別データとを添付した後、それらをデータ中継サーバ１７Ａ，１７Ｂに出力する。暗号化されたアプリケーション名、削除指令、ネットワーク識別データ、ユーザコンピュータ識別データは、データ中継サーバ１７Ａ，１７Ｂに保持される。なお、すべてのユーザコンピュータ１１Ａ〜１１Ｃ，１２Ａ〜１２Ｃ，１３Ａ〜１３Ｃ，１４Ａ〜１４Ｃにおいてアプリケーションを削除する場合は、暗号化されたアプリケーション名にネットワーク識別データのみが添付され、暗号化されたアプリケーション名、削除指令、ネットワーク識別データがデータ中継サーバ１７Ａ，１７Ｂに保持される。
【０１８５】
機器監視サーバ１５Ａ〜１５Ｄは、データ中継サーバ１７Ａ，１７Ｂから取得したアプリケーション名、削除指令を復号化した後、それらをハードディスクに格納し、アプリケーションを削除するユーザコンピュータ１１Ａ〜１１Ｃ，１２Ａ〜１２Ｃ，１３Ａ〜１３Ｃ，１４Ａ〜１４Ｃのユーザコンピュータ識別データをハードディスクに格納する。すべてのユーザコンピュータ１１Ａ〜１１Ｃ，１２Ａ〜１２Ｃ，１３Ａ〜１３Ｃ，１４Ａ〜１４Ｃにおいてアプリケーションを削除する場合は、指定されたアプリケーションがすべてのユーザコンピュータ１１Ａ〜１１Ｃ，１２Ａ〜１２Ｃ，１３Ａ〜１３Ｃ，１４Ａ〜１４Ｃにおいてアンインストールされる。指定されたユーザコンピュータ１１Ａ〜１１Ｃ，１２Ａ〜１２Ｃ，１３Ａ〜１３Ｃ，１４Ａ〜１４Ｃのみにおいてアプリケーションを削除する場合は、ユーザコンピュータ識別データによって特定されたコンピュータのみにおいて指定されたアプリケーションがアンインストールされる。
【０１８６】
このシステム１０では、ネットワーク１６Ａ〜１６Ｄを形成するすべてのユーザコンピュータ１１Ａ〜１１Ｃ，１２Ａ〜１２Ｃ，１３Ａ〜１３Ｃ，１４Ａ〜１４Ｃまたは特定のユーザコンピュータ１１Ａ〜１１Ｃ，１２Ａ〜１２Ｃ，１３Ａ〜１３Ｃ，１４Ａ〜１４Ｃにおいてアプリケーションを削除する必要が生じたとしても、データ管理コンピュータ１８を介してそのアプリケーションを自由に削除することができるから、ネットワーク１６Ａ〜１６Ｄにおけるアプリケーションの削除要求に容易かつ迅速に対応することができる。システム管理者は、削除対象のアプリケーションを各ネットワーク１６Ａ〜１６Ｄやユーザコンピュータ１１Ａ〜１１Ｃ，１２Ａ〜１２Ｃ，１３Ａ〜１３Ｃ，１４Ａ〜１４Ｃから削除することができ、アプリケーションの削除をネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理することができる。
【０１８７】
（不許可アプリケーションの追加、変更、削除）
図１９は、不許可アプリケーションの追加、変更、削除の設定画面の一例を示す図である。データ管理コンピュータ１８は、不許可アプリケーションの追加、変更、削除を行うことができる（不許可アプリケーション改変手段）。不許可アプリケーション追加の一例は、以下のとおりである。システム管理者は、認証手続きを行ってデータ管理コンピュータ１８を使用可能にした後、コンピュータ１８のディスプレイ２３に表示されたレポート表示画面（図示せず）のレポート項目から不許可アプリケーション設定を選択（クリック）するとともに、ネットワーク１６Ａ〜１６Ｄを指定する。不許可アプリケーション設定を選択し、ネットワーク１６Ａ〜１６Ｄを指定すると、不許可アプリケーション設定画面が表示される。
【０１８８】
システム管理者は、アプリケーション名入力エリア１１４に不許可アプリケーション名を入力し、不許可アプリケーションを特定する。不許可アプリケーション名に対応する不許可アプリケーションソフトは、データ管理コンピュータ１８のハードディスクに格納されている。不許可アプリケーション名を入力した後、システム管理者が画面の追加ボタンを選択（クリック）すると、図１９に示すように、アプリケーション名表示エリア１１５に不許可アプリケーション名が表示され、コンピュータ名表示エリア１１６に指定したネットワーク１６Ａ〜１６Ｄを形成するユーザコンピュータ名が表示される。すべてのユーザコンピュータ１１Ａ〜１１Ｃ，１２Ａ〜１２Ｃ，１３Ａ〜１３Ｃ，１４Ａ〜１４Ｃに不許可アプリケーションを適用する場合は、すべてのチェックボックス１１７にチェックを入れて追加ボタンを選択（クリック）する。また、特定のユーザコンピュータ１１Ａ〜１１Ｃ，１２Ａ〜１２Ｃ，１３Ａ〜１３Ｃ，１４Ａ〜１４Ｃのみに不許可アプリケーションを適用する場合は、適用対象のコンピュータのチェックボックス１１７にチェックを入れて追加ボタンを選択（クリック）する。
【０１８９】
チェックボックス１１７にチェックを入れた後、システム管理者が追加ボタンを選択（クリック）すると、データ管理コンピュータ１８は、入力された不許可アプリケーション名や不許可アプリケーションソフト、追加指令を暗号化し、暗号化した不許可アプリケーション名にネットワーク識別データとユーザコンピュータ識別データとを添付した後、それらをデータ中継サーバ１７Ａ，１７Ｂに出力する。暗号化された不許可アプリケーション名や不許可アプリケーションソフト、追加指令、ネットワーク識別データ、ユーザコンピュータ識別データは、データ中継サーバ１７Ａ，１７Ｂに保持される。なお、すべてのユーザコンピュータ１１Ａ〜１１Ｃ，１２Ａ〜１２Ｃ，１３Ａ〜１３Ｃ，１４Ａ〜１４Ｃに不許可アプリケーションを適用する場合は、暗号化された不許可アプリケーション名にネットワーク識別データのみが添付され、暗号化された不許可アプリケーション名や不許可アプリケーションソフト、追加指令、ネットワーク識別データがデータ中継サーバ１７Ａ，１７Ｂに保持される。
【０１９０】
機器監視サーバ１５Ａ〜１５Ｄは、データ中継サーバ１７Ａ，１７Ｂから取得した不許可アプリケーション名や不許可アプリケーションソフト、追加指令を復号化した後、それらをハードディスクに格納し、その不許可アプリケーションを追加するユーザコンピュータ識別データをハードディスクに格納する。すべてのユーザコンピュータ１１Ａ〜１１Ｃ，１２Ａ〜１２Ｃ，１３Ａ〜１３Ｃ，１４Ａ〜１４Ｃに不許可アプリケーションを適用する場合は、すべてのコンピュータを特定するユーザコンピュータ識別データと不許可アプリケーションソフトとが機器監視サーバ１５Ａ〜１５Ｄのハードディスクに格納される。指定されたユーザコンピュータ１１Ａ〜１１Ｃ，１２Ａ〜１２Ｃ，１３Ａ〜１３Ｃ，１４Ａ〜１４Ｃのみに不許可アプリケーションを適用する場合は、ユーザコンピュータ識別データによって特定されたコンピュータのみのユーザコンピュータ識別データと不許可アプリケーションソフトとが機器監視サーバ１５Ａ〜１５Ｄのハードディスクに格納される。このシステム１０では、当分の間、使用する予定のないアプリケーションをあらかじめ不許可アプリケーションとして機器監視サーバ１５Ａ〜１５Ｄにインストール（追加）しておき、使用の必要性が生じたときに、その不許可アプリケーションを使用可に変更することができ、必要に応じてアプリケーションの使用や不使用を自由に選択することができる。
【０１９１】
不許可アプリケーション変更の一例は、以下のとおりである。システム管理者は、認証手続きを行ってデータ管理コンピュータ１８を使用可能にした後、コンピュータ１８のディスプレイ２３に表示されたレポート表示画面のレポート項目から不許可アプリケーション設定を選択（クリック）するとともに、ネットワーク１６Ａ〜１６Ｄを指定する。不許可アプリケーション設定を選択し、ネットワーク１６Ａ〜１６Ｄを指定すると、不許可アプリケーション設定画面が表示される。次に、不許可アプリケーション設定画面のうちの変更ボタンを選択（クリック）する。変更ボタンを選択すると、不許可アプリケーション設定画面のアプリケーション名表示エリア１１５に不許可アプリケーション名が表示され、コンピュータ名表示エリア１１６に指定したネットワーク１６Ａ〜１６Ｄのユーザコンピュータ名が表示される（図１９援用）。
【０１９２】
システム管理者は、不許可アプリケーション設定画面のチェックボックス１１７にチェックマークを入れ、変更する不許可アプリケーションを指定し、許可アプリケーションに変更する不許可アプリケーションを特定する。すべてのユーザコンピュータ１１Ａ〜１１Ｃ，１２Ａ〜１２Ｃ，１３Ａ〜１３Ｃ，１４Ａ〜１４Ｃにおいて不許可アプリケーションを変更する場合は、すべてのチェックボックス１１７にチェックを入れる。また、特定のユーザコンピュータ１１Ａ〜１１Ｃ，１２Ａ〜１２Ｃ，１３Ａ〜１３Ｃ，１４Ａ〜１４Ｃのみにおいて不許可アプリケーションを変更する場合は、変更対象のコンピュータのチェックボックス１１７にチェックを入れる。
【０１９３】
チェックボックス１１７にチェックマークを入れた後、システム管理者が変更ボタンを選択（クリック）すると、データ管理コンピュータ１８は、チェックマークによって特定された不許可アプリケーション名、変更指令を暗号化し、暗号化した不許可アプリケーション名にネットワーク識別データとユーザコンピュータ識別データとを添付した後、それらをデータ中継サーバ１７Ａ，１７Ｂに出力する。暗号化された不許可アプリケーション名、変更指令、ネットワーク識別データ、ユーザコンピュータ識別データは、データ中継サーバ１７Ａ，１７Ｂに保持される。なお、すべてのユーザコンピュータ１１Ａ〜１１Ｃ，１２Ａ〜１２Ｃ，１３Ａ〜１３Ｃ，１４Ａ〜１４Ｃにおいて不許可アプリケーションを変更する場合は、暗号化された不許可アプリケーション名にネットワーク識別データのみが添付され、暗号化された不許可アプリケーション名、変更指令、ネットワーク識別データがデータ中継サーバ１７Ａ，１７Ｂに保持される。
【０１９４】
機器監視サーバ１５Ａ〜１５Ｄは、データ中継サーバ１７Ａ，１７Ｂから取得した不許可アプリケーション名、変更指令を復号化した後、それらをハードディスクに格納し、不許可アプリケーションを変更するユーザコンピュータ１１Ａ〜１１Ｃ，１２Ａ〜１２Ｃ，１３Ａ〜１３Ｃ，１４Ａ〜１４Ｃのユーザコンピュータ識別データをハードディスクに格納する。すべてのユーザコンピュータ１１Ａ〜１１Ｃ，１２Ａ〜１２Ｃ，１３Ａ〜１３Ｃ，１４Ａ〜１４Ｃにおいて不許可アプリケーションを変更する場合は、指定された不許可アプリケーションがすべてのユーザコンピュータ１１Ａ〜１１Ｃ，１２Ａ〜１２Ｃ，１３Ａ〜１３Ｃ，１４Ａ〜１４Ｃにおいて不許可から許可に変更される。指定されたユーザコンピュータ１１Ａ〜１１Ｃ，１２Ａ〜１２Ｃ，１３Ａ〜１３Ｃ，１４Ａ〜１４Ｃのみにおいて不許可アプリケーションを変更する場合は、ユーザコンピュータ識別データによって特定されたコンピュータのみにおいて指定されたアプリケーションが不許可から許可に変更される。ユーザコンピュータ１１Ａ〜１１Ｃ，１２Ａ〜１２Ｃ，１３Ａ〜１３Ｃ，１４Ａ〜１４Ｃは、使用可に変更されたアプリケーションを機器監視サーバ１５Ａ〜１５Ｄからダウンロード（インストール）することができる。
【０１９５】
このシステム１０では、ネットワーク１６Ａ〜１６Ｄを形成するすべてのユーザコンピュータ１１Ａ〜１１Ｃ，１２Ａ〜１２Ｃ，１３Ａ〜１３Ｃ，１４Ａ〜１４Ｃまたは特定のユーザコンピュータ１１Ａ〜１１Ｃ，１２Ａ〜１２Ｃ，１３Ａ〜１３Ｃ，１４Ａ〜１４Ｃに不許可アプリケーションを使用させる必要が生じたとしても、データ管理コンピュータ１８を介して不許可アプリケーションを許可アプリケーションに自由に変更することができるから、不許可アプリケーションの使用要求に容易かつ迅速に対応することができる。このシステム１０では、不許可アプリケーションから許可アプリケーションへの変更をネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理することができる。
【０１９６】
不許可アプリケーション削除の一例は、以下のとおりである。システム管理者は、認証手続きを行ってデータ管理コンピュータ１８を使用可能にした後、コンピュータ１８のディスプレイ２３に表示されたレポート表示画面のレポート項目から不許可アプリケーション設定を選択（クリック）するとともに、ネットワーク１６Ａ〜１６Ｄを指定する。不許可アプリケーション設定を選択し、ネットワーク１６Ａ〜１６Ｄを指定すると、不許可アプリケーション設定画面が表示される。次に、不許可アプリケーション設定画面のうちの削除ボタンを選択（クリック）する。削除ボタンを選択すると、不許可アプリケーション設定画面のアプリケーション名表示エリア１１５に不許可アプリケーション名が表示され、コンピュータ名表示エリア１１６に指定したネットワーク１６Ａ〜１６Ｄのユーザコンピュータ名が表示される（図１９援用）。
【０１９７】
システム管理者は、チェックボックス１１７にチェックを入れて削除する不許可アプリケーションを特定する。不許可アプリケーション名に対応する不許可アプリケーションソフトは、機器監視サーバ１５Ａ〜１５Ｄのハードディスクに格納されている。チェックボックス１１７にチェックを入れた後、システム管理者が画面の削除ボタンを選択（クリック）すると、データ管理コンピュータ１８は、チェックマークによって特定された不許可アプリケーション名、削除指令を暗号化し、暗号化した不許可アプリケーション名にネットワーク識別データを添付した後、それらをデータ中継サーバ１７Ａ，１７Ｂに出力する。暗号化された不許可アプリケーション名、削除指令、ネットワーク識別データは、データ中継サーバ１７Ａ，１７Ｂに保持される。
【０１９８】
機器監視サーバ１５Ａ〜１５Ｄは、データ中継サーバ１７Ａ，１７Ｂから取得した不許可アプリケーション名、削除指令を復号化した後、それらをハードディスクに格納する。機器監視サーバ１５Ａ〜１５Ｄは、そのハードディスクに格納された不許可アプリケーションをハードディスクからアンインストールする。このシステム１０では、不許可アプリケーションの削除をネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理することができる。システムは、不許可アプリケーションを削除する必要が生じたとしても、そのアプリケーションを自由に削除することができるから、不許可アプリケーションの削除要求に容易かつ迅速に対応することができ、不許可アプリケーションの整理を容易に行うことができる。
【０１９９】
（インストールデータ）
図２０は、アプリケーションインストール状況の一例を示す図であり、図２１は、インストールされたアプリケーションの内容を示す図である。図２０，２１では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃへの許可アプリケーションのインストールデータをネットワーク１６Ａ〜１６Ｄ毎に区分してディスプレイ２３に表示するとともに、プリンタから出力する（インストールデータ第１出力手段）。また、許可アプリケーションのインストールデータを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（インストールデータ第２出力手段）。
【０２００】
システム管理者は、認証手続きを行ってデータ管理コンピュータ１８を使用可能にした後、コンピュータ１８のディスプレイ２３に表示されたレポート表示画面（図示せず）のレポート項目からインストールデータを選択（クリック）し、ネットワーク１６Ａ〜１６Ｄを指定する。インストールデータを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応するインストールデータとそのユーザコンピュータ識別データに対応するインストールデータとをデータベースから抽出する。次に、データ管理コンピュータ１８は、図２０に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃへの許可アプリケーションのインストールデータをディスプレイに表示する（インストールデータ第１出力手段）。図２０には、インストールデータとして、コンピュータ名表示エリア１１８にコンピュータ名（アプリケーションをインストールしたコンピュータ名）、日付表示エリア１１９に日付（インストール日時）、アプリケーション名表示エリア１２０にアプリケーション名（インストールしたアプリケーション名）、インストール結果チェックボックス１２１にインストール完了のチェック（図示せず）が表示されている。なお、インストール不可の場合、チェックボックス１２１は空白となる。
【０２０１】
図２０の画面においてアプリケーション名を反転させて内容表示を選択（クリック）すると、図２１に示すように、コンピュータ名表示エリア１２２にコンピュータ名、アプリケーション名表示エリア１２３にアプリケーション名、アプリケーション内容表示エリア１２４にインストールされたアプリケーションの内容が表示される。システム管理者は、図２０，２１のインストールデータをプリンタから出力することができる。インストールされたアプリケーションの内容は、文書作成ソフト、表計算ソフト、翻訳ソフト、データベース構築ソフト、通信ソフト、セキュリティーソフト等のアプリケーションの概要であり、アプリケーションをデータ管理コンピュータ１８にインストールする際に同時に管理コンピュータ１８に入力され、管理コンピュータ１８のハードディスクに格納される。
【０２０２】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃにおける許可アプリケーションのインストールデータを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃへの許可アプリケーションのインストール状況を確実に把握することができ、ユーザコンピュータ１１Ａ〜１１Ｃ，１２Ａ〜１２Ｃ，１３Ａ〜１３Ｃ，１４Ａ〜１４Ｃにおけるアプリケーションのインストールを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができる。
【０２０３】
（アンインストール情報）
図２２は、アプリケーションアンインストール状況の一例を示す図であり、図２３は、アンインストールされたアプリケーションの内容を示す図である。図２２，２３では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃからの許可アプリケーションのアンインストールデータをネットワーク１６Ａ〜１６Ｄ毎に区分してディスプレイ２３に表示するとともに、プリンタから出力する（アンインストールデータ第１出力手段）。また、許可アプリケーションのアンインストールデータを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（アンインストールデータ第２出力手段）。
【０２０４】
システム管理者は、認証手続きを行ってデータ管理コンピュータ１８を使用可能にした後、コンピュータ１８のディスプレイ２３に表示されたレポート表示画面（図示せず）のレポート項目からアンインストールデータを選択（クリック）し、ネットワーク１６Ａ〜１６Ｄを指定する。アンインストールデータを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応するアンインストールデータとそのユーザコンピュータ識別データに対応するアンインストールデータとをデータベースから抽出する。次に、データ管理コンピュータ１８は、図２２に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃからの許可アプリケーションのアンインストールデータをディスプレイ２３に表示する（アンインストールデータ第１出力手段）。図２２には、アンインストールデータとして、コンピュータ名表示エリア１２５にコンピュータ名（アプリケーションをアンインストールしたコンピュータ名）、日付表示エリア１２６に日付（アンインストール日時）、アプリケーション名表示エリア１２７にアプリケーション名（アンインストールしたアプリケーション名）、アンインストール結果チェックボックス１２８にアンインストール完了のチェック（図示せず）が表示されている。なお、アンインストール不可の場合、チェックボックス１２８は空白となる。
【０２０５】
図２２の画面においてアプリケーション名を反転させて内容表示を選択（クリック）すると、図２３に示すように、コンピュータ名表示エリア１２９にコンピュータ名、アプリケーション名表示エリア１３９にアプリケーション名、アプリケーション内容表示エリア１３１にアンインストールされたアプリケーションの内容が表示される。システム管理者は、図２２，２３のアンインストールデータをプリンタから出力することができる。アンインストールされたアプリケーションの内容は、文書作成ソフト、表計算ソフト、翻訳ソフト、データベース構築ソフト、通信ソフト、セキュリティーソフト等のアプリケーションの概要であり、アプリケーションをデータ管理コンピュータ１８にインストールする際に同時に管理コンピュータ１８に入力され、管理コンピュータ１８のハードディスクに格納される。
【０２０６】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃにおける許可アプリケーションのアンインストールデータを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃからの許可アプリケーションのアンインストール状況を確実に把握することができ、ユーザコンピュータ１１Ａ〜１１Ｃ，１２Ａ〜１２Ｃ，１３Ａ〜１３Ｃ，１４Ａ〜１４Ｃにおける許可アプリケーションのアンインストールを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができる。システム１０は、各ネットワーク１６Ａ〜１６Ｄにおけるアプリケーションの無制限のアンインストールを規制することができる。
【０２０７】
（プリント履歴データ）
図２４，２５は、プリント履歴データの一例を示す図であり、ユーザコンピュータ１１Ａ〜１１Ｃ，１２Ａ〜１２Ｃ，１３Ａ〜１３Ｃ，１４Ａ〜１４Ｃの週間のプリント履歴を示す。図２４，２５では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃのプリント履歴データをネットワーク１６Ａ〜１６Ｄ毎に区分してディスプレイ２３に表示するとともに、プリンタから出力する（プリント履歴データ第１出力手段）。また、プリント履歴データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（プリント履歴データ第２出力手段）。
【０２０８】
システム管理者は、認証手続きを行ってデータ管理コンピュータ１８を使用可能にした後、コンピュータ１８のディスプレイ２３に表示されたレポート表示画面（図示せず）のレポート項目からプリント履歴データを選択（クリック）し、ネットワーク１６Ａ〜１６Ｄを指定する。プリント履歴データを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応するプリント履歴データとそのユーザコンピュータ識別データに対応するプリント履歴データとをデータベースから抽出する。次に、データ管理コンピュータ１８は、図２４に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃのプリント履歴データをディスプレイに表示する（プリント履歴データ第１出力手段）。図２４には、プリント履歴データとして、期間表示エリア１３２に期間、コンピュータ名表示エリア１３３にコンピュータ名（プリントを行ったコンピュータ名）、ＭＡＣアドレス表示エリア１３４にＭＡＣアドレス、ワークグループ／ドメイン表示エリア１３５にワークグループ／ドメイン、ユーザ名表示エリア１３６にユーザ名（プリントを行ったコンピュータのユーザ名）、プリント総ページ数表示エリア１３７にプリント総ページ数、プリント回数表示エリア１３８にプリント回数が表示されている。
【０２０９】
図２４の画面において下線部分に表示されるコンピュータ名を選択（クリック）すると、データ管理コンピュータ１８は、図２５に示すように、選択したユーザコンピュータ１１Ａ〜１１Ｃ，１２Ａ〜１２Ｃ，１３Ａ〜１３Ｃ，１４Ａ〜１４Ｃのプリント履歴データの詳細をディスプレイ２３に表示する（プリント履歴データ第２出力手段）。図２５には、プリント履歴の詳細として、月日表示エリア１３９に月日、コンピュータ名表示エリア１４０にコンピュータ名、ワークグループ／ドメイン表示エリア１４１にワークグループ／ドメイン、ＩＰアドレス表示エリア１４２にＩＰアドレス、ＭＡＣアドレス表示エリア１４３にＭＡＣアドレスが表示されている。さらに、ユーザ名表示エリア１４４にユーザ名、プリント日時表示エリア１４５にプリント日時、ドキュメント名表示エリア１４６にドキュメント名、プリントページ数表示エリア１４７にプリントページ数、プリンタ名表示エリア１４８にプリンタ名が表示されている。システム管理者は、図２４，２５のプリント履歴データをプリンタから出力することができる。
【０２１０】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃのプリント履歴データを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃのプリント状況を確実に把握することができ、ユーザコンピュータ１１Ａ〜１１Ｃ，１２Ａ〜１２Ｃ，１３Ａ〜１３Ｃ，１４Ａ〜１４Ｃにおけるプリント状況を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおける無制限のプリント行為を規制することができる。
【０２１１】
（ファイルアクセス履歴データ）
図２６，２７は、ファイルアクセス履歴データの一例を示す図であり、ユーザコンピュータ１１Ａ〜１１Ｃ，１２Ａ〜１２Ｃ，１３Ａ〜１３Ｃ，１４Ａ〜１４Ｃの週間のファイルアクセス履歴を示す。図２６，２７では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃのファイルアクセス履歴データをネットワーク１６Ａ〜１６Ｄ毎に区分してディスプレイ２３に表示するとともに、プリンタから出力する（ファイルアクセス履歴データ第１出力手段）。また、ファイルアクセス履歴データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（ファイルアクセス履歴データ第２出力手段）。
【０２１２】
システム管理者は、認証手続きを行ってデータ管理コンピュータ１８を使用可能にした後、コンピュータ１８のディスプレイ２３に表示されたレポート表示画面（図示せず）のレポート項目からファイルアクセス履歴データを選択（クリック）し、ネットワーク１６Ａ〜１６Ｄを指定する。ファイルアクセス履歴データを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応するファイルアクセス履歴データとそのユーザコンピュータ識別データに対応するファイルアクセス履歴データとをデータベースから抽出する。次に、データ管理コンピュータ１８は、図２６に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃのファイルアクセス履歴データをディスプレイ２３に表示する（ファイルアクセス履歴データ第１出力手段）。図２６には、ファイルアクセスデータとして、期間表示エリア１４９に指定した期間、コンピュータ名表示エリア１５０にコンピュータ名（アクセスを行ったコンピュータ名）、ＭＡＣアドレス表示エリア１５１にＭＡＣアドレス、ワークグループ／ドメイン表示エリア１５２にワークグループ／ドメイン、ユーザ名表示エリア１５３にユーザ名（アクセスを行ったコンピュータのユーザ名）、アクセス回数表示エリア１５４にアクセス回数が表示されている。
【０２１３】
図２６の画面において下線部分に表示されるコンピュータ名を選択（クリック）すると、データ管理コンピュータ１８は、図２７に示すように、選択したユーザコンピュータ１１Ａ〜１１Ｃ，１２Ａ〜１２Ｃ，１３Ａ〜１３Ｃ，１４Ａ〜１４Ｃのファイルアクセス履歴データの詳細をディスプレイ２３に表示する（ファイルアクセス履歴データ第２出力手段）。図２７には、ファイルアクセス履歴データの詳細として、月日表示エリア１５５に月日、コンピュータ名表示エリア１５６にコンピュータ名、ワークグループ／ドメイン表示エリア１５７にワークグループ／ドメイン、ＩＰアドレス表示エリア１５８にＩＰアドレス、ＭＡＣアドレス表示エリア１５９にＭＡＣアドレスが表示されている。さらに、ユーザ名表示エリア１６０にユーザ名、アクセス日時表示エリア１６１にアクセス日時、操作内容表示エリア１６２に操作内容（コピー、切り取り、書き込み、削除、ホルダの作成、名前変更等）、ファイル名表示エリア１６３にファイル名、変更前ファイル名表示エリア１６４に変更前ファイル名が表示されている。システム管理者は、図２６，２７のファイルアクセス履歴データをプリンタから出力することができる。
【０２１４】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃのファイルアクセスデータを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃのファイルアクセス状況を確実に把握することができ、ユーザコンピュータ１１Ａ〜１１Ｃ，１２Ａ〜１２Ｃ，１３Ａ〜１３Ｃ，１４Ａ〜１４Ｃにおけるファイルアクセス状況を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおける無制限のファイルアクセス行為を規制することができる。
【０２１５】
（外部使用履歴データ）
図２８，２９は、外部使用履歴データの一例を示す図であり、ユーザコンピュータ１１Ａ〜１１Ｃ，１２Ａ〜１２Ｃ，１３Ａ〜１３Ｃ，１４Ａ〜１４Ｃの週間の外部使用履歴を示す。図２８，２９では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃの外部使用履歴データをネットワーク１６Ａ〜１６Ｄ毎に区分してディスプレイ２３に表示するとともに、プリンタから出力する（外部使用履歴データ第１出力手段）。また、外部使用履歴データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（外部使用履歴データ第２出力手段）。
【０２１６】
システム管理者は、認証手続きを行ってデータ管理コンピュータ１８を使用可能にした後、コンピュータ１８のディスプレイ２３に表示されたレポート表示画面（図示せず）のレポート項目から外部使用履歴データを選択（クリック）し、ネットワーク１６Ａ〜１６Ｄを指定する。外部使用履歴データを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応する外部使用履歴データとそのユーザコンピュータ識別データに対応する外部使用履歴データとをデータベースから抽出する。次に、データ管理コンピュータ１８は、図２８に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの外部使用履歴データをディスプレイ２３に表示する（外部使用履歴データ第１出力手段）。図２８には、外部使用履歴データとして、期間表示エリア１６５に指定した期間、コンピュータ名表示エリア１６６にコンピュータ名（外部使用されたコンピュータ名）、ＭＡＣアドレス表示エリア１６７にＭＡＣアドレス、ワークグループ／ドメイン表示エリア１６８にワークグループ／ドメイン、ユーザ名表示エリア１６９にユーザ名（外部使用されたコンピュータのユーザ名）、外部使用回数表示エリア１７０に外部使用回数が表示されている。
【０２１７】
図２８の画面において下線部分に表示されるコンピュータ名を選択（クリック）すると、データ管理コンピュータ１８は、図２９に示すように、選択したユーザコンピュータ１１Ａ〜１１Ｃ，１２Ａ〜１２Ｃ，１３Ａ〜１３Ｃ，１４Ａ〜１４Ｃの外部使用履歴データの詳細をディスプレイ２３に表示する（外部使用履歴データ第２出力手段）。図２９には、外部使用履歴データの詳細として、月日表示エリア１７１に月日、コンピュータ名表示エリア１７２にコンピュータ名、ワークグループ／ドメイン表示エリア１７３にワークグループ／ドメイン、ＩＰアドレス表示エリア１７４にＩＰアドレス、ＭＡＣアドレス表示エリア１７５にＭＡＣアドレスが表示されている。さらに、外部使用開始時刻表示エリア１７６に外部使用開始時刻、外部使用終了時刻表示エリア１７７に外部使用終了時刻、ユーザ名表示エリア１７８にユーザ名、アプリケーション使用開始時刻表示エリア１７９にアプリケーション使用開始時刻、アプリケーション使用終了時刻表示エリア１８０にアプリケーション使用終了時刻、アプリケーション操作時間表示エリア１８１にアプリケーション操作時間、アプリケーション名表示エリア１８２にアプリケーション名（外部使用の際に使用されたアプリケーション名）、操作ウインドウ名表示エリア１８３に操作ウインドウ名（外部使用の際に使用されたアプリケーションの操作ウインドウ名）が表示されている。システム管理者は、図２８，２９の外部使用履歴データをプリンタから出力することができる。
【０２１８】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃの外部使用履歴データを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの外部使用状況を確実に把握することができ、ユーザコンピュータ１１Ａ〜１１Ｃ，１２Ａ〜１２Ｃ，１３Ａ〜１３Ｃ，１４Ａ〜１４Ｃにおける外部使用状況を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおける無制限の外部使用行為を規制することができる。
【０２１９】
（指定時間外使用履歴データ）
図３０，３１は、指定時間外使用履歴データの一例を示す図であり、ユーザコンピュータ１１Ａ〜１１Ｃ，１２Ａ〜１２Ｃ，１３Ａ〜１３Ｃ，１４Ａ〜１４Ｃの週間の指定時間外使用履歴を示す。図３０，３１では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃの指定時間外使用履歴データをネットワーク１６Ａ〜１６Ｄ毎に区分してディスプレイ２３に表示するとともに、プリンタから出力する（指定時間外使用履歴データ第１出力手段）。また、指定時間外使用履歴データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（指定時間外使用履歴データ第２出力手段）。
【０２２０】
システム管理者は、認証手続きを行ってデータ管理コンピュータ１８を使用可能にした後、コンピュータ１８のディスプレイ２３に表示されたレポート表示画面（図示せず）のレポート項目から指定時間外使用履歴データを選択（クリック）し、ネットワーク１６Ａ〜１６Ｄを指定する。指定時間外使用履歴データを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応する指定時間外使用履歴データとそのユーザコンピュータ識別データに対応する指定時間外使用履歴データとをデータベースから抽出する。次に、データ管理コンピュータ１８は、図３０に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの指定時間外使用履歴データをディスプレイ２３に表示する（指定時間外使用履歴データ第１出力手段）。図３０には、指定時間外使用履歴データとして、期間表示エリア１８４に指定した期間、コンピュータ名表示エリア１８５にコンピュータ名、ＭＡＣアドレス表示エリア１８６にＭＡＣアドレス、ワークグループ／ドメイン表示エリア１８７にワークグループ／ドメイン、ユーザ名表示エリア１８８にユーザ名、指定時間外使用回数表示エリア１８９に指定時間外使用回数が表示されている。
【０２２１】
図３０の画面において下線部分に表示されるコンピュータ名を選択（クリック）すると、データ管理コンピュータ１８は、図３１に示すように、選択したユーザコンピュータ１１Ａ〜１１Ｃ，１２Ａ〜１２Ｃ，１３Ａ〜１３Ｃ，１４Ａ〜１４Ｃの指定時間外使用履歴データの詳細をディスプレイ２３に表示する（指定時間外使用履歴データ第２出力手段）。図３１には、指定時間外使用履歴データの詳細として、月日表示エリア１９０に月日、コンピュータ名表示エリア１９１にコンピュータ名（指定時間外に使用されたコンピュータ名）、ワークグループ／ドメイン表示エリア１９２にワークグループ／ドメイン、ＩＰアドレス表示エリア１９３にＩＰアドレス、ＭＡＣアドレス表示エリア１９４にＭＡＣアドレスが表示されている。さらに、ユーザ名表示エリア１９５にユーザ名（指定時間外に使用されたコンピュータのユーザ名）、時間外使用開始時刻表示エリア１９６に時間外使用開始時刻、時間外使用終了時刻表示エリア１９７に時間外使用終了時刻、操作時間表示エリア１９８に操作時間（時間外使用時間）、アプリケーション名表示エリア１９９にアプリケーション名（時間外使用の際に使用されたアプリケーション名）、操作ウインドウ名表示エリア２００に操作ウインドウ名（時間外使用の際に使用されたアプリケーションの操作ウインドウ名）が表示されている。システム管理者は、図３０，３１の指定時間外使用履歴データをプリンタから出力することができる。
【０２２２】
このシステムでは、データ管理コンピュータ１８がユーザコンピュータ１１Ａ〜１１Ｃ，１２Ａ〜１２Ｃ，１３Ａ〜１３Ｃ，１４Ａ〜１４Ｃの指定時間外使用履歴データを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの指定時間外使用状況を確実に把握することができ、ユーザコンピュータ１１Ａ〜１１Ｃ，１２Ａ〜１２Ｃ，１３Ａ〜１３Ｃ，１４Ａ〜１４Ｃにおける指定時間外使用状況を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおける無制限の指定時間外使用行為を規制することができる。
【０２２３】
（持ち出し行為データ）
図３２，３３は、持ち出し行為データの一例を示す図であり、ユーザコンピュータ１１Ａ〜１１Ｃ，１２Ａ〜１２Ｃ，１３Ａ〜１３Ｃ，１４Ａ〜１４Ｃの週間の持ち出し行為を示す。図３２，３３では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃの持ち出し行為データをネットワーク１６Ａ〜１６Ｄ毎に区分してディスプレイ２３に表示するとともに、プリンタから出力する（持ち出し行為データ第１出力手段）。また、持ち出し行為データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（持ち出し行為データ第２出力手段）。
【０２２４】
システム管理者は、認証手続きを行ってデータ管理コンピュータ１８を使用可能にした後、コンピュータ１８のディスプレイ２３に表示されたレポート表示画面（図示せず）のレポート項目から持ち出し行為データを選択（クリック）し、ネットワーク１６Ａ〜１６Ｄを指定する。持ち出し行為データを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応する持ち出し行為データとそのユーザコンピュータ識別データに対応する持ち出し行為データとをデータベースから抽出する。次に、データ管理コンピュータ１８は、図３２に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの持ち出し行為データをディスプレイ２３に表示する（持ち出し行為データ第１出力手段）。図３２には、持ち出し行為データとして、期間表示エリア２０１に指定した期間、コンピュータ名表示エリア２０２にコンピュータ名（持ち出し行為が行われたコンピュータ名）、ワークグループ／ドメイン表示エリア２０３にワークグループ／ドメイン、ユーザ名表示エリア２０４にユーザ名（持ち出し行為が行われたコンピュータのユーザ名）、持ち出し行為回数表示エリア２０５に持ち出し行為回数が表示されている。
【０２２５】
図３２の画面において下線部分に表示されるコンピュータ名を選択（クリック）すると、データ管理コンピュータ１８は、図３３に示すように、選択したユーザコンピュータ１１Ａ〜１１Ｃ，１２Ａ〜１２Ｃ，１３Ａ〜１３Ｃ，１４Ａ〜１４Ｃの持ち出し行為データの詳細をディスプレイ２３に表示する（持ち出し行為データ第２出力手段）。図３３には、持ち出し行為データの詳細として、月日表示エリア２０６に月日、コンピュータ名表示エリア２０７にコンピュータ名、ワークグループ／ドメイン表示エリア２０８にワークグループ／ドメイン、ＩＰアドレス表示エリア２０９にＩＰアドレス、ＭＡＣアドレス表示エリア２１０にＭＡＣアドレスが表示されている。さらに、ユーザ名表示エリア２１１にユーザ名、持ち出し行為日時表示エリア２１２に持ち出し行為日時、持ち出し操作内容表示エリア２１３に持ち出し操作内容（コピー、切り取り、ファイル検索等）、ファイル名表示エリア２１４にファイル名、変更前ファイル名表示エリア２１５に変更前ファイル名（持ち出そうとされたデータ名）が表示されている。システム管理者は、図３２，３３の持ち出し行為データをプリンタから出力することができる。
【０２２６】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃの持ち出し行為データを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの持ち出し行為を確実に把握することができ、ユーザコンピュータ１１Ａ〜１１Ｃ，１２Ａ〜１２Ｃ，１３Ａ〜１３Ｃ，１４Ａ〜１４Ｃにおける持ち出し行為を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおける無制限の持ち出し行為を規制することができる。
【０２２７】
（プリント行為データ）
図３４，３５は、プリント行為データの一例を示す図であり、ユーザコンピュータ１１Ａ〜１１Ｃ，１２Ａ〜１２Ｃ，１３Ａ〜１３Ｃ，１４Ａ〜１４Ｃの週間のプリント行為を示す。図３４，３５では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃのプリント禁止データに対するプリント行為データをネットワーク１６Ａ〜１６Ｄ毎に区分してディスプレイ２３に表示するとともに、プリンタから出力する（プリント行為データ第１出力手段）。また、プリント禁止データに対するプリント行為データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（プリント行為データ第２出力手段）。
【０２２８】
システム管理者は、認証手続きを行ってデータ管理コンピュータ１８を使用可能にした後、コンピュータ１８のディスプレイ２３に表示されたレポート表示画面（図示せず）のレポート項目からプリント行為データを選択（クリック）し、ネットワーク１６Ａ〜１６Ｄを指定する。プリント行為データを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応するプリント行為データとそのユーザコンピュータ識別データに対応するプリント行為データとをデータベースから抽出する。次に、データ管理コンピュータ１８は、図３４に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃのプリント行為データをディスプレイ２３に表示する（プリント行為データ第１出力手段）。図３４には、プリント行為データとして、期間表示エリア２１６に指定した期間、コンピュータ名表示エリア２１７にコンピュータ名（プリント行為が行われたコンピュータ名）、ワークグループ／ドメイン表示エリア２１８にワークグループ／ドメイン、ユーザ名表示エリア２１９にユーザ名（プリント行為が行われたコンピュータのユーザ名）、プリント行為回数表示エリア２２０にプリント行為回数が表示されている。
【０２２９】
図３４の画面において下線部分に表示されるコンピュータ名を選択（クリック）すると、データ管理コンピュータ１８は、図３５に示すように、選択したユーザコンピュータ１１Ａ〜１１Ｃ，１２Ａ〜１２Ｃ，１３Ａ〜１３Ｃ，１４Ａ〜１４Ｃのプリント行為データの詳細をディスプレイ２３に表示する（プリント行為データ第２出力手段）。図３５には、プリント行為データの詳細として、期間表示エリア２２１に期間、コンピュータ名表示エリア２２２にコンピュータ名、ワークグループ／ドメイン表示エリア２２３にワークグループ／ドメイン、ＩＰアドレス表示エリア２２４にＩＰアドレス、ＭＡＣアドレス表示エリア２２５にＭＡＣアドレスが表示されている。さらに、ユーザ名表示エリア２２６にユーザ名、プリント行為日時表示エリア２２７にプリント行為日時、ドキュメント名表示エリア２２８にドキュメント名（プリントしようとしたドキュメント名）、プリンタ名表示エリア２２９にプリンタ名（プリント行為が行われたプリンタ名）が表示されている。システム管理者は、図３４，３５のプリント行為データをプリンタから出力することができる。
【０２３０】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃのプリント行為データを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃのプリント行為を確実に把握することができ、ユーザコンピュータ１１Ａ〜１１Ｃ，１２Ａ〜１２Ｃ，１３Ａ〜１３Ｃ，１４Ａ〜１４Ｃにおけるプリント行為を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおけるプリント禁止データのプリント行為を規制することができる。
【０２３１】
（電子メール送信データ）
図３６，３７は、電子メール送信データの一例を示す図であり、ユーザコンピュータ１１Ａ〜１１Ｃ，１２Ａ〜１２Ｃ，１３Ａ〜１３Ｃ，１４Ａ〜１４Ｃの週間の電子メール送信を示す。図３６，３７では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃの電子メール送信データをネットワーク１６Ａ〜１６Ｄ毎に区分してディスプレイ２３に表示するとともに、プリンタから出力する（電子メール送信データ第１出力手段）。また、電子メール送信データを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（電子メール送信データ第２出力手段）。
【０２３２】
システム管理者は、認証手続きを行ってデータ管理コンピュータ１８を使用可能にした後、コンピュータ１８のディスプレイ２３に表示されたレポート表示画面（図示せず）のレポート項目から電子メール送信データを選択（クリック）し、ネットワーク１６Ａ〜１６Ｄを指定する。電子メール送信データを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応する電子メール送信データとそのユーザコンピュータ識別データに対応する電子メール送信データとをデータベースから抽出する。次に、データ管理コンピュータ１８は、図３６に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの電子メール送信データをディスプレイ２３に表示する（電子メール送信データ第１出力手段）。図３６には、電子メール送信データとして、期間表示エリア２３０に指定した期間、コンピュータ名表示エリア２３１にコンピュータ名、ＭＡＣアドレス表示エリア２３２にＭＡＣアドレス、ワークグループ／ドメイン表示エリア２３３にワークグループ／ドメイン、電子メール送信回数表示エリア２３４に電子メール送信回数が表示されている。
【０２３３】
図３６の画面において下線部分に表示されるコンピュータ名を選択（クリック）すると、データ管理コンピュータ１８は、図３７に示すように、選択したユーザコンピュータ１１Ａ〜１１Ｃ，１２Ａ〜１２Ｃ，１３Ａ〜１３Ｃ，１４Ａ〜１４Ｃの電子メール送信データの詳細をディスプレイ２３に表示する（電子メール送信データ第２出力手段）。図３７には、電子メール送信データの詳細として、月日表示エリア２３５に月日（電子メール送信日時）、コンピュータ名表示エリア２３６にコンピュータ名（電子メールを送信したコンピュータ名）、ワークグループ／ドメイン表示エリア２３７にワークグループ／ドメイン、ＩＰアドレス表示エリア２３８にＩＰアドレス、ＭＡＣアドレス表示エリア２３９にＭＡＣアドレスが表示されている。さらに、差出人表示エリア２４０に差出人（電子メールを送信したコンピュータのユーザ名）、電子メール送信日時表示エリア２４１に電子メール送信日時、宛先表示エリア２４２に宛先（電子メール送信先アドレス）、件名表示エリア２４３に件名（送信した電子メールの件名）が表示されている。システム管理者は、図３６，３７の電子メール送信データをプリンタから出力することができる。
【０２３４】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃの電子メール送信データを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの電子メール送信を確実に把握することができ、ユーザコンピュータ１１Ａ〜１１Ｃ，１２Ａ〜１２Ｃ，１３Ａ〜１３Ｃ，１４Ａ〜１４Ｃにおける電子メール送信行為を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおける無制限の電子メール送信行為を規制することができる。
【０２３５】
（Ｗｅｂサイトアクセス情報）
図３８，３９は、Ｗｅｂサイトアクセスデータの一例を示す図であり、ユーザコンピュータ１１Ａ〜１１Ｃ，１２Ａ〜１２Ｃ，１３Ａ〜１３Ｃ，１４Ａ〜１４Ｃの週間のＷｅｂサイトアクセスを示す。図３８，３９では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４ＣのＷｅｂサイトアクセスデータをネットワーク１６Ａ〜１６Ｄ毎に区分してディスプレイ２３に表示するとともに、プリンタから出力する（Ｗｅｂサイトアクセスデータ第１出力手段）。また、Ｗｅｂサイトアクセスデータを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（Ｗｅｂサイトアクセスデータ第２出力手段）。
【０２３６】
システム管理者は、認証手続きを行ってデータ管理コンピュータ１８を使用可能にした後、コンピュータ１８のディスプレイ２３に表示されたレポート表示画面（図示せず）のレポート項目からＷｅｂサイトアクセスデータを選択（クリック）し、ネットワーク１６Ａ〜１６Ｄを指定する。Ｗｅｂサイトアクセスデータを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応するＷｅｂサイトアクセスデータとそのユーザコンピュータ識別データに対応するＷｅｂサイトアクセスデータとをデータベースから抽出する。次に、データ管理コンピュータ１８は、図３８に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４ＣのＷｅｂサイトアクセスデータをディスプレイ２３に表示する（Ｗｅｂサイトアクセスデータ第１出力手段）。図３８には、Ｗｅｂサイトアクセスデータとして、期間表示エリア２４４に指定した期間、コンピュータ名表示エリア２４５にコンピュータ名（Ｗｅｂサイトにアクセスしたコンピュータ名）、ＭＡＣアドレス表示エリア２４６にＭＡＣアドレス、ワークグループ／ドメイン表示エリア２４７にワークグループ／ドメイン、Ｗｅｂサイトアクセス回数表示エリア２４８にアクセス回数、バイト数表示エリア２４９にバイト数、パケット数表示エリア２５０にパケット数が表示されている。
【０２３７】
図３８の画面において下線部分に表示されるコンピュータ名を選択（クリック）すると、データ管理コンピュータ１８は、図３９に示すように、選択したユーザコンピュータ１１Ａ〜１１Ｃ，１２Ａ〜１２Ｃ，１３Ａ〜１３Ｃ，１４Ａ〜１４ＣのＷｅｂサイトアクセスデータの詳細をディスプレイ２３に表示する（Ｗｅｂサイトアクセスデータ第２出力手段）。図３９には、Ｗｅｂサイトアクセスデータの詳細として、月日表示エリア２５１に月日（Ｗｅｂサイトアクセス日時）、コンピュータ名表示エリア２５２にコンピュータ名、ワークグループ／ドメイン表示エリア２５３にワークグループ／ドメイン、ＩＰアドレス表示エリア２５４にＩＰアドレス、ＭＡＣアドレス表示エリア２５５にＭＡＣアドレスが表示されている。さらに、Ｗｅｂサイトアドレス表示エリア２５６にＷｅｂサイトアドレス、プロトコル表示エリア２５７にプロトコル、バイト数表示エリア２５８にバイト数、パケット数表示エリア２５９にパケット数、接続時間表示エリア２６９に接続時間（Ｗｅｂサイトへの接続時間）が表示されている。システム管理者は、図３８，３９のＷｅｂサイトアクセスデータをプリンタから出力することができる。
【０２３８】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４ＣのＷｅｂサイトアクセスデータを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４ＣのＷｅｂサイトアクセスを確実に把握することができ、ユーザコンピュータ１１Ａ〜１１Ｃ，１２Ａ〜１２Ｃ，１３Ａ〜１３Ｃ，１４Ａ〜１４ＣにおけるＷｅｂサイトアクセス行為を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおける無制限のＷｅｂサイトアクセス行為を規制することができる。
【０２３９】
（外部ネットワークアクセスデータ）
図４０，４１は、外部ネットワークアクセスデータの一例を示す図であり、ユーザコンピュータ１１Ａ〜１１Ｃ，１２Ａ〜１２Ｃ，１３Ａ〜１３Ｃ，１４Ａ〜１４Ｃの週間の外部ネットワークアクセスを示す。図４０，４１では、各項目の具体的な内容の表示を省略している。データ管理コンピュータ１８は、データ中継サーバ１７Ａ，１７Ｂから取得したユーザコンピュータ１１Ａ〜１１Ｃ，１２Ａ〜１２Ｃ，１３Ａ〜１３Ｃ，１４Ａ〜１４Ｃの外部ネットワークアクセスデータをネットワーク１６Ａ〜１６Ｄ毎に区分してディスプレイ２３に表示するとともに、プリンタから出力する（外部ネットワークアクセスデータ第１出力手段）。また、外部ネットワークアクセスデータを各ユーザコンピュータ１１Ａ〜１１Ｃ，１２Ａ〜１２Ｃ，１３Ａ〜１３Ｃ，１４Ａ〜１４Ｃ毎に区分してディスプレイ２３に表示するとともに、プリンタから出力する（外部ネットワークアクセスデータ第２出力手段）。
【０２４０】
システム管理者は、認証手続きを行ってデータ管理コンピュータ１８を使用可能にした後、コンピュータ１８のディスプレイ２３に表示されたレポート表示画面（図示せず）のレポート項目から外部ネットワークアクセスデータを選択（クリック）し、ネットワーク１６Ａ〜１６Ｄを指定する。外部ネットワークアクセスデータを選択し、ネットワーク１６Ａ〜１６Ｄを指定すると、データ管理コンピュータ１８は、指定されたネットワーク１６Ａ〜１６Ｄに対応するネットワーク識別データとユーザコンピュータ識別データとを特定し、そのネットワーク識別データに対応する外部ネットワークアクセスデータとそのユーザコンピュータ識別データに対応する外部ネットワークアクセスデータとをデータベースから抽出する。次に、データ管理コンピュータ１８は、図４０に示すように、指定したネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの外部ネットワークアクセスデータをディスプレイ２３に表示する（外部ネットワークアクセスデータ第１出力手段）。図４０には、外部ネットワークアクセスデータとして、期間表示エリア２６１に指定した期間、コンピュータ名表示エリア２６２にコンピュータ名（外部ネットワークにアクセスしたコンピュータ名）、ＭＡＣアドレス表示エリア２６３にＭＡＣアドレス、ワークグループ／ドメイン表示エリア２６４にワークグループ／ドメイン、外部ネットワークアクセス回数表示エリア２６５に外部ネットワークアクセス回数、外部からのトラフィックのうち、バイト数表示エリア２６６にバイト数およびパケット数表示エリア２６７にパケット数、内部からのトラフィックのうち、バイト数表示エリア２６８にバイト数およびパケット数表示エリア２６９にパケット数が表示されている。
【０２４１】
図４０の画面において下線部分に表示されるコンピュータ名を選択（クリック）すると、データ管理コンピュータ１８は、図４１に示すように、選択したユーザコンピュータ１１Ａ〜１１Ｃ，１２Ａ〜１２Ｃ，１３Ａ〜１３Ｃ，１４Ａ〜１４Ｃの外部ネットワークアクセスデータの詳細をディスプレイ２３に表示する（外部ネットワークアクセスデータ第２出力手段）。図４１には、外部ネットワークアクセスデータの詳細として、月日表示エリア２７０に月日（外部ネットワークアクセス日時）、コンピュータ名表示エリア２７１にコンピュータ名、ワークグループ／ドメイン表示エリア２７２にワークグループ／ドメイン、ＩＰアドレス表示エリア２７３にＩＰアドレス、ＭＡＣアドレス表示エリア２７４にＭＡＣアドレスが表示されている。さらに、外部ＩＰ表示エリア２７５に外部ＩＰ（外部ネットワークアドレス）、プロトコルタイプ表示エリア２７６にプロトコルタイプ、ポート表示エリア２７７にポート、プロトコル表示エリア２７８にプロトコル、外部からのトラフィックのうち、バイト数表示エリア２７９にバイト数、パケット数表示エリア２８０にパケット数、接続時間表示エリア２８１に接続時間、内部からのトラフィックのうち、バイト数表示エリア２８２にバイト数、パケット数表示エリア２８３にパケット数、接続時間表示エリア２８４に接続時間が表示されている。システム管理者は、図４０，４１の外部ネットワークアクセスデータをプリンタから出力することができる。
【０２４２】
このシステム１０では、データ管理コンピュータ１８がユーザコンピュータ１１Ａ〜１１Ｃ，１２Ａ〜１２Ｃ，１３Ａ〜１３Ｃ，１４Ａ〜１４Ｃの外部ネットワーク１６Ａ〜１６Ｄアクセスデータを各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で管理するから、システム管理者がデータ管理コンピュータ１８を介して各ネットワーク１６Ａ〜１６Ｄにおけるユーザコンピュータ１１Ａ〜１１Ｃ，１２Ａ〜１２Ｃ，１３Ａ〜１３Ｃ，１４Ａ〜１４Ｃの外部ネットワーク１６Ａ〜１６Ｄアクセスを確実に把握することができ、ユーザコンピュータ１１Ａ〜１１Ｃ，１２Ａ〜１２Ｃ，１３Ａ〜１３Ｃ，１４Ａ〜１４Ｃにおける外部ネットワーク１６Ａ〜１６Ｄアクセス行為を各ネットワーク１６Ａ〜１６Ｄ単位またはユーザコンピュータ１１Ａ〜１１Ｃ，１２Ａ〜１２Ｃ，１３Ａ〜１３Ｃ，１４Ａ〜１４Ｃ単位で監視することができるとともに、ユーザコンピュータ１１Ａ〜１１Ｃ，１２Ａ〜１２Ｃ，１３Ａ〜１３Ｃ，１４Ａ〜１４Ｃにおける無制限の外部ネットワーク１６Ａ〜１６Ｄアクセス行為を規制することができる。
【図面の簡単な説明】
【０２４３】
【図１】一例として示す機器データ管理システムの構成図。
【図２】未登録コンピュータと特定コンピュータとが接続されたネットワークの図。
【図３】機器監視サーバやデータ管理コンピュータのディスプレイに表示される認証手続きの表示画面の一例を示す図。
【図４】ユーザコンピュータ設備情報の一例を示す図。
【図５】アプリケーション一覧の一例を示す図。
【図６】未登録コンピュータのネットワーク接続データの一例を示す図。
【図７】未登録コンピュータのネットワーク接続データの一例を示す図。
【図８】未登録コンピュータ除外設定画面の一例を示す図。
【図９】未登録コンピュータ接続データ送信間隔設定変更画面の一例を示す図。
【図１０】各種操作データの送信間隔設定変更画面の一例を示す図。
【図１１】各種データの送信先変更画面の一例を示す図。
【図１２】データ中継サーバ設備情報の一例を示す図。
【図１３】ファイアーウォールのログデータの一例を示す図。
【図１４】アプリケーションの使用履歴データの一例を示す図。
【図１５】アプリケーションの使用履歴データの一例を示す図。
【図１６】アクセス履歴データの一例を示す図。
【図１７】アクセス履歴データの一例を示す図。
【図１８】アプリケーションの追加、変更、削除の設定画面の一例を示す図。
【図１９】不許可アプリケーションの追加、変更、削除の設定画面の一例を示す図。
【図２０】アプリケーションインストール状況の一例を示す図。
【図２１】インストールされたアプリケーションの内容を示す図。
【図２２】アプリケーションアンインストール状況の一例を示す図。
【図２３】アンインストールされたアプリケーションの内容を示す図。
【図２４】プリント履歴データの一例を示す図。
【図２５】プリント履歴データの一例を示す図。
【図２６】ファイルアクセス履歴データの一例を示す図。
【図２７】ファイルアクセス履歴データの一例を示す図。
【図２８】外部使用履歴データの一例を示す図。
【図２９】外部使用履歴データの一例を示す図。
【図３０】指定時間外使用履歴データの一例を示す図。
【図３１】指定時間外使用履歴データの一例を示す図。
【図３２】持ち出し行為データの一例を示す図。
【図３３】持ち出し行為データの一例を示す図。
【図３４】プリント行為データの一例を示す図。
【図３５】プリント行為データの一例を示す図。
【図３６】電子メール送信データの一例を示す図。
【図３７】電子メール送信データの一例を示す図。
【図３８】Ｗｅｂサイトアクセスデータの一例を示す図。
【図３９】Ｗｅｂサイトアクセスデータの一例を示す図。
【図４０】外部ネットワークアクセスデータの一例を示す図。
【図４１】外部ネットワークアクセスデータの一例を示す図。
【符号の説明】
【０２４４】
１０    機器データ管理システム
１１Ａ〜Ｃ    ユーザコンピュータ（ネットワーク構成機器）
１２Ａ〜Ｃ    ユーザコンピュータ（ネットワーク構成機器）
１３Ａ〜Ｃ    ユーザコンピュータ（ネットワーク構成機器）
１４Ａ〜Ｃ    ユーザコンピュータ（ネットワーク構成機器）
１５Ａ〜Ｄ    機器監視サーバ（機器監視装置）
１６Ａ〜Ｄ    ネットワーク
１７Ａ，Ｂ    データ中継サーバ
１８    データ管理コンピュータ（データ管理装置）
１９    ファイアーウォール
２０    インターネット
２１    未登録コンピュータ（未登録機器）
２２    特定コンピュータ（特定機器）
２３    ディスプレイ
【図１】
2009048251.tif 000003
【図２】
2009048251.tif 000004
【図３】
2009048251.tif 000005
【図４】
2009048251.tif 000006
【図５】
2009048251.tif 000007
【図６】
2009048251.tif 000008
【図７】
2009048251.tif 000009
【図８】
2009048251.tif 000010
【図９】
2009048251.tif 000011
【図１０】
2009048251.tif 000012
【図１１】
2009048251.tif 000013
【図１２】
2009048251.tif 000014
【図１３】
2009048251.tif 000015
【図１４】
2009048251.tif 000016
【図１５】
2009048251.tif 000017
【図１６】
2009048251.tif 000018
【図１７】
2009048251.tif 000019
【図１８】
2009048251.tif 000020
【図１９】
2009048251.tif 000021
【図２０】
2009048251.tif 000022
【図２１】
2009048251.tif 000023
【図２２】
2009048251.tif 000024
【図２３】
2009048251.tif 000025
【図２４】
2009048251.tif 000026
【図２５】
2009048251.tif 000027
【図２６】
2009048251.tif 000028
【図２７】
2009048251.tif 000029
【図２８】
2009048251.tif 000030
【図２９】
2009048251.tif 000031
【図３０】
2009048251.tif 000032
【図３１】
2009048251.tif 000033
【図３２】
2009048251.tif 000034
【図３３】
2009048251.tif 000035
【図３４】
2009048251.tif 000036
【図３５】
2009048251.tif 000037
【図３６】
2009048251.tif 000038
【図３７】
2009048251.tif 000039
【図３８】
2009048251.tif 000040
【図３９】
2009048251.tif 000041
【図４０】
2009048251.tif 000042
【図４１】
2009048251.tif 000043